(57)【要約】【課題】ＲＦＲＰおよびＯＴ７Ｔ０２２の新規用途の提供。【解決手段】ＲＦＲＰおよびＯＴ７Ｔ０２２またはそれらをコードするＤＮＡやＯＴ７Ｔ０２２アゴニストは筋疾患、副腎機能障害、痙攣、攻撃性行動、歩行異常、体温上昇、白血球数減少、血小板数減少、自発行動量の増加または筋力低下などの予防・治療・改善薬として有用である。また、Ｏ７Ｔ０２２遺伝子発現不全非ヒト動物は、上記疾患の予防・治療・改善薬のスクリーニングに有用である。【選択図】なし【特許請求の範囲】
【請求項１】
配列番号：１で表されるアミノ酸配列と同一もしくは実質的に同一のアミノ酸配列を含有するポリペプチド、その部分ペプチドもしくはそのアミドもしくはそのエステルまたはその塩を含有してなる筋疾患、副腎機能障害、痙攣、攻撃性行動、歩行異常、体温上昇、白血球数減少、血小板数減少、自発行動量の増加または筋力低下の予防・治療・改善剤。
【請求項２】
ポリペプチドが配列番号：１、配列番号：３、配列番号：５、配列番号：７、配列番号：９または配列番号：２２で表されるアミノ酸配列からなるポリペプチドである請求項１記載の剤。
【請求項３】
部分ペプチドが、
（ｉ）配列番号：１または配列番号：３で表わされるアミノ酸配列の第５６番目（Ｓｅｒ）〜第９２番目（Ｐｈｅ）、第７０番目（Ｍｅｔ）〜第９２番目（Ｐｈｅ）、第７３番目（Ｍｅｔ）〜第９２番目（Ｐｈｅ）、第８１番目（Ｍｅｔ）〜第９２番目（Ｐｈｅ）または第８４番目（Ｓｅｒ）〜第９２番目（Ｐｈｅ）のアミノ酸配列からなるペプチド、
（ｉｉ）配列番号：１または配列番号：３で表わされるアミノ酸配列の第１０１番目（Ｓｅｒ）〜第１１２番目（Ｓｅｒ）のアミノ酸配列からなるペプチド、
（ｉｉｉ）配列番号：１または配列番号：３で表わされるアミノ酸配列の第１０１番目（Ａｓｎ）〜第１３１番目（Ｐｈｅ）、第１０４番目（Ａｓｎ）〜第１３１番目（Ｐｈｅ）、第１１５番目（Ａｓｎ）〜第１３１番目（Ｐｈｅ）、第１２４番目（Ｖａｌ）〜第１３１番目（Ｐｈｅ）、第１２５番目（Ｐｒｏ）〜第１３１番目（Ｐｈｅ）、第１２６番目（Ａｓｎ）〜第１３１番目（Ｐｈｅ）または第１２７番目（Ｌｅｕ）〜第１３１番目（Ｐｈｅ）のアミノ酸配列からなるペプチド、
（ｉｖ）配列番号：５で表わされるアミノ酸配列の第５８番目（Ｓｅｒ）〜第９２番目（Ｐｈｅ）、第７０番目（Ｌｙｓ）〜第９２番目（Ｐｈｅ）、第７３番目（Ｍｅｔ）〜第９２番目（Ｐｈｅ）、第８１番目（Ｍｅｔ）〜第９２番目（Ｐｈｅ）または第８４番目（Ｓｅｒ）〜第９２番目（Ｐｈｅ）のアミノ酸配列からなるペプチド、
（ｖ）配列番号：５で表わされるアミノ酸配列の第１０１番目（Ｓｅｒ）〜第１１２番目（Ｌｅｕ）のアミノ酸配列からなるペプチド、
（ｖｉ）配列番号：５で表わされるアミノ酸配列の第１０１番目（Ｓｅｒ）〜第１３１番目（Ｐｈｅ）、第１０４番目（Ａｌａ）〜第１３１番目（Ｐｈｅ）、第１１５番目（Ａｓｎ）〜第１３１番目（Ｐｈｅ）、第１２４番目（Ｖａｌ）〜第１３１番目（Ｐｈｅ）、第１２５番目（Ｐｒｏ）〜第１３１番目（Ｐｈｅ）、第１２６番目（Ａｓｎ）〜第１３１番目（Ｐｈｅ）または第１２７番目（Ｌｅｕ）〜第１３１番目（Ｐｈｅ）のアミノ酸配列からなるペプチド、
（ｖｉｉ）配列番号：９で表わされるアミノ酸配列の第５８番目（Ｓｅｒ）〜第９４番目（Ｐｈｅ）、第７２番目（Ｖａｌ）〜第９４番目（Ｐｈｅ）、第７５番目（Ｍｅｔ）〜第９４番目（Ｐｈｅ）、第８３番目（Ｖａｌ）〜第９４番目（Ｐｈｅ）または第８４番目（Ｐｒｏ）〜第９４番目（Ｐｈｅ）のアミノ酸配列からなるペプチド、
（ｖｉｉｉ）配列番号：９で表わされるアミノ酸配列の第１１８番目（Ｐｈｅ）〜第１２５番目（Ｐｈｅ）、第１１９番目（Ｐｒｏ）〜第１２５番目（Ｐｈｅ）、第１２０番目（Ｓｅｒ）〜第１２５番目（Ｐｈｅ）または第１２１番目（Ｌｅｕ）〜第１２５番目（Ｐｈｅ）のアミノ酸配列からなるペプチド、
（ｉｘ）配列番号：７または２２で表わされるアミノ酸配列の第５８番目（Ｓｅｒ）〜第９４番目（Ｐｈｅ）、第７２番目（Ａｓｐ）〜第９４番目（Ｐｈｅ）、第７５番目（Ｍｅｔ）〜第９４番目（Ｐｈｅ）、第８３番目（Ｖａｌ）〜第９４番目（Ｐｈｅ）または第８４番目（Ｐｒｏ）〜第９４番目（Ｐｈｅ）のアミノ酸配列からなるペプチド、
（ｘ）配列番号：７または２２で表わされるアミノ酸配列の第１１８番目（Ｐｈｅ）〜第１２５番目（Ｐｈｅ）、第１１９番目（Ｐｒｏ）〜第１２５番目（Ｐｈｅ）、第１２０番目（Ｓｅｒ）〜第１２５番目（Ｐｈｅ）または第１２１番目（Ｌｅｕ）〜第１２５番目（Ｐｈｅ）のアミノ酸配列からなるペプチド、
（ｘｉ）上記（ｉ）〜（ｘ）のペプチドのアミノ酸配列中の１〜５個のアミノ酸が欠失したアミノ酸配列からなるペプチド、
（ｘｉｉ）上記（ｉ）〜（ｘ）のペプチドのアミノ酸配列に１〜５個のアミノ酸が付加したアミノ酸配列からなるペプチド、
（ｘｉｉｉ）上記（ｉ）〜（ｘ）のペプチドのアミノ酸配列に１〜５個のアミノ酸が挿入されたアミノ酸配列からなるペプチド、
（ｘｉｖ）上記（ｉ）〜（ｘ）のペプチドのアミノ酸配列中の１〜５個のアミノ酸で置換されたアミノ酸配列からなるペプチド、または
（ｘｖ）上記（ｘｉ）〜（ｘｉｖ）の欠失・付加・挿入・置換を組み合わせたアミノ酸配列からなるペプチドである請求項１記載の剤。
【請求項４】
配列番号：１で表されるアミノ酸配列と同一もしくは実質的に同一のアミノ酸配列を含有するポリペプチドまたはその部分ペプチドをコードするＤＮＡを含有してなる筋疾患、副腎機能障害、痙攣、攻撃性行動、歩行異常、体温上昇、白血球数減少、血小板数減少、自発行動量の増加または筋力低下の予防・治療・改善剤。
【請求項５】
ＤＮＡが配列番号：１、配列番号：３、配列番号：５、配列番号：７、配列番号：９または配列番号：２２で表されるアミノ酸配列からなるポリペプチドをコードするＤＮＡである請求項４記載の剤。
【請求項６】
ＤＮＡが、
（ｉ）配列番号：１または配列番号：３で表わされるアミノ酸配列の第５６番目（Ｓｅｒ）〜第９２番目（Ｐｈｅ）、第７０番目（Ｍｅｔ）〜第９２番目（Ｐｈｅ）、第７３番目（Ｍｅｔ）〜第９２番目（Ｐｈｅ）、第８１番目（Ｍｅｔ）〜第９２番目（Ｐｈｅ）または第８４番目（Ｓｅｒ）〜第９２番目（Ｐｈｅ）のアミノ酸配列からなるペプチド、
（ｉｉ）配列番号：１または配列番号：３で表わされるアミノ酸配列の第１０１番目（Ｓｅｒ）〜第１１２番目（Ｓｅｒ）のアミノ酸配列からなるペプチド、
（ｉｉｉ）配列番号：１または配列番号：３で表わされるアミノ酸配列の第１０１番目（Ａｓｎ）〜第１３１番目（Ｐｈｅ）、第１０４番目（Ａｓｎ）〜第１３１番目（Ｐｈｅ）、第１１５番目（Ａｓｎ）〜第１３１番目（Ｐｈｅ）、第１２４番目（Ｖａｌ）〜第１３１番目（Ｐｈｅ）、第１２５番目（Ｐｒｏ）〜第１３１番目（Ｐｈｅ）、第１２６番目（Ａｓｎ）〜第１３１番目（Ｐｈｅ）または第１２７番目（Ｌｅｕ）〜第１３１番目（Ｐｈｅ）のアミノ酸配列からなるペプチド、
（ｉｖ）配列番号：５で表わされるアミノ酸配列の第５８番目（Ｓｅｒ）〜第９２番目（Ｐｈｅ）、第７０番目（Ｌｙｓ）〜第９２番目（Ｐｈｅ）、第７３番目（Ｍｅｔ）〜第９２番目（Ｐｈｅ）、第８１番目（Ｍｅｔ）〜第９２番目（Ｐｈｅ）または第８４番目（Ｓｅｒ）〜第９２番目（Ｐｈｅ）のアミノ酸配列からなるペプチド、
（ｖ）配列番号：５で表わされるアミノ酸配列の第１０１番目（Ｓｅｒ）〜第１１２番目（Ｌｅｕ）のアミノ酸配列からなるペプチド、
（ｖｉ）配列番号：５で表わされるアミノ酸配列の第１０１番目（Ｓｅｒ）〜第１３１番目（Ｐｈｅ）、第１０４番目（Ａｌａ）〜第１３１番目（Ｐｈｅ）、第１１５番目（Ａｓｎ）〜第１３１番目（Ｐｈｅ）、第１２４番目（Ｖａｌ）〜第１３１番目（Ｐｈｅ）、第１２５番目（Ｐｒｏ）〜第１３１番目（Ｐｈｅ）、第１２６番目（Ａｓｎ）〜第１３１番目（Ｐｈｅ）または第１２７番目（Ｌｅｕ）〜第１３１番目（Ｐｈｅ）のアミノ酸配列からなるペプチド、
（ｖｉｉ）配列番号：９で表わされるアミノ酸配列の第５８番目（Ｓｅｒ）〜第９４番目（Ｐｈｅ）、第７２番目（Ｖａｌ）〜第９４番目（Ｐｈｅ）、第７５番目（Ｍｅｔ）〜第９４番目（Ｐｈｅ）、第８３番目（Ｖａｌ）〜第９４番目（Ｐｈｅ）または第８４番目（Ｐｒｏ）〜第９４番目（Ｐｈｅ）のアミノ酸配列からなるペプチド、
（ｖｉｉｉ）配列番号：９で表わされるアミノ酸配列の第１１８番目（Ｐｈｅ）〜第１２５番目（Ｐｈｅ）、第１１９番目（Ｐｒｏ）〜第１２５番目（Ｐｈｅ）、第１２０番目（Ｓｅｒ）〜第１２５番目（Ｐｈｅ）または第１２１番目（Ｌｅｕ）〜第１２５番目（Ｐｈｅ）のアミノ酸配列からなるペプチド、
（ｉｘ）配列番号：７または２２で表わされるアミノ酸配列の第５８番目（Ｓｅｒ）〜第９４番目（Ｐｈｅ）、第７２番目（Ａｓｐ）〜第９４番目（Ｐｈｅ）、第７５番目（Ｍｅｔ）〜第９４番目（Ｐｈｅ）、第８３番目（Ｖａｌ）〜第９４番目（Ｐｈｅ）または第８４番目（Ｐｒｏ）〜第９４番目（Ｐｈｅ）のアミノ酸配列からなるペプチド、
（ｘ）配列番号：７または２２で表わされるアミノ酸配列の第１１８番目（Ｐｈｅ）〜第１２５番目（Ｐｈｅ）、第１１９番目（Ｐｒｏ）〜第１２５番目（Ｐｈｅ）、第１２０番目（Ｓｅｒ）〜第１２５番目（Ｐｈｅ）または第１２１番目（Ｌｅｕ）〜第１２５番目（Ｐｈｅ）のアミノ酸配列からなるペプチド、
（ｘｉ）上記（ｉ）〜（ｘ）のペプチドのアミノ酸配列中の１〜５個のアミノ酸が欠失したアミノ酸配列からなるペプチド、
（ｘｉｉ）上記（ｉ）〜（ｘ）のペプチドのアミノ酸配列に１〜５個のアミノ酸が付加したアミノ酸配列からなるペプチド、
（ｘｉｉｉ）上記（ｉ）〜（ｘ）のペプチドのアミノ酸配列に１〜５個のアミノ酸が挿入されたアミノ酸配列からなるペプチド、
（ｘｉｖ）上記（ｉ）〜（ｘ）のペプチドのアミノ酸配列中の１〜５個のアミノ酸で置換されたアミノ酸配列からなるペプチド、または
（ｘｖ）上記（ｘｉ）〜（ｘｉｖ）の欠失・付加・挿入・置換を組み合わせたアミノ酸配列からなるペプチド、
をコードするＤＮＡである請求項４記載の剤。
【請求項７】
配列番号：１で表されるアミノ酸配列と同一もしくは実質的に同一のアミノ酸配列を含有するポリペプチドまたはその部分ペプチドをコードするＤＮＡを含有してなる筋疾患、副腎機能障害、痙攣、攻撃性行動、歩行異常、体温変化、白血球数変化、血小板数変化、自発行動量の変化または筋力変化の診断剤。
【請求項８】
配列番号：１で表されるアミノ酸配列と同一もしくは実質的に同一のアミノ酸配列を含有するポリペプチド、その部分ペプチドもしくはそのアミドもしくはそのエステルまたはその塩に対する抗体を含有してなる筋疾患、副腎機能障害、体温減少、白血球数増加、血小板数増加または自発行動量の減少の予防・治療・改善剤。
【請求項９】
配列番号：１で表されるアミノ酸配列と同一もしくは実質的に同一のアミノ酸配列を含有するポリペプチド、その部分ペプチドもしくはそのアミドもしくはそのエステルまたはその塩に対する抗体を含有してなる筋疾患、副腎機能障害、痙攣、攻撃性行動、歩行異常、体温変化、白血球数変化、血小板数変化、自発行動量の変化、筋力変化の診断剤。
【請求項１０】
配列番号：１で表されるアミノ酸配列と同一もしくは実質的に同一のアミノ酸配列を含有するポリペプチドまたはその部分ペプチドをコードするＤＮＡに相補的な塩基配列またはその一部を含有するアンチセンスＤＮＡを含有してなる筋疾患、副腎機能障害、体温減少、白血球数増加、血小板数増加または自発行動量の減少の予防・治療・改善剤。
【請求項１１】
配列番号：１で表されるアミノ酸配列と同一もしくは実質的に同一のアミノ酸配列を含有するポリペプチドまたはその部分ペプチドの発現量を増加させる化合物またはその塩を含有してなる筋疾患、副腎機能障害、痙攣、攻撃性行動、歩行異常、体温上昇、白血球数減少、血小板減少、自発行動量の増加または筋力低下の予防・治療・改善剤。
【請求項１２】
配列番号：１で表されるアミノ酸配列と同一もしくは実質的に同一のアミノ酸配列を含有するポリペプチドまたはその部分ペプチドの発現量を減少させる化合物またはその塩を含有してなる筋疾患、副腎機能障害、体温減少、白血球数増加、血小板数増加または自発行動量の減少の予防・治療・改善剤。
【請求項１３】
配列番号：１１で表されるアミノ酸配列と同一もしくは実質的に同一のアミノ酸配列を含有するレセプター蛋白質ＯＴ７Ｔ０２２、その部分ペプチドまたはその塩を含有してなる筋疾患、副腎機能障害、痙攣、攻撃性行動、歩行異常、体温上昇、白血球数減少、血小板数減少、自発行動量の増加または筋力低下の予防・治療・改善剤。
【請求項１４】
ＯＴ７Ｔ０２２が配列番号：１１または配列番号：２４で表されるアミノ酸配列からなるレセプター蛋白質である請求項１３記載の剤。
【請求項１５】
配列番号：１１で表されるアミノ酸配列と同一もしくは実質的に同一のアミノ酸配列を含有するレセプター蛋白質ＯＴ７Ｔ０２２またはその部分ペプチドをコードするＤＮＡを含有してなる筋疾患、副腎機能障害、痙攣、攻撃性行動、歩行異常、体温上昇、白血球数減少、血小板数減少、自発行動量の増加または筋力低下の予防・治療・改善剤。
【請求項１６】
ＤＮＡが配列番号：１１または配列番号：２４で表されるアミノ酸配列からなるレセプター蛋白質ＯＴ７Ｔ０２２またはその部分ペプチドをコードするＤＮＡである請求項１５記載の剤。
【請求項１７】
配列番号：１１で表されるアミノ酸配列と同一もしくは実質的に同一のアミノ酸配列を含有するレセプター蛋白質ＯＴ７Ｔ０２２またはその部分ペプチドをコードするＤＮＡを含有してなる筋疾患、副腎機能障害、痙攣、攻撃性行動、歩行異常、体温変化、白血球数変化、血小板数変化、自発行動量の変化または筋力変化の診断剤。
【請求項１８】
配列番号：１１で表されるアミノ酸配列と同一もしくは実質的に同一のアミノ酸配列を含有するレセプター蛋白質ＯＴ７Ｔ０２２、その部分ペプチドまたはその塩に対する抗体を含有してなる筋疾患、副腎機能障害、体温減少、白血球数増加、血小板数増加または自発行動量の減少の予防・治療・改善剤。
【請求項１９】
配列番号：１１で表されるアミノ酸配列と同一もしくは実質的に同一のアミノ酸配列を含有するレセプター蛋白質ＯＴ７Ｔ０２２、その部分ペプチドまたはその塩に対する抗体を含有してなる筋疾患、副腎機能障害、痙攣、攻撃性行動、歩行異常、体温変化、白血球数変化、血小板数変化、自発行動量の変化または筋力変化の診断剤。
【請求項２０】
配列番号：１１で表されるアミノ酸配列と同一もしくは実質的に同一のアミノ酸配列を含有するレセプター蛋白質ＯＴ７Ｔ０２２またはその部分ペプチドをコードするＤＮＡに相補的な塩基配列またはその一部を含有するアンチセンスＤＮＡを含有してなる筋疾患、副腎機能障害、体温減少、白血球数増加、血小板数増加または自発行動量の減少の予防・治療・改善剤。
【請求項２１】
配列番号：１１で表されるアミノ酸配列と同一もしくは実質的に同一のアミノ酸配列を含有するレセプター蛋白質ＯＴ７Ｔ０２２、その部分ペプチドまたはその塩に対するアゴニストを含有してなる筋疾患、副腎機能障害、痙攣、攻撃性行動、歩行異常、体温上昇、白血球数減少、血小板数減少、自発行動量の増加または筋力低下の予防・治療・改善剤。
【請求項２２】
配列番号：１１で表されるアミノ酸配列と同一もしくは実質的に同一のアミノ酸配列を含有するレセプター蛋白質ＯＴ７Ｔ０２２、その部分ペプチドまたはその塩に対するアンタゴニストを含有してなる筋疾患、副腎機能障害、体温減少、白血球数増加、血小板数増加または自発行動量の減少の予防・治療・改善剤。
【請求項２３】
配列番号：１１で表されるアミノ酸配列と同一もしくは実質的に同一のアミノ酸配列を含有するレセプター蛋白質ＯＴ７Ｔ０２２またはその部分ペプチドの発現量を増加させる化合物またはその塩を含有してなる筋疾患、副腎機能障害、痙攣、攻撃性行動、歩行異常、体温上昇、白血球数減少、血小板数減少、自発行動量の増加または筋力低下の予防・治療・改善剤。
【請求項２４】
配列番号：１１で表されるアミノ酸配列と同一もしくは実質的に同一のアミノ酸配列を含有するレセプター蛋白質ＯＴ７Ｔ０２２またはその部分ペプチドの発現量を減少させる化合物またはその塩を含有してなる筋疾患、副腎機能障害、体温減少、白血球数増加、血小板数増加または自発行動量の減少の予防・治療・改善剤。
【請求項２５】
哺乳動物に対して、
（ｉ）配列番号：１で表されるアミノ酸配列と同一もしくは実質的に同一のアミノ酸配列を含有するポリペプチド、その部分ペプチドもしくはそのアミドもしくはそのエステルまたはその塩、
（ｉｉ）配列番号：１で表されるアミノ酸配列と同一もしくは実質的に同一のアミノ酸配列を含有するポリペプチドまたはその部分ペプチドをコードするＤＮＡ、
（ｉｉｉ）配列番号：１で表されるアミノ酸配列と同一もしくは実質的に同一のアミノ酸配列を含有するポリペプチドまたはその部分ペプチドの発現量を増加させる化合物またはその塩、
（ｉｖ）配列番号：１１で表されるアミノ酸配列と同一もしくは実質的に同一のアミノ酸配列を含有するレセプター蛋白質ＯＴ７Ｔ０２２、その部分ペプチドまたはその塩、
（ｖ）配列番号：１１で表されるアミノ酸配列と同一もしくは実質的に同一のアミノ酸配列を含有するレセプター蛋白質ＯＴ７Ｔ０２２またはその部分ペプチドをコードするＤＮＡ、
（ｖｉ）配列番号：１１で表されるアミノ酸配列と同一もしくは実質的に同一のアミノ酸配列を含有するレセプター蛋白質ＯＴ７Ｔ０２２、その部分ペプチドまたはその塩に対するアゴニスト、または
（ｖｉｉ）配列番号：１１で表されるアミノ酸配列と同一もしくは実質的に同一のアミノ酸配列を含有するレセプター蛋白質ＯＴ７Ｔ０２２またはその部分ペプチドの発現量を増加させる化合物またはその塩の有効量を投与することを特徴とする筋疾患、副腎機能障害、痙攣、攻撃性行動、歩行異常、体温上昇、白血球数減少、血小板数減少、自発行動量の増加または筋力低下の予防・治療・改善方法。
【請求項２６】
哺乳動物に対して、
（ｉ）配列番号：１で表されるアミノ酸配列と同一もしくは実質的に同一のアミノ酸配列を含有するポリペプチド、その部分ペプチドもしくはそのアミドもしくはそのエステルまたはその塩に対する抗体、
（ｉｉ）配列番号：１で表されるアミノ酸配列と同一もしくは実質的に同一のアミノ酸配列を含有するポリペプチドまたはその部分ペプチドをコードするＤＮＡに相補的な塩基配列またはその一部を含有するアンチセンスＤＮＡ、
（ｉｉｉ）配列番号：１で表されるアミノ酸配列と同一もしくは実質的に同一のアミノ酸配列を含有するポリペプチドまたはその部分ペプチドの発現量を減少させる化合物またはその塩、
（ｉｖ）配列番号：１１で表されるアミノ酸配列と同一もしくは実質的に同一のアミノ酸配列を含有するレセプター蛋白質ＯＴ７Ｔ０２２、その部分ペプチドまたはその塩に対する抗体、
（ｖ）配列番号：１１で表されるアミノ酸配列と同一もしくは実質的に同一のアミノ酸配列を含有するレセプター蛋白質ＯＴ７Ｔ０２２またはその部分ペプチドをコードするＤＮＡに相補的な塩基配列またはその一部を含有するアンチセンスＤＮＡ、
（ｖｉ）配列番号：１１で表されるアミノ酸配列と同一もしくは実質的に同一のアミノ酸配列を含有するレセプター蛋白質ＯＴ７Ｔ０２２、その部分ペプチドまたはその塩に対するアンタゴニスト、または
（ｖｉｉ）配列番号：１１で表されるアミノ酸配列と同一もしくは実質的に同一のアミノ酸配列を含有するレセプター蛋白質ＯＴ７Ｔ０２２またはその部分ペプチドの発現量を減少させる化合物またはその塩の有効量を投与することを特徴とする筋疾患、副腎機能障害、体温減少、白血球数増加、血小板数増加または自発行動量の減少の予防・治療・改善方法。
【請求項２７】
筋疾患、副腎機能障害、痙攣、攻撃性行動、歩行異常、体温上昇、白血球数減少、血小板数減少、自発行動量の増加または筋力低下の予防・治療・改善剤を製造するための
（ｉ）配列番号：１で表されるアミノ酸配列と同一もしくは実質的に同一のアミノ酸配列を含有するポリペプチド、その部分ペプチドもしくはそのアミドもしくはそのエステルまたはその塩、
（ｉｉ）配列番号：１で表されるアミノ酸配列と同一もしくは実質的に同一のアミノ酸配列を含有するポリペプチドまたはその部分ペプチドをコードするＤＮＡ、（ｉｉｉ）配列番号：１で表されるアミノ酸配列と同一もしくは実質的に同一のアミノ酸配列を含有するポリペプチドまたはその部分ペプチドの発現量を増加させる化合物またはその塩、
（ｉｖ）配列番号：１１で表されるアミノ酸配列と同一もしくは実質的に同一のアミノ酸配列を含有するレセプター蛋白質ＯＴ７Ｔ０２２、その部分ペプチドまたはその塩、
（ｖ）配列番号：１１で表されるアミノ酸配列と同一もしくは実質的に同一のアミノ酸配列を含有するレセプター蛋白質ＯＴ７Ｔ０２２またはその部分ペプチドをコードするＤＮＡ、
（ｖｉ）配列番号：１１で表されるアミノ酸配列と同一もしくは実質的に同一のアミノ酸配列を含有するレセプター蛋白質ＯＴ７Ｔ０２２、その部分ペプチドまたはその塩に対するアゴニスト、または
（ｖｉｉ）配列番号：１１で表されるアミノ酸配列と同一もしくは実質的に同一のアミノ酸配列を含有するレセプター蛋白質ＯＴ７Ｔ０２２またはその部分ペプチドの発現量を増加させる化合物またはその塩の使用。
【請求項２８】
筋疾患、副腎機能障害、体温減少、白血球数増加、血小板数増加または自発行動量の減少の予防・治療・改善剤を製造するための
（ｉ）配列番号：１で表されるアミノ酸配列と同一もしくは実質的に同一のアミノ酸配列を含有するポリペプチド、その部分ペプチドもしくはそのアミドもしくはそのエステルまたはその塩に対する抗体、
（ｉｉ）配列番号：１で表されるアミノ酸配列と同一もしくは実質的に同一のアミノ酸配列を含有するポリペプチドまたはその部分ペプチドをコードするＤＮＡに相補的な塩基配列またはその一部を含有するアンチセンスＤＮＡ、
（ｉｉｉ）配列番号：１で表されるアミノ酸配列と同一もしくは実質的に同一のアミノ酸配列を含有するポリペプチドまたはその部分ペプチドの発現量を減少させる化合物またはその塩、
（ｉｖ）配列番号：１１で表されるアミノ酸配列と同一もしくは実質的に同一のアミノ酸配列を含有するレセプター蛋白質ＯＴ７Ｔ０２２、その部分ペプチドまたはその塩に対する抗体、
（ｖ）配列番号：１１で表されるアミノ酸配列と同一もしくは実質的に同一のアミノ酸配列を含有するレセプター蛋白質ＯＴ７Ｔ０２２またはその部分ペプチドをコードするＤＮＡに相補的な塩基配列またはその一部を含有するアンチセンスＤＮＡ、
（ｖｉ）配列番号：１１で表されるアミノ酸配列と同一もしくは実質的に同一のアミノ酸配列を含有するレセプター蛋白質ＯＴ７Ｔ０２２、その部分ペプチドまたはその塩に対するアンタゴニスト、または
（ｖｉｉ）配列番号：１１で表されるアミノ酸配列と同一もしくは実質的に同一のアミノ酸配列を含有するレセプター蛋白質ＯＴ７Ｔ０２２またはその部分ペプチドの発現量を減少させる化合物またはその塩の使用。
【請求項２９】
ＯＴ７Ｔ０２２遺伝子が不活性化された哺乳動物胚幹細胞。
【請求項３０】
薬剤耐性である請求項２９記載の胚幹細胞。
【請求項３１】
薬剤がネオマイシンである請求項２９記載の胚幹細胞。
【請求項３２】
レポーター遺伝子の挿入によりＯＴ７Ｔ０２２遺伝子が不活性化された請求項２９記載の胚幹細胞。
【請求項３３】
レポーター遺伝子がｌａｃＺ遺伝子である請求項３２記載の胚幹細胞。
【請求項３４】
哺乳動物がマウスである請求項２９記載の胚幹細胞。
【請求項３５】
ＯＴ７Ｔ０２２遺伝子が配列番号：１２、配列番号：２５、配列番号：２６、配列番号：２８または配列番号：３２で表わされる塩基配列を含有する遺伝子である請求項２９記載の胚幹細胞。
【請求項３６】
ＯＴ７Ｔ０２２遺伝子発現不全非ヒト哺乳動物。
【請求項３７】
レポーター遺伝子の挿入によりＯＴ７Ｔ０２２遺伝子が不活性化された請求項３６記載の動物。
【請求項３８】
非ヒト哺乳動物がマウスである請求項３６記載の動物。
【請求項３９】
ＯＴ７Ｔ０２２遺伝子が配列番号：１２、配列番号：２８または配列番号：３２で表わされる塩基配列を含有する遺伝子である請求項３６記載の動物。
【請求項４０】
野生型非ヒト哺乳動物に比べて、胸腺退縮遅延がみられる請求項３６記載の動物。
【請求項４１】
野生型非ヒト哺乳動物に比べて、後退歩行がみられる請求項３６記載の動物。
【請求項４２】
野生型非ヒト哺乳動物に比べて、侵害刺激に対して鈍麻がみられる請求項３６記載の動物。
【請求項４３】
野生型非ヒト哺乳動物に比べて、攻撃的行動が多い請求項３６記載の動物。
【請求項４４】
野生型非ヒト哺乳動物に比べて、腎臓絶対重量または胸腺絶対重量の低下がみられる請求項３６記載の動物。
【請求項４５】
野生型非ヒト哺乳動物に比べて、白血球数または血小板数の減少がみられる請求項３６記載の動物。
【請求項４６】
野生型非ヒト哺乳動物に比べて、筋力が低下している請求項３６記載の動物。
【請求項４７】
請求項３６記載の動物もしくはその組織またはそれらに由来する細胞を用いることを特徴とする、痛覚障害、眼疾患、下垂体疾患、筋疾患、心疾患、血液疾患、腎疾患、免疫疾患、副腎機能障害、摂食障害、肥満、情動障害、精神分裂病、うつ病、不安症、性機能障害、肥満、痙攣、てんかん、攻撃性行動、歩行異常、体温上昇、白血球数減少、血小板数減少、自発行動量の増加または筋力低下の予防・治療・改善薬のスクリーニング方法。
【請求項４８】
請求項３６記載の動物もしくはその組織またはそれらに由来する細胞に試験化合物を投与することを特徴とする請求項４７記載のスクリーニング方法。
【請求項４９】
請求項３６記載の動物と他の病態モデル動物との交配によって生じる病態モデル動物。
【請求項５０】
請求項３６記載の動物に対する薬剤誘発またはストレス負荷によって生じる病態モデル動物。
【請求項５１】
請求項４９記載の動物に対する薬剤誘発またはストレス負荷によって生じる病体モデル動物。
【請求項５２】
請求項４９〜５１のいずれかに記載の動物もしくはその組織またはそれらに由来する細胞を用いることを特徴とする、痛覚障害、眼疾患、下垂体疾患、筋疾患、心疾患、血液疾患、腎疾患、免疫疾患、副腎機能障害、摂食障害、肥満、情動障害、精神分裂病、うつ病、不安症、性機能障害、肥満、痙攣、てんかん、攻撃性行動、歩行異常、体温上昇、白血球数減少、血小板数減少、自発行動量の増加または筋力低下の予防・治療・改善薬のスクリーニング方法。
【請求項５３】
請求項４９〜５１のいずれかに記載の動物もしくはその組織またはそれらに由来する細胞に試験化合物を投与することを特徴とする、痛覚障害、眼疾患、下垂体疾患、筋疾患、心疾患、血液疾患、腎疾患、免疫疾患、副腎機能障害、摂食障害、肥満、情動障害、精神分裂病、うつ病、不安症、性機能障害、肥満、痙攣、てんかん、攻撃性行動、歩行異常、体温上昇、白血球数減少、血小板数減少、自発行動量の増加または筋力低下の予防・治療・改善薬のスクリーニング方法。
【請求項５４】
請求項３７記載の動物に、試験化合物を投与し、レポーター遺伝子の発現を検出することを特徴とするＯＴ７Ｔ０２２遺伝子に対するプロモーター活性を促進または阻害する化合物またはその塩のスクリーニング方法。
【請求項５５】
配列番号：１で表されるアミノ酸配列と同一もしくは実質的に同一のアミノ酸配列を含有するポリペプチド、その部分ペプチドもしくはそのアミドもしくはそのエステルまたはその塩、および（または）配列番号：１１で表されるアミノ酸配列と同一もしくは実質的に同一のアミノ酸配列を含有するレセプター蛋白質ＯＴ７Ｔ０２２、その部分ペプチドまたはその塩を用いることを特徴とする筋疾患、副腎機能障害、痙攣、攻撃性行動、歩行異常、体温上昇、白血球数減少、血小板数減少、自発行動量の増加、筋力低下、体温減少、白血球数増加、血小板数増加または自発行動量の減少の予防・治療・改善薬のスクリーニング方法。
【請求項５６】
配列番号：１で表されるアミノ酸配列と同一もしくは実質的に同一のアミノ酸配列を含有するポリペプチド、その部分ペプチドもしくはそのアミドもしくはそのエステルまたはその塩、および（または）配列番号：１１で表されるアミノ酸配列と同一もしくは実質的に同一のアミノ酸配列を含有するレセプター蛋白質ＯＴ７Ｔ０２２、その部分ペプチドまたはその塩を含有してなる筋疾患、副腎機能障害、痙攣、攻撃性行動、歩行異常、体温上昇、白血球数減少、血小板数減少、自発行動量の増加、筋力低下、体温減少、白血球数増加、血小板数増加または自発行動量の減少の予防・治療・改善薬のスクリーニング用キット。
【発明の詳細な説明】
【０００１】
【発明の属する技術分野】
本発明は、ＲＦＲＰおよびＲＦＲＰのレセプター蛋白質であるＯＴ７Ｔ０２２の新規用途に関する。
さらに、本発明は、ＯＴ７Ｔ０２２遺伝子が不活性化された非ヒト哺乳動物の胚幹細胞、ＯＴ７Ｔ０２２遺伝子発現不全非ヒト哺乳動物、それらを用いるスクリーニング方法およびそのスクリーニングによって得られうる予防・治療・改善薬などに関する。
【０００２】
【従来の技術】
新規な受容体ＯＴ７Ｔ０２２とそれに結合するＣ末端がＬＰＬ　ＲＦ　ａｍｉｄｅ様、ＬＰＬ　ＲＳ　ａｍｉｄｅ様、ＬＰＱ　ＲＦ　ａｍｉｄｅ様またはＬＰＬ　ＲＬａｍｉｄｅ様のペプチド（ＲＦＲＰ−１、ＲＦＲＰ−２、ＲＦＲＰ−３）が報告されている（特許文献１）。
ＯＴ７Ｔ０２２とＲＦＲＰ−１、ＲＦＲＰ−２、ＲＦＲＰ−３がプロラクチン分泌に関与していることが報告されている（特許文献２）。
ＲＦＲＰ−１に対応するＮＰＳＦやＲＦＲＰ−３に対応するＮＰＶＦがＯＴ７Ｔ０２２に結合し、抗オピオイドに関与していることが記載されている（非特許文献１）。
しかし、ＲＦＲＰおよびＯＴ７Ｔ０２２の生体内における機能および作用機序については、さらに解明すべき点が数多く残されている。
【０００３】
【特許文献１】
ＷＯ００／２９４４１号
【特許文献２】
ＷＯ０１／６６１３４号
【非特許文献１】
Ｔｈｅ　Ｊｏｕｒｎａｌ　ｏｆ　Ｂｉｏｌｏｇｉｃａｌ　Ｃｈｅｍｉｓｔｒｙ，　ｖｏｌ．２７６，　Ｎｏ．４０，　ｐ３６９６１−３６９６９，　２００１
【０００４】
【発明が解決しようとする課題】
ＯＴ７Ｔ０２２遺伝子が不活性化された非ヒト動物ＥＳ細胞の作製に成功すれば、ＯＴ７Ｔ０２２遺伝子発現不全非ヒト動物を作出することができる。そして、得られるＯＴ７Ｔ０２２遺伝子発現不全非ヒト動物は、ＯＴ７Ｔ０２２により誘導され得る種々の生物活性を欠失するため、ＯＴ７Ｔ０２２の生物活性の不活性化を原因とする疾病のモデルとなり、これらの疾病の原因究明および治療法の検討が可能となる。
本発明は、ＲＦＲＰおよびＯＴ７Ｔ０２２のさらなる機能を解明し、新たな医薬を提供することを課題とする。
【０００５】
【課題を解決するための手段】
本発明者らは、上記の課題に鑑み、鋭意研究を重ねた結果、ＯＴ７Ｔ０２２遺伝子発現不全非ヒト動物を作出することに成功し、該動物の発現型として、予想外にも体温上昇、腎臓絶対重量の増加、胸腺絶対重量の増加、白血球数の減少、血小板数の減少、自発行動量（特に、夜間自発行動量）の増加、攻撃行動の誘発、後退歩行、筋力の低下などが起こることを見出した。本発明者らは、これらの知見に基づいて、さらに検討を重ねた結果、本発明を完成するに至った。
【０００６】
すなわち、本発明は、
〔１〕配列番号：１で表されるアミノ酸配列と同一もしくは実質的に同一のアミノ酸配列を含有するポリペプチド、その部分ペプチドもしくはそのアミドもしくはそのエステルまたはその塩を含有してなる筋疾患、副腎機能障害、痙攣、攻撃性行動、歩行異常、体温上昇、白血球数減少、血小板数減少、自発行動量（特に、夜間自発行動量）の増加または筋力低下の予防・治療・改善剤、
〔２〕ポリペプチドが配列番号：１、配列番号：３、配列番号：５、配列番号：７、配列番号：９または配列番号：２２で表されるアミノ酸配列からなるポリペプチドである上記〔１〕記載の剤、
〔３〕部分ペプチドが、
（ｉ）配列番号：１または配列番号：３で表わされるアミノ酸配列の第８８番目（Ｌｅｕ）〜第９２番目（Ｐｈｅ）のアミノ酸配列を含有し、そのアミノ酸配列のＮ末端側に、それぞれ配列番号：１または３で表わされるアミノ酸配列の第１番目（Ｍｅｔ）〜第８７番目（Ａｓｎ）のアミノ酸配列のＣ末端から数えて１〜８７個のアミノ酸が付加していてもよいアミノ酸配列からなるペプチド（ヒトＲＦＲＰ−１）、
（ｉｉ）配列番号：１または配列番号：３で表わされるアミノ酸配列の第１０１番目（Ｓｅｒ）〜第１１２番目（Ｓｅｒ）のアミノ酸配列を含有し、そのアミノ酸配列のＮ末端側に、それぞれ配列番号：１または３で表わされるアミノ酸配列の第１番目（Ｍｅｔ）〜第１００番目（Ａｒｇ）のアミノ酸配列のＣ末端から数えて１〜１００個のアミノ酸が付加していてもよいアミノ酸配列からなるペプチド（ヒトＲＦＲＰ−２）、
（ｉｉｉ）配列番号：１または配列番号：３で表わされるアミノ酸配列の第１２７番目（Ｌｅｕ）〜第１３１番目（Ｐｈｅ）のアミノ酸配列を含有し、そのアミノ酸配列のＮ末端側に、それぞれ配列番号：１または３で表わされるアミノ酸配列の第１番目（Ｍｅｔ）〜第１２６番目（Ａｓｎ）のアミノ酸配列のＣ末端から数えて１〜１２６個のアミノ酸が付加していてもよいアミノ酸配列からなるペプチド（ヒトＲＦＲＰ−３）、
（ｉｖ）配列番号：５で表わされるアミノ酸配列の第８８番目（Ｌｅｕ）〜第９２番目（Ｐｈｅ）のアミノ酸配列を含有し、そのアミノ酸配列のＮ末端側に、配列番号：５で表わされるアミノ酸配列の第１番目（Ｍｅｔ）〜第８７番目（Ｌｙｓ）のアミノ酸配列のＣ末端から数えて１〜８７個のアミノ酸が付加していてもよいアミノ酸配列からなるペプチド（ウシＲＦＲＰ−１）、
（ｖ）配列番号：５で表わされるアミノ酸配列の第１０１番目（Ｓｅｒ）〜第１１２番目（Ｌｅｕ）のアミノ酸配列を含有し、そのアミノ酸配列のＮ末端側に、配列番号：５で表わされるアミノ酸配列の第１番目（Ｍｅｔ）〜第１００番目（Ａｒｇ）のアミノ酸配列のＣ末端から数えて１〜１００個のアミノ酸が付加していてもよいアミノ酸配列からなるペプチド（ウシＲＦＲＰ−２）、
（ｖｉ）配列番号：５で表わされるアミノ酸配列の第１２７番目（Ｌｅｕ）〜第１３１番目（Ｐｈｅ）のアミノ酸配列を含有し、そのアミノ酸配列のＮ末端側に、配列番号：５で表わされるアミノ酸配列の第１番目（Ｍｅｔ）〜第１２６番目（Ａｓｎ）のアミノ酸配列のＣ末端から数えて１〜１２６個のアミノ酸が付加していてもよいアミノ酸配列からなるペプチド（ウシＲＦＲＰ−３）、
（ｖｉｉ）配列番号：９で表わされるアミノ酸配列の第９０番目（Ｌｅｕ）〜第９４番目（Ｐｈｅ）のアミノ酸配列を含有し、そのアミノ酸配列のＮ末端側に、配列番号：９で表わされるアミノ酸配列の第１番目（Ｍｅｔ）〜第８９番目（Ａｓｎ）のアミノ酸配列のＣ末端から数えて１〜８９個のアミノ酸が付加していてもよいアミノ酸配列からなるペプチド（マウスＲＦＲＰ−１）、
（ｖｉｉｉ）配列番号：９で表わされるアミノ酸配列の第１２１番目（Ｌｅｕ）〜第１２５番目（Ｐｈｅ）のアミノ酸配列を含有し、そのアミノ酸配列のＮ末端側に、配列番号：９で表わされるアミノ酸配列の第１番目（Ｍｅｔ）〜第１２０番目（Ｓｅｒ）のアミノ酸配列のＣ末端から数えて１〜１２０個のアミノ酸が付加していてもよいアミノ酸配列からなるペプチド（マウスＲＦＲＰ−３）、
（ｉｘ）配列番号：７または２２で表わされるアミノ酸配列の第９０番目（Ｌｅｕ）〜第９４番目（Ｐｈｅ）のアミノ酸配列を含有し、そのアミノ酸配列のＮ末端側に、それぞれ配列番号：７または２２で表わされるアミノ酸配列の第１番目（Ｍｅｔ）〜第８９番目（Ｖａｌ）のアミノ酸配列のＣ末端から数えて１〜８９個のアミノ酸が付加していてもよいアミノ酸配列からなるペプチド（ラットＲＦＲＰ−１）、
（ｘ）配列番号：７または２２で表わされるアミノ酸配列の第１２１番目（Ｌｅｕ）〜第１２５番目（Ｐｈｅ）のアミノ酸配列を含有し、そのアミノ酸配列のＮ末端側に、それぞれ配列番号：７または２２で表わされるアミノ酸配列の第１番目（Ｍｅｔ）〜第１２０番目（Ｓｅｒ）のアミノ酸配列のＣ末端から数えて１〜１２０個のアミノ酸が付加していてもよいアミノ酸配列からなるペプチド（ラットＲＦＲＰ−３）、
（ｘｉ）上記（ｉ）〜（ｘ）のペプチドのアミノ酸配列に１〜５個のアミノ酸が付加したアミノ酸配列からなるペプチド、
（ｘｉｉ）上記（ｉ）〜（ｘ）のペプチドのアミノ酸配列に１〜５個のアミノ酸が挿入されたアミノ酸配列からなるペプチド、
（ｘｉｉｉ）上記（ｉ）〜（ｘ）のペプチドのアミノ酸配列中の１〜５個のアミノ酸で置換されたアミノ酸配列からなるペプチド、または
（ｘｉｖ）上記（ｘｉ）〜（ｘｉｉｉ）の付加・挿入・置換を組み合わせたアミノ酸配列からなるペプチドである上記〔１〕記載の剤、
〔４〕部分ペプチドが、
（ｉ）配列番号：１または配列番号：３で表わされるアミノ酸配列の第５６番目（Ｓｅｒ）〜第９２番目（Ｐｈｅ）、第７０番目（Ｍｅｔ）〜第９２番目（Ｐｈｅ）、第７３番目（Ｍｅｔ）〜第９２番目（Ｐｈｅ）、第８１番目（Ｍｅｔ）〜第９２番目（Ｐｈｅ）または第８４番目（Ｓｅｒ）〜第９２番目（Ｐｈｅ）のアミノ酸配列からなるペプチド（ヒトＲＦＲＰ−１）、
（ｉｉ）配列番号：１または配列番号：３で表わされるアミノ酸配列の第１０１番目（Ｓｅｒ）〜第１１２番目（Ｓｅｒ）のアミノ酸配列からなるペプチド（ヒトＲＦＲＰ−２）、
（ｉｉｉ）配列番号：１または配列番号：３で表わされるアミノ酸配列の第１０１番目（Ａｓｎ）〜第１３１番目（Ｐｈｅ）、第１０４番目（Ａｓｎ）〜第１３１番目（Ｐｈｅ）、第１１５番目（Ａｓｎ）〜第１３１番目（Ｐｈｅ）、第１２４番目（Ｖａｌ）〜第１３１番目（Ｐｈｅ）、第１２５番目（Ｐｒｏ）〜第１３１番目（Ｐｈｅ）、第１２６番目（Ａｓｎ）〜第１３１番目（Ｐｈｅ）または第１２７番目（Ｌｅｕ）〜第１３１番目（Ｐｈｅ）のアミノ酸配列からなるペプチド（ヒトＲＦＲＰ−３）、
（ｉｖ）配列番号：５で表わされるアミノ酸配列の第５８番目（Ｓｅｒ）〜第９２番目（Ｐｈｅ）、第７０番目（Ｌｙｓ）〜第９２番目（Ｐｈｅ）、第７３番目（Ｍｅｔ）〜第９２番目（Ｐｈｅ）、第８１番目（Ｍｅｔ）〜第９２番目（Ｐｈｅ）または第８４番目（Ｓｅｒ）〜第９２番目（Ｐｈｅ）のアミノ酸配列からなるペプチド（ウシＲＦＲＰ−１）、
（ｖ）配列番号：５で表わされるアミノ酸配列の第１０１番目（Ｓｅｒ）〜第１１２番目（Ｌｅｕ）のアミノ酸配列からなるペプチド（ウシＲＦＲＰ−２）、
（ｖｉ）配列番号：５で表わされるアミノ酸配列の第１０１番目（Ｓｅｒ）〜第１３１番目（Ｐｈｅ）、第１０４番目（Ａｌａ）〜第１３１番目（Ｐｈｅ）、第１１５番目（Ａｓｎ）〜第１３１番目（Ｐｈｅ）、第１２４番目（Ｖａｌ）〜第１３１番目（Ｐｈｅ）、第１２５番目（Ｐｒｏ）〜第１３１番目（Ｐｈｅ）、第１２６番目（Ａｓｎ）〜第１３１番目（Ｐｈｅ）または第１２７番目（Ｌｅｕ）〜第１３１番目（Ｐｈｅ）のアミノ酸配列からなるペプチド（ウシＲＦＲＰ−３）、
（ｖｉｉ）配列番号：９で表わされるアミノ酸配列の第５８番目（Ｓｅｒ）〜第９４番目（Ｐｈｅ）、第７２番目（Ｖａｌ）〜第９４番目（Ｐｈｅ）、第７５番目（Ｍｅｔ）〜第９４番目（Ｐｈｅ）、第８３番目（Ｖａｌ）〜第９４番目（Ｐｈｅ）または第８４番目（Ｐｒｏ）〜第９４番目（Ｐｈｅ）のアミノ酸配列からなるペプチド（マウスＲＦＲＰ−１）、
（ｖｉｉｉ）配列番号：９で表わされるアミノ酸配列の第１１８番目（Ｐｈｅ）〜第１２５番目（Ｐｈｅ）、第１１９番目（Ｐｒｏ）〜第１２５番目（Ｐｈｅ）、第１２０番目（Ｓｅｒ）〜第１２５番目（Ｐｈｅ）または第１２１番目（Ｌｅｕ）〜第１２５番目（Ｐｈｅ）のアミノ酸配列からなるペプチド（マウスＲＦＲＰ−３）、
（ｉｘ）配列番号：７または２２で表わされるアミノ酸配列の第５８番目（Ｓｅｒ）〜第９４番目（Ｐｈｅ）、第７２番目（Ａｓｐ）〜第９４番目（Ｐｈｅ）、第７５番目（Ｍｅｔ）〜第９４番目（Ｐｈｅ）、第８３番目（Ｖａｌ）〜第９４番目（Ｐｈｅ）または第８４番目（Ｐｒｏ）〜第９４番目（Ｐｈｅ）のアミノ酸配列からなるペプチド（ラットＲＦＲＰ−１）、
（ｘ）配列番号：７または２２で表わされるアミノ酸配列の第１１８番目（Ｐｈｅ）〜第１２５番目（Ｐｈｅ）、第１１９番目（Ｐｒｏ）〜第１２５番目（Ｐｈｅ）、第１２０番目（Ｓｅｒ）〜第１２５番目（Ｐｈｅ）または第１２１番目（Ｌｅｕ）〜第１２５番目（Ｐｈｅ）のアミノ酸配列からなるペプチド（ラットＲＦＲＰ−３）、
（ｘｉ）上記（ｉ）〜（ｘ）のペプチドのアミノ酸配列中の１〜５個のアミノ酸が欠失したアミノ酸配列からなるペプチド（欠失型）、
（ｘｉｉ）上記（ｉ）〜（ｘ）のペプチドのアミノ酸配列に１〜５個のアミノ酸が付加したアミノ酸配列からなるペプチド（付加型）、
（ｘｉｉｉ）上記（ｉ）〜（ｘ）のペプチドのアミノ酸配列に１〜５個のアミノ酸が挿入されたアミノ酸配列からなるペプチド（挿入型）、
（ｘｉｖ）上記（ｉ）〜（ｘ）のペプチドのアミノ酸配列中の１〜５個のアミノ酸で置換されたアミノ酸配列からなるペプチド（置換型）、または
（ｘｖ）上記（ｘｉ）〜（ｘｉｖ）の欠失・付加・挿入・置換を組み合わせたアミノ酸配列からなるペプチドである上記〔１〕記載の剤、
〔５〕配列番号：１で表されるアミノ酸配列と同一もしくは実質的に同一のアミノ酸配列を含有するポリペプチドまたはその部分ペプチドをコードするＤＮＡを含有してなる筋疾患、副腎機能障害、痙攣、攻撃性行動、歩行異常、体温上昇、白血球数減少、血小板数減少、自発行動量（特に、夜間自発行動量）の増加または筋力低下の予防・治療・改善剤、
〔６〕ＤＮＡが配列番号：１、配列番号：３、配列番号：５、配列番号：７、配列番号：９または配列番号：２２で表されるアミノ酸配列からなるポリペプチドをコードするＤＮＡである上記〔５〕記載の剤、
〔７〕ＤＮＡが、
（ｉ）配列番号：１または配列番号：３で表わされるアミノ酸配列の第５６番目（Ｓｅｒ）〜第９２番目（Ｐｈｅ）、第７０番目（Ｍｅｔ）〜第９２番目（Ｐｈｅ）、第７３番目（Ｍｅｔ）〜第９２番目（Ｐｈｅ）、第８１番目（Ｍｅｔ）〜第９２番目（Ｐｈｅ）または第８４番目（Ｓｅｒ）〜第９２番目（Ｐｈｅ）のアミノ酸配列からなるペプチド（ヒトＲＦＲＰ−１）、
（ｉｉ）配列番号：１または配列番号：３で表わされるアミノ酸配列の第１０１番目（Ｓｅｒ）〜第１１２番目（Ｓｅｒ）のアミノ酸配列からなるペプチド（ヒトＲＦＲＰ−２）、
（ｉｉｉ）配列番号：１または配列番号：３で表わされるアミノ酸配列の第１０１番目（Ａｓｎ）〜第１３１番目（Ｐｈｅ）、第１０４番目（Ａｓｎ）〜第１３１番目（Ｐｈｅ）、第１１５番目（Ａｓｎ）〜第１３１番目（Ｐｈｅ）、第１２４番目（Ｖａｌ）〜第１３１番目（Ｐｈｅ）、第１２５番目（Ｐｒｏ）〜第１３１番目（Ｐｈｅ）、第１２６番目（Ａｓｎ）〜第１３１番目（Ｐｈｅ）または第１２７番目（Ｌｅｕ）〜第１３１番目（Ｐｈｅ）のアミノ酸配列からなるペプチド（ヒトＲＦＲＰ−３）、
（ｉｖ）配列番号：５で表わされるアミノ酸配列の第５８番目（Ｓｅｒ）〜第９２番目（Ｐｈｅ）、第７０番目（Ｌｙｓ）〜第９２番目（Ｐｈｅ）、第７３番目（Ｍｅｔ）〜第９２番目（Ｐｈｅ）、第８１番目（Ｍｅｔ）〜第９２番目（Ｐｈｅ）または第８４番目（Ｓｅｒ）〜第９２番目（Ｐｈｅ）のアミノ酸配列からなるペプチド（ウシＲＦＲＰ−１）、
（ｖ）配列番号：５で表わされるアミノ酸配列の第１０１番目（Ｓｅｒ）〜第１１２番目（Ｌｅｕ）のアミノ酸配列からなるペプチド（ウシＲＦＲＰ−２）、
（ｖｉ）配列番号：５で表わされるアミノ酸配列の第１０１番目（Ｓｅｒ）〜第１３１番目（Ｐｈｅ）、第１０４番目（Ａｌａ）〜第１３１番目（Ｐｈｅ）、第１１５番目（Ａｓｎ）〜第１３１番目（Ｐｈｅ）、第１２４番目（Ｖａｌ）〜第１３１番目（Ｐｈｅ）、第１２５番目（Ｐｒｏ）〜第１３１番目（Ｐｈｅ）、第１２６番目（Ａｓｎ）〜第１３１番目（Ｐｈｅ）または第１２７番目（Ｌｅｕ）〜第１３１番目（Ｐｈｅ）のアミノ酸配列からなるペプチド（ウシＲＦＲＰ−３）、
（ｖｉｉ）配列番号：９で表わされるアミノ酸配列の第５８番目（Ｓｅｒ）〜第９４番目（Ｐｈｅ）、第７２番目（Ｖａｌ）〜第９４番目（Ｐｈｅ）、第７５番目（Ｍｅｔ）〜第９４番目（Ｐｈｅ）、第８３番目（Ｖａｌ）〜第９４番目（Ｐｈｅ）または第８４番目（Ｐｒｏ）〜第９４番目（Ｐｈｅ）のアミノ酸配列からなるペプチド（マウスＲＦＲＰ−１）、
（ｖｉｉｉ）配列番号：９で表わされるアミノ酸配列の第１１８番目（Ｐｈｅ）〜第１２５番目（Ｐｈｅ）、第１１９番目（Ｐｒｏ）〜第１２５番目（Ｐｈｅ）、第１２０番目（Ｓｅｒ）〜第１２５番目（Ｐｈｅ）または第１２１番目（Ｌｅｕ）〜第１２５番目（Ｐｈｅ）のアミノ酸配列からなるペプチド（マウスＲＦＲＰ−３）、
（ｉｘ）配列番号：７または２２で表わされるアミノ酸配列の第５８番目（Ｓｅｒ）〜第９４番目（Ｐｈｅ）、第７２番目（Ａｓｐ）〜第９４番目（Ｐｈｅ）、第７５番目（Ｍｅｔ）〜第９４番目（Ｐｈｅ）、第８３番目（Ｖａｌ）〜第９４番目（Ｐｈｅ）または第８４番目（Ｐｒｏ）〜第９４番目（Ｐｈｅ）のアミノ酸配列からなるペプチド（ラットＲＦＲＰ−１）、
（ｘ）配列番号：７または２２で表わされるアミノ酸配列の第１１８番目（Ｐｈｅ）〜第１２５番目（Ｐｈｅ）、第１１９番目（Ｐｒｏ）〜第１２５番目（Ｐｈｅ）、第１２０番目（Ｓｅｒ）〜第１２５番目（Ｐｈｅ）または第１２１番目（Ｌｅｕ）〜第１２５番目（Ｐｈｅ）のアミノ酸配列からなるペプチド（ラットＲＦＲＰ−３）、
（ｘｉ）上記（ｉ）〜（ｘ）のペプチドのアミノ酸配列中の１〜５個のアミノ酸が欠失したアミノ酸配列からなるペプチド（欠失型）、
（ｘｉｉ）上記（ｉ）〜（ｘ）のペプチドのアミノ酸配列に１〜５個のアミノ酸が付加したアミノ酸配列からなるペプチド（付加型）、
（ｘｉｉｉ）上記（ｉ）〜（ｘ）のペプチドのアミノ酸配列に１〜５個のアミノ酸が挿入されたアミノ酸配列からなるペプチド（挿入型）、
（ｘｉｖ）上記（ｉ）〜（ｘ）のペプチドのアミノ酸配列中の１〜５個のアミノ酸で置換されたアミノ酸配列からなるペプチド（置換型）、または
（ｘｖ）上記（ｘｉ）〜（ｘｉｖ）の欠失・付加・挿入・置換を組み合わせたアミノ酸配列からなるペプチド、
をコードするＤＮＡである上記〔５〕記載の剤、
〔８〕配列番号：１で表されるアミノ酸配列と同一もしくは実質的に同一のアミノ酸配列を含有するポリペプチドまたはその部分ペプチドをコードするＤＮＡを含有してなる筋疾患、副腎機能障害、痙攣、攻撃性行動、歩行異常、体温変化、白血球数変化、血小板数変化、自発行動量（特に、夜間自発行動量）の変化または筋力変化の診断剤、
〔９〕配列番号：１で表されるアミノ酸配列と同一もしくは実質的に同一のアミノ酸配列を含有するポリペプチド、その部分ペプチドもしくはそのアミドもしくはそのエステルまたはその塩に対する抗体を含有してなる筋疾患、副腎機能障害、体温減少、白血球数増加、血小板数増加または自発行動量（特に、夜間自発行動量）の減少の予防・治療・改善剤、
〔１０〕配列番号：１で表されるアミノ酸配列と同一もしくは実質的に同一のアミノ酸配列を含有するポリペプチド、その部分ペプチドもしくはそのアミドもしくはそのエステルまたはその塩に対する抗体を含有してなる筋疾患、副腎機能障害、痙攣、攻撃性行動、歩行異常、体温変化、白血球数変化、血小板数変化、自発行動量（特に、夜間自発行動量）の変化、筋力変化の診断剤、
〔１１〕配列番号：１で表されるアミノ酸配列と同一もしくは実質的に同一のアミノ酸配列を含有するポリペプチドまたはその部分ペプチドをコードするＤＮＡに相補的な塩基配列またはその一部を含有するアンチセンスＤＮＡを含有してなる筋疾患、副腎機能障害、体温減少、白血球数増加、血小板数増加または自発行動量（特に、夜間自発行動量）の減少の予防・治療・改善剤、
〔１２〕配列番号：１で表されるアミノ酸配列と同一もしくは実質的に同一のアミノ酸配列を含有するポリペプチドまたはその部分ペプチドの発現量を増加させる化合物またはその塩を含有してなる筋疾患、副腎機能障害、痙攣、攻撃性行動、歩行異常、体温上昇、白血球数減少、血小板減少、自発行動量（特に、夜間自発行動量）の増加または筋力低下の予防・治療・改善剤、
〔１３〕配列番号：１で表されるアミノ酸配列と同一もしくは実質的に同一のアミノ酸配列を含有するポリペプチドまたはその部分ペプチドの発現量を減少させる化合物またはその塩を含有してなる筋疾患、副腎機能障害、体温減少、白血球数増加、血小板数増加または自発行動量（特に、夜間自発行動量）の減少の予防・治療・改善剤、
〔１４〕配列番号：１１で表されるアミノ酸配列と同一もしくは実質的に同一のアミノ酸配列を含有するレセプター蛋白質ＯＴ７Ｔ０２２、その部分ペプチドまたはその塩を含有してなる筋疾患、副腎機能障害、痙攣、攻撃性行動、歩行異常、体温上昇、白血球数減少、血小板数減少、自発行動量（特に、夜間自発行動量）の増加または筋力低下の予防・治療・改善剤、
〔１５〕ＯＴ７Ｔ０２２が配列番号：１１で表されるアミノ酸配列からなるレセプター蛋白質である上記〔１４〕記載の剤、
〔１６〕配列番号：１１で表されるアミノ酸配列と同一もしくは実質的に同一のアミノ酸配列を含有するレセプター蛋白質ＯＴ７Ｔ０２２またはその部分ペプチドをコードするＤＮＡを含有してなる筋疾患、副腎機能障害、痙攣、攻撃性行動、歩行異常、体温上昇、白血球数減少、血小板数減少、自発行動量（特に、夜間自発行動量）の増加または筋力低下の予防・治療・改善剤、
〔１７〕ＤＮＡが配列番号：１１で表されるアミノ酸配列からなるレセプター蛋白質ＯＴ７Ｔ０２２またはその部分ペプチドをコードするＤＮＡである上記〔１６〕記載の剤、
〔１８〕配列番号：１１で表されるアミノ酸配列と同一もしくは実質的に同一のアミノ酸配列を含有するレセプター蛋白質ＯＴ７Ｔ０２２またはその部分ペプチドをコードするＤＮＡを含有してなる筋疾患、副腎機能障害、痙攣、攻撃性行動、歩行異常、体温変化、白血球数変化、血小板数変化、自発行動量（特に、夜間自発行動量）の変化または筋力変化の診断剤、
〔１９〕配列番号：１１で表されるアミノ酸配列と同一もしくは実質的に同一のアミノ酸配列を含有するレセプター蛋白質ＯＴ７Ｔ０２２、その部分ペプチドまたはその塩に対する抗体を含有してなる筋疾患、副腎機能障害、体温減少、白血球数増加、血小板数増加または自発行動量（特に、夜間自発行動量）の減少の予防・治療・改善剤、
〔２０〕配列番号：１１で表されるアミノ酸配列と同一もしくは実質的に同一のアミノ酸配列を含有するレセプター蛋白質ＯＴ７Ｔ０２２、その部分ペプチドまたはその塩に対する抗体を含有してなる筋疾患、副腎機能障害、痙攣、攻撃性行動、歩行異常、体温変化、白血球数変化、血小板数変化、自発行動量（特に、夜間自発行動量）の変化または筋力変化の診断剤、
〔２１〕配列番号：１１で表されるアミノ酸配列と同一もしくは実質的に同一のアミノ酸配列を含有するレセプター蛋白質ＯＴ７Ｔ０２２またはその部分ペプチドをコードするＤＮＡに相補的な塩基配列またはその一部を含有するアンチセンスＤＮＡを含有してなる筋疾患、副腎機能障害、体温減少、白血球数増加、血小板数増加または自発行動量（特に、夜間自発行動量）の減少の予防・治療・改善剤、
〔２２〕配列番号：１１で表されるアミノ酸配列と同一もしくは実質的に同一のアミノ酸配列を含有するレセプター蛋白質ＯＴ７Ｔ０２２、その部分ペプチドまたはその塩に対するアゴニストを含有してなる筋疾患、副腎機能障害、痙攣、攻撃性行動、歩行異常、体温上昇、白血球数減少、血小板数減少、自発行動量（特に、夜間自発行動量）の増加または筋力低下の予防・治療・改善剤、
〔２３〕配列番号：１１で表されるアミノ酸配列と同一もしくは実質的に同一のアミノ酸配列を含有するレセプター蛋白質ＯＴ７Ｔ０２２、その部分ペプチドまたはその塩に対するアンタゴニストを含有してなる筋疾患、副腎機能障害、体温減少、白血球数増加、血小板数増加または自発行動量（特に、夜間自発行動量）の減少の予防・治療・改善剤、
〔２４〕配列番号：１１で表されるアミノ酸配列と同一もしくは実質的に同一のアミノ酸配列を含有するレセプター蛋白質ＯＴ７Ｔ０２２またはその部分ペプチドの発現量を増加させる化合物またはその塩を含有してなる筋疾患、副腎機能障害、痙攣、攻撃性行動、歩行異常、体温上昇、白血球数減少、血小板数減少、自発行動量（特に、夜間自発行動量）の増加または筋力低下の予防・治療・改善剤、
〔２５〕配列番号：１１で表されるアミノ酸配列と同一もしくは実質的に同一のアミノ酸配列を含有するレセプター蛋白質ＯＴ７Ｔ０２２またはその部分ペプチドの発現量を減少させる化合物またはその塩を含有してなる筋疾患、副腎機能障害、体温減少、白血球数増加、血小板数増加または自発行動量（特に、夜間自発行動量）の減少の予防・治療・改善剤、
〔２６〕哺乳動物に対して、
（ｉ）配列番号：１で表されるアミノ酸配列と同一もしくは実質的に同一のアミノ酸配列を含有するポリペプチド、その部分ペプチドもしくはそのアミドもしくはそのエステルまたはその塩、
（ｉｉ）配列番号：１で表されるアミノ酸配列と同一もしくは実質的に同一のアミノ酸配列を含有するポリペプチドまたはその部分ペプチドをコードするＤＮＡ、
（ｉｉｉ）配列番号：１で表されるアミノ酸配列と同一もしくは実質的に同一のアミノ酸配列を含有するポリペプチドまたはその部分ペプチドの発現量を増加させる化合物またはその塩、
（ｉｖ）配列番号：１１で表されるアミノ酸配列と同一もしくは実質的に同一のアミノ酸配列を含有するレセプター蛋白質ＯＴ７Ｔ０２２、その部分ペプチドまたはその塩、
（ｖ）配列番号：１１で表されるアミノ酸配列と同一もしくは実質的に同一のアミノ酸配列を含有するレセプター蛋白質ＯＴ７Ｔ０２２またはその部分ペプチドをコードするＤＮＡ、
（ｖｉ）配列番号：１１で表されるアミノ酸配列と同一もしくは実質的に同一のアミノ酸配列を含有するレセプター蛋白質ＯＴ７Ｔ０２２、その部分ペプチドまたはその塩に対するアゴニスト、または
（ｖｉｉ）配列番号：１１で表されるアミノ酸配列と同一もしくは実質的に同一のアミノ酸配列を含有するレセプター蛋白質ＯＴ７Ｔ０２２またはその部分ペプチドの発現量を増加させる化合物またはその塩の有効量を投与することを特徴とする筋疾患、副腎機能障害、痙攣、攻撃性行動、歩行異常、体温上昇、白血球数減少、血小板数減少、自発行動量（特に、夜間自発行動量）の増加または筋力低下の予防・治療・改善方法、
〔２７〕哺乳動物に対して、
（ｉ）配列番号：１で表されるアミノ酸配列と同一もしくは実質的に同一のアミノ酸配列を含有するポリペプチド、その部分ペプチドもしくはそのアミドもしくはそのエステルまたはその塩に対する抗体、
（ｉｉ）配列番号：１で表されるアミノ酸配列と同一もしくは実質的に同一のアミノ酸配列を含有するポリペプチドまたはその部分ペプチドをコードするＤＮＡに相補的な塩基配列またはその一部を含有するアンチセンスＤＮＡ、
（ｉｉｉ）配列番号：１で表されるアミノ酸配列と同一もしくは実質的に同一のアミノ酸配列を含有するポリペプチドまたはその部分ペプチドの発現量を減少させる化合物またはその塩、
（ｉｖ）配列番号：１１で表されるアミノ酸配列と同一もしくは実質的に同一のアミノ酸配列を含有するレセプター蛋白質ＯＴ７Ｔ０２２、その部分ペプチドまたはその塩に対する抗体、
（ｖ）配列番号：１１で表されるアミノ酸配列と同一もしくは実質的に同一のアミノ酸配列を含有するレセプター蛋白質ＯＴ７Ｔ０２２またはその部分ペプチドをコードするＤＮＡに相補的な塩基配列またはその一部を含有するアンチセンスＤＮＡ、
（ｖｉ）配列番号：１１で表されるアミノ酸配列と同一もしくは実質的に同一のアミノ酸配列を含有するレセプター蛋白質ＯＴ７Ｔ０２２、その部分ペプチドまたはその塩に対するアンタゴニスト、または
（ｖｉｉ）配列番号：１１で表されるアミノ酸配列と同一もしくは実質的に同一のアミノ酸配列を含有するレセプター蛋白質ＯＴ７Ｔ０２２またはその部分ペプチドの発現量を減少させる化合物またはその塩の有効量を投与することを特徴とする筋疾患、副腎機能障害、体温減少、白血球数増加、血小板数増加または自発行動量（特に、夜間自発行動量）の減少の予防・治療・改善方法、
〔２８〕筋疾患、副腎機能障害、痙攣、攻撃性行動、歩行異常、体温上昇、白血球数減少、血小板数減少、自発行動量（特に、夜間自発行動量）の増加または筋力低下の予防・治療・改善剤を製造するための
（ｉ）配列番号：１で表されるアミノ酸配列と同一もしくは実質的に同一のアミノ酸配列を含有するポリペプチド、その部分ペプチドもしくはそのアミドもしくはそのエステルまたはその塩、
（ｉｉ）配列番号：１で表されるアミノ酸配列と同一もしくは実質的に同一のアミノ酸配列を含有するポリペプチドまたはその部分ペプチドをコードするＤＮＡ、
（ｉｉｉ）配列番号：１で表されるアミノ酸配列と同一もしくは実質的に同一のアミノ酸配列を含有するポリペプチドまたはその部分ペプチドの発現量を増加させる化合物またはその塩、
（ｉｖ）配列番号：１１で表されるアミノ酸配列と同一もしくは実質的に同一のアミノ酸配列を含有するレセプター蛋白質ＯＴ７Ｔ０２２、その部分ペプチドまたはその塩、
（ｖ）配列番号：１１で表されるアミノ酸配列と同一もしくは実質的に同一のアミノ酸配列を含有するレセプター蛋白質ＯＴ７Ｔ０２２またはその部分ペプチドをコードするＤＮＡ、
（ｖｉ）配列番号：１１で表されるアミノ酸配列と同一もしくは実質的に同一のアミノ酸配列を含有するレセプター蛋白質ＯＴ７Ｔ０２２、その部分ペプチドまたはその塩に対するアゴニスト、または
（ｖｉｉ）配列番号：１１で表されるアミノ酸配列と同一もしくは実質的に同一のアミノ酸配列を含有するレセプター蛋白質ＯＴ７Ｔ０２２またはその部分ペプチドの発現量を増加させる化合物またはその塩の使用、
〔２９〕筋疾患、副腎機能障害、体温減少、白血球数増加、血小板数増加または自発行動量（特に、夜間自発行動量）の減少の予防・治療・改善剤を製造するための
（ｉ）配列番号：１で表されるアミノ酸配列と同一もしくは実質的に同一のアミノ酸配列を含有するポリペプチド、その部分ペプチドもしくはそのアミドもしくはそのエステルまたはその塩に対する抗体、
（ｉｉ）配列番号：１で表されるアミノ酸配列と同一もしくは実質的に同一のアミノ酸配列を含有するポリペプチドまたはその部分ペプチドをコードするＤＮＡに相補的な塩基配列またはその一部を含有するアンチセンスＤＮＡ、
（ｉｉｉ）配列番号：１で表されるアミノ酸配列と同一もしくは実質的に同一のアミノ酸配列を含有するポリペプチドまたはその部分ペプチドの発現量を減少させる化合物またはその塩、
（ｉｖ）配列番号：１１で表されるアミノ酸配列と同一もしくは実質的に同一のアミノ酸配列を含有するレセプター蛋白質ＯＴ７Ｔ０２２、その部分ペプチドまたはその塩に対する抗体、
（ｖ）配列番号：１１で表されるアミノ酸配列と同一もしくは実質的に同一のアミノ酸配列を含有するレセプター蛋白質ＯＴ７Ｔ０２２またはその部分ペプチドをコードするＤＮＡに相補的な塩基配列またはその一部を含有するアンチセンスＤＮＡ、
（ｖｉ）配列番号：１１で表されるアミノ酸配列と同一もしくは実質的に同一のアミノ酸配列を含有するレセプター蛋白質ＯＴ７Ｔ０２２、その部分ペプチドまたはその塩に対するアンタゴニスト、または
（ｖｉｉ）配列番号：１１で表されるアミノ酸配列と同一もしくは実質的に同一のアミノ酸配列を含有するレセプター蛋白質ＯＴ７Ｔ０２２またはその部分ペプチドの発現量を減少させる化合物またはその塩の使用、
〔３０〕ＯＴ７Ｔ０２２遺伝子が不活性化された哺乳動物胚幹細胞、
〔３１〕薬剤耐性である上記〔３０〕記載の胚幹細胞、
〔３２〕薬剤がネオマイシンである上記〔２９〕記載の胚幹細胞、
〔３３〕レポーター遺伝子の挿入によりＯＴ７Ｔ０２２遺伝子が不活性化された上記〔３０〕記載の胚幹細胞、
〔３４〕レポーター遺伝子がｌａｃＺ遺伝子である上記〔３３〕記載の胚幹細胞、
〔３５〕哺乳動物がマウスである上記〔３０〕記載の胚幹細胞、
〔３６〕ＯＴ７Ｔ０２２遺伝子が配列番号：１２、配列番号：２５、配列番号：２６、配列番号：２８または配列番号：３２で表わされる塩基配列を含有する遺伝子である上記〔３０〕記載の胚幹細胞、
〔３７〕ＯＴ７Ｔ０２２遺伝子発現不全非ヒト哺乳動物、
〔３８〕レポーター遺伝子の挿入によりＯＴ７Ｔ０２２遺伝子が不活性化された上記〔３７〕記載の動物、
〔３９〕非ヒト哺乳動物がマウスである上記〔３７〕記載の動物、
〔４０〕ＯＴ７Ｔ０２２遺伝子が配列番号：１２、配列番号：２８または配列番号：３２で表わされる塩基配列を含有する遺伝子である上記〔３７〕記載の動物、
〔４１〕野生型非ヒト哺乳動物に比べて、胸腺退縮遅延がみられる上記〔３７〕記載の動物、
〔４２〕野生型非ヒト哺乳動物に比べて、後退歩行がみられる上記〔３７〕記載の動物、
〔４３〕野生型非ヒト哺乳動物に比べて、侵害刺激（例、熱侵害刺激）に対して鈍麻がみられる上記〔３７〕記載の動物、
〔４４〕野生型非ヒト哺乳動物に比べて、攻撃的行動が多い上記〔３７〕記載の動物、
〔４５〕野生型非ヒト哺乳動物に比べて、腎臓絶対重量または胸腺絶対重量の低下がみられる上記〔３７〕記載の動物、
〔４６〕野生型非ヒト哺乳動物に比べて、白血球数または血小板数の減少がみられる上記〔３７〕記載の動物、
〔４７〕野生型非ヒト哺乳動物に比べて、筋力が低下している上記〔３７〕記載の動物、
〔４８〕上記〔３７〕記載の動物もしくはその組織またはそれらに由来する細胞を用いることを特徴とする、痛覚障害、眼疾患、下垂体疾患、筋疾患、心疾患、血液疾患、腎疾患、免疫疾患、副腎機能障害、摂食障害、肥満、情動障害、精神分裂病、うつ病、不安症、性機能障害、肥満、痙攣、てんかん、攻撃性行動、歩行異常、体温上昇、白血球数減少、血小板数減少、自発行動量（特に、夜間自発行動量）の増加または筋力低下の予防・治療・改善薬のスクリーニング方法、
〔４９〕上記〔３７〕記載の動物もしくはその組織またはそれらに由来する細胞に試験化合物を投与することを特徴とする上記〔４８〕記載のスクリーニング方法、
〔５０〕上記〔４８〕記載のスクリーニング方法により得られる、痛覚障害、眼疾患、下垂体疾患、筋疾患、心疾患、血液疾患、腎疾患、免疫疾患、副腎機能障害、摂食障害、肥満、情動障害、精神分裂病、うつ病、不安症、性機能障害、肥満、痙攣、てんかん、攻撃性行動、歩行異常、体温上昇、白血球数減少、血小板数減少、自発行動量（特に、夜間自発行動量）の増加または筋力低下の予防・治療・改善薬、
〔５１〕上記〔４８〕記載のスクリーニング方法により得られる予防・治療・改善薬を含有してなる痛覚障害、眼疾患、下垂体疾患、筋疾患、心疾患、血液疾患、腎疾患、免疫疾患、副腎機能障害、摂食障害、肥満、情動障害、精神分裂病、うつ病、不安症、性機能障害、肥満、痙攣、てんかん、攻撃性行動、歩行異常、体温上昇、白血球数減少、血小板数減少、自発行動量（特に、夜間自発行動量）の増加または筋力低下の予防・治療・改善剤、
〔５２〕上記〔３７〕記載の動物と他の病態モデル動物との交配によって生じる病態モデル動物、
〔５３〕上記〔３７〕記載の動物に対する薬剤誘発またはストレス負荷によって生じる病態モデル動物、
〔５４〕上記〔５２〕記載の動物に対する薬剤誘発またはストレス負荷によって生じる病体モデル動物、
〔５５〕上記〔５２〕〜〔５４〕のいずれかに記載の動物もしくはその組織またはそれらに由来する細胞を用いることを特徴とする、痛覚障害、眼疾患、下垂体疾患、筋疾患、心疾患、血液疾患、腎疾患、免疫疾患、副腎機能障害、摂食障害、肥満、情動障害、精神分裂病、うつ病、不安症、性機能障害、肥満、痙攣、てんかん、攻撃性行動、歩行異常、体温上昇、白血球数減少、血小板数減少、自発行動量（特に、夜間自発行動量）の増加または筋力低下の予防・治療・改善薬のスクリーニング方法、
〔５６〕上記〔５２〕〜〔５４〕のいずれかに記載の動物もしくはその組織またはそれらに由来する細胞に試験化合物を投与することを特徴とする、痛覚障害、眼疾患、下垂体疾患、筋疾患、心疾患、血液疾患、腎疾患、免疫疾患、副腎機能障害、摂食障害、肥満、情動障害、精神分裂病、うつ病、不安症、性機能障害、肥満、痙攣、てんかん、攻撃性行動、歩行異常、体温上昇、白血球数減少、血小板数減少、自発行動量（特に、夜間自発行動量）の増加または筋力低下の予防・治療・改善薬のスクリーニング方法、
〔５７〕上記〔５５〕または〔５６〕記載のスクリーニング方法により得られる、痛覚障害、眼疾患、下垂体疾患、筋疾患、心疾患、血液疾患、腎疾患、免疫疾患、副腎機能障害、摂食障害、肥満、情動障害、精神分裂病、うつ病、不安症、性機能障害、肥満、痙攣、てんかん、攻撃性行動、歩行異常、体温上昇、白血球数減少、血小板数減少、自発行動量（特に、夜間自発行動量）の増加または筋力低下の予防・治療・改善薬、
〔５８〕上記〔５５〕または〔５６〕記載のスクリーニング方法により得られる予防・治療・改善薬を含有してなる痛覚障害、眼疾患、下垂体疾患、筋疾患、心疾患、血液疾患、腎疾患、免疫疾患、副腎機能障害、摂食障害、肥満、情動障害、精神分裂病、うつ病、不安症、性機能障害、肥満、痙攣、てんかん、攻撃性行動、歩行異常、体温上昇、白血球数減少、血小板数減少、自発行動量（特に、夜間自発行動量）の増加または筋力低下の予防・治療・改善剤、
〔５９〕上記〔３８〕記載の動物に、試験化合物を投与し、レポーター遺伝子の発現を検出することを特徴とするＯＴ７Ｔ０２２遺伝子に対するプロモーター活性を促進または阻害する化合物またはその塩のスクリーニング方法、
〔６０〕上記〔５９〕記載のスクリーニング方法で得られうるＯＴ７Ｔ０２２遺伝子に対するプロモーター活性を促進または阻害する化合物またはその塩、
〔６１〕上記〔５９〕記載のスクリーニング方法で得られうるＯＴ７Ｔ０２２遺伝子に対するプロモーター活性を促進する化合物またはその塩を含有してなる痛覚障害、眼疾患、下垂体疾患、筋疾患、心疾患、血液疾患、腎疾患、免疫疾患、副腎機能障害、摂食障害、肥満、情動障害、精神分裂病、うつ病、不安症、性機能障害、肥満、痙攣、てんかん、攻撃性行動、歩行異常、体温上昇、白血球数減少、血小板数減少、自発行動量（特に、夜間自発行動量）の増加または筋力低下の予防・治療・改善剤、
〔６２〕上記〔５９〕記載のスクリーニング方法で得られうるＯＴ７Ｔ０２２遺伝子に対するプロモーター活性を阻害する化合物またはその塩を含有してなる筋疾患、副腎機能障害、体温減少、白血球数増加、血小板数増加または自発行動量（特に、夜間自発行動量）の減少の予防・治療・改善剤、鎮痛剤、モルヒネの鎮痛作用促進剤、モルヒネ耐性回避剤またはモルヒネ依存性回避剤、
〔６３〕配列番号：１で表されるアミノ酸配列と同一もしくは実質的に同一のアミノ酸配列を含有するポリペプチド、その部分ペプチドもしくはそのアミドもしくはそのエステルまたはその塩、および（または）配列番号：１１で表されるアミノ酸配列と同一もしくは実質的に同一のアミノ酸配列を含有するレセプター蛋白質ＯＴ７Ｔ０２２、その部分ペプチドまたはその塩を用いることを特徴とする筋疾患、副腎機能障害、痙攣、攻撃性行動、歩行異常、体温上昇、白血球数減少、血小板数減少、自発行動量（特に、夜間自発行動量）の増加、筋力低下、体温減少、白血球数増加、血小板数増加または自発行動量（特に、夜間自発行動量）の減少の減少の予防・治療・改善薬のスクリーニング方法、および
〔６４〕配列番号：１で表されるアミノ酸配列と同一もしくは実質的に同一のアミノ酸配列を含有するポリペプチド、その部分ペプチドもしくはそのアミドもしくはそのエステルまたはその塩、および（または）配列番号：１１で表されるアミノ酸配列と同一もしくは実質的に同一のアミノ酸配列を含有するレセプター蛋白質ＯＴ７Ｔ０２２、その部分ペプチドまたはその塩を含有してなる筋疾患、副腎機能障害、痙攣、攻撃性行動、歩行異常、体温上昇、白血球数減少、血小板数減少、自発行動量（特に、夜間自発行動量）の増加、筋力低下、体温減少、白血球数増加、血小板数増加または自発行動量（特に、夜間自発行動量）の減少の予防・治療・改善薬のスクリーニング用キットを提供する。
【０００７】
【発明の実施の形態】
本発明で用いられるＲＦＲＰは、配列番号：１で表わされるアミノ酸配列と同一もしくは実質的に同一のアミノ酸配列を含有するポリペプチド（以下、ＲＦＲＰと称する場合がある）であり、ヒトや温血動物（例えば、モルモット、ラット、マウス、ニワトリ、ウサギ、ブタ、ヒツジ、ウシ、サルなど）の細胞（例えば、網膜細胞、肝細胞、脾細胞、神経細胞、グリア細胞、膵臓β細胞、骨髄細胞、メサンギウム細胞、ランゲルハンス細胞、表皮細胞、上皮細胞、内皮細胞、繊維芽細胞、繊維細胞、筋細胞、脂肪細胞、免疫細胞（例、マクロファージ、Ｔ細胞、Ｂ細胞、ナチュラルキラー細胞、肥満細胞、好中球、好塩基球、好酸球、単球）、巨核球、滑膜細胞、軟骨細胞、骨細胞、骨芽細胞、破骨細胞、乳腺細胞、肝細胞もしくは間質細胞、またはこれら細胞の前駆細胞、幹細胞もしくは癌細胞など）もしくはそれらの細胞が存在するあらゆる組織、例えば、脳、脳の各部位（例、網膜、嗅球、扁桃核、大脳基底球、海馬、視床、視床下部、大脳皮質、延髄、小脳）、脊髄、下垂体、胃、膵臓、腎臓、肝臓、生殖腺、甲状腺、胆のう、骨髄、副腎、皮膚、筋肉、肺、消化管（例、大腸、小腸）、血管、心臓、胸腺、脾臓、顎下腺、末梢血、前立腺、睾丸、卵巣、胎盤、子宮、骨、関節、骨格筋など、または血球系の細胞もしくはその培養細胞（例えば、ＭＥＬ，Ｍ１，ＣＴＬＬ−２，ＨＴ−２，ＷＥＨＩ−３，ＨＬ−６０，ＪＯＳＫ−１，Ｋ５６２，ＭＬ−１，ＭＯＬＴ−３，ＭＯＬＴ−４，ＭＯＬＴ−１０，ＣＣＲＦ−ＣＥＭ，ＴＡＬＬ−１，Ｊｕｒｋａｔ，ＣＣＲＴ−ＨＳＢ−２，ＫＥ−３７，ＳＫＷ−３，ＨＵＴ−７８，ＨＵＴ−１０２，Ｈ９，Ｕ９３７，ＴＨＰ−１，ＨＥＬ，ＪＫ−１，ＣＭＫ，ＫＯ−８１２，ＭＥＧ−０１など）に由来するポリペプチドであってもよく、合成ポリペプチドであってもよい。
配列番号：１で表わされるアミノ酸配列と実質的に同一のアミノ酸配列としては、配列番号：１で表わされるアミノ酸配列と約７０％以上、好ましくは約８０％以上、より好ましくは約９０％以上、さらに好ましくは約９５％以上の相同性を有するアミノ酸配列などがあげられる。
アミノ酸配列の相同性は、相同性計算アルゴリズムＮＣＢＩ　ＢＬＡＳＴ（Ｎａｔｉｏｎａｌ　Ｃｅｎｔｅｒ　ｆｏｒ　Ｂｉｏｔｅｃｈｎｏｌｏｇｙ　Ｉｎｆｏｒｍａｔｉｏｎ　Ｂａｓｉｃ　Ｌｏｃａｌ　Ａｌｉｇｎｍｅｎｔ　Ｓｅａｒｃｈ　Ｔｏｏｌ）を用い、以下の条件（期待値＝１０；ギャップを許す；マトリクス＝ＢＬＯＳＵＭ６２；フィルタリング＝ＯＦＦ）にて計算することができる。例えば、配列番号：１で表わされるアミノ酸配列と実質的に同一のアミノ酸配列としては、配列番号：１で表わされるアミノ酸配列の第２２〜１８０番目のアミノ酸配列を有するアミノ酸配列や、配列番号：３、配列番号：５、配列番号：７、配列番号：９または配列番号：２２で表されるアミノ酸配列などがあげられる。
【０００８】
本発明に用いられるＲＦＲＰは、具体的には、前記の配列番号：１で表わされるアミノ酸配列からなるポリペプチドまたは配列番号：１で表わされるアミノ酸配列と実質的に同一のアミノ酸配列（例えば、配列番号：３、配列番号：５、配列番号：７、配列番号：９または配列番号：２２で表されるアミノ酸配列など）を有し、配列番号：１で表わされるアミノ酸配列からなるポリペプチドと実質的に同質のプロラクチン分泌促進活性などを有するポリペプチドである。
実質的に同質とは、プロラクチン分泌促進活性などが性質的に（例、生理化学的に、または薬理学的に）同質であることを示す。従って、プロラクチン分泌促進活性が同等（例、約０．１〜１００倍、好ましくは約０．５〜１０倍、より好ましくは０．５〜２倍）であることが好ましいが、これらの活性の程度、ポリペプチドの分子量などの量的要素は異なっていてもよい。
プロラクチン分泌促進活性の測定は、自体公知の方法に準じて行なうことができるが、例えば、ＷＯ０１／６６１３４号の実施例１に従って測定することができる。
また、ＲＦＲＰとしては、例えば、▲１▼配列番号：１、配列番号：３、配列番号：５、配列番号：７、配列番号：９または配列番号：２２で表わされるアミノ酸配列中の１〜２０個（好ましくは、１〜１５個、さらに好ましくは、１〜５個、より好ましくは、１〜３個）のアミノ酸が欠失したアミノ酸配列、▲２▼配列番号：１、配列番号：３、配列番号：５、配列番号：７、配列番号：９または配列番号：２２で表わされるアミノ酸配列に１〜２０個（好ましくは、１〜１５個、さらに好ましくは、１〜５個、より好ましくは、１〜３個）のアミノ酸が付加したアミノ酸配列、▲３▼配列番号：１、配列番号：３、配列番号：５、配列番号：７、配列番号：９または配列番号：２２で表わされるアミノ酸配列に１〜２０個（好ましくは、１〜１５個、さらに好ましくは、１〜５個、より好ましくは、１〜３個）のアミノ酸が挿入されたアミノ酸配列、▲４▼配列番号：１、配列番号：３、配列番号：５、配列番号：７、配列番号：９または配列番号：２２で表わされるアミノ酸配列中の１〜２０個（好ましくは、１〜１５個、さらに好ましくは、１〜５個、より好ましくは、１〜３個）のアミノ酸が他のアミノ酸で置換されたアミノ酸配列、または▲５▼それら欠失・付加・挿入・置換を組み合わせたアミノ酸配列を有するポリペプチドも含まれる。
上記のようにアミノ酸配列が欠失、付加、挿入または置換されている場合、その欠失、付加、挿入または置換の位置は特に限定されない。
【０００９】
本明細書におけるポリペプチドは、ペプチド標記の慣例に従って左端がＮ末端（アミノ末端）、右端がＣ末端（カルボキシル末端）である。配列番号：１で表わされるアミノ酸配列からなるヒトＲＦＲＰをはじめとするＲＦＲＰは、Ｃ末端がカルボキシル基（−ＣＯＯＨ）、カルボキシレート（−ＣＯＯ−）、アミド（−ＣＯＮＨ２）またはエステル（−ＣＯＯＲ）の何れであってもよい。
ここでエステルにおけるＲとしては、例えば、メチル、エチル、ｎ−プロピル、イソプロピルもしくはｎ−ブチルなどのＣ１−６アルキル基、例えば、シクロペンチル、シクロヘキシルなどのＣ３−８シクロアルキル基、例えば、フェニル、α−ナフチルなどのＣ６−１２アリール基、例えば、ベンジル、フェネチルなどのフェニル−Ｃ１−２アルキル基もしくはα−ナフチルメチルなどのα−ナフチル−Ｃ１−２アルキル基などのＣ７−１４アラルキル基のほか、経口用エステルとして汎用されるピバロイルオキシメチル基などが用いられる。
ＲＦＲＰがＣ末端以外にカルボキシル基（またはカルボキシレート）を有している場合、カルボキシル基がアミド化またはエステル化されているものも本発明でいうＲＦＲＰの範囲に含まれる。この場合のエステルとしては、例えば上記したＣ末端のエステルなどが用いられる。
さらに、ＲＦＲＰには、Ｎ末端のアミノ酸残基（例、メチオニン残基）のアミノ基が保護基（例えば、ホルミル基、アセチル基などのＣ１−６アルカノイルなどのＣ１−６アシル基など）で保護されているもの、生体内で切断されて生成するＮ末端のグルタミル基がピログルタミン酸化したもの、分子内のアミノ酸の側鎖上の置換基（例えば−ＯＨ、−ＳＨ、アミノ基、イミダゾール基、インドール基、グアニジノ基など）が適当な保護基（例えば、ホルミル基、アセチル基などのＣ１−６アルカノイル基などのＣ１−６アシル基など）で保護されているもの、あるいは糖鎖が結合したいわゆる糖蛋白質などの複合蛋白質なども含まれる。以下、これらのポリペプチドを含めてＲＦＲＰと略称することもある。
【００１０】
本発明で用いられるＲＦＲＰの具体例としては、例えば、配列番号：１で表わされるアミノ酸配列からなるヒトＲＦＲＰ、配列番号：３で表わされるアミノ酸配列からなるヒトＲＦＲＰ、配列番号：５で表わされるアミノ酸配列からなるウシＲＦＲＰ、配列番号：７で表わされるアミノ酸配列からなるラットＲＦＲＰ、配列番号：９で表わされるアミノ酸配列からなるマウスＲＦＲＰ、配列番号：２２で表わされるアミノ酸配列からなるラットＲＦＲＰなどが用いられ、例えば、配列番号：１で表わされるアミノ酸配列からなるヒトＲＦＲＰ、配列番号：３で表わされるアミノ酸配列からなるヒトＲＦＲＰ、配列番号：５で表わされるアミノ酸配列からなるウシＲＦＲＰが好ましく用いられる。
【００１１】
ＲＦＲＰの部分ペプチド（以下、ＲＦＲＰ部分ペプチドと称する場合がある）としては、前記したＲＦＲＰの部分ペプチドであって、後述するＯＴ７Ｔ０２２（配列番号：１１で表されるアミノ酸配列と同一もしくは実質的に同一のアミノ酸配列を含有するレセプター蛋白質またはその塩）に結合する能力を有するものであれば、いかなるものでもよい。
また、ＲＦＲＰ部分ペプチドは、そのアミノ酸配列中の１〜５個（好ましくは、１〜３個のアミノ酸が欠失し、または、そのアミノ酸配列に１〜５個（好ましくは、１〜３個）のアミノ酸が付加し、または、そのアミノ酸配列に１〜５個（好ましくは、１〜３個のアミノ酸が挿入され、または、そのアミノ酸配列中の１〜５個（好ましくは、１〜３個のアミノ酸が他のアミノ酸で置換されたアミノ酸配列からなるものであってもよく、または、それら欠失・付加・挿入・置換を組み合わせたアミノ酸配列からなるものであってもよい。
また、ＲＦＲＰ部分ペプチドはＣ末端がカルボキシル基（−ＣＯＯＨ）、カルボキシレート（−ＣＯＯ−）、アミド（−ＣＯＮＨ２）またはエステル（−ＣＯＯＲ）（Ｒは上記と同意義を示す）のいずれであってもよい。なかでも、Ｃ末端がアミド（−ＣＯＮＨ２）であるものが好ましい。
ＲＦＲＰ部分ペプチドがＣ末端以外にカルボキシル基（またはカルボキシレート）を有している場合、カルボキシル基がアミド化またはエステル化されているものも本発明でいうＲＦＲＰ部分ペプチドに含まれる。この場合のエステルとしては、例えば上記したＣ末端のエステルなどが用いられる。
さらに、ＲＦＲＰ部分ペプチドには、前記したＲＦＲＰと同様に、Ｎ末端のアミノ酸残基（例、メチオニン残基）のアミノ基が保護基で保護されているもの、Ｎ端側が生体内で切断され生成したグルタミル基がピログルタミン酸化したもの、分子内のアミノ酸の側鎖上の置換基が適当な保護基で保護されているもの、あるいは糖鎖が結合したいわゆる糖ペプチドなどの複合ペプチドなども含まれる。以下、これらの部分ペプチドも含めてＲＦＲＰ部分ペプチドと略称することもある。
ＲＦＲＰ部分ペプチドとして好ましくは、ＲＦａｍｉｄｅ、ＲＳａｍｉｄｅまたはＲＬａｍｉｄｅ構造を有するペプチド、より好ましくは、ＲＦａｍｉｄｅまたはＲＳａｍｉｄｅ構造を有するペプチド、特に好ましくは、ＲＦａｍｉｄｅを有するペプチドが挙げられる。ＲＦａｍｉｄｅ構造とは、ぺプチドのＣ末端がＡｒｇｉｎｉｎｅ（アルギニン）−Ｐｈｅｎｙｌａｌａｎｉｎｅ（フェニルアラニン）−ＮＨ２構造になっていることをいい、ＲＳａｍｉｄｅ構造とは、ぺプチドのＣ末端がＡｒｇｉｎｉｎｅ（アルギニン）−Ｓｅｒｉｎｅ（セリン）−ＮＨ２構造になっていることをいい、ＲＬａｍｉｄｅ構造とは、ぺプチドのＣ末端がＡｒｇｉｎｉｎｅ（アルギニン）−Ｌｅｕｃｉｎｅ（ロイシン）−ＮＨ２構造になっていることを意味する。
【００１２】
ＲＦＲＰ部分ペプチドの中でも、例えば、
（ｉ）配列番号：１または配列番号：３で表わされるアミノ酸配列の第８８番目（Ｌｅｕ）〜第９２番目（Ｐｈｅ）のアミノ酸配列を含有し、そのアミノ酸配列のＮ末端側に、それぞれ配列番号：１または配列番号：３で表わされるアミノ酸配列の第１番目（Ｍｅｔ）〜第８７番目（Ａｓｎ）のアミノ酸配列のＣ末端から数えて１〜８７個のアミノ酸が付加していてもよいアミノ酸配列からなるヒトＲＦＲＰ−１、
（ｉｉ）配列番号：１または配列番号：３で表わされるアミノ酸配列の第１０１番目（Ｓｅｒ）〜第１１２番目（Ｓｅｒ）のアミノ酸配列を含有し、そのアミノ酸配列のＮ末端側に、ぞれぞれ配列番号：１または配列番号：３で表わされるアミノ酸配列の第１番目（Ｍｅｔ）〜第１００番目（Ａｒｇ）のアミノ酸配列のＣ末端から数えて１〜１００個のアミノ酸が付加していてもよいアミノ酸配列からなるヒトＲＦＲＰ−２、
（ｉｉｉ）配列番号：１または配列番号：３で表わされるアミノ酸配列の第１２７番目（Ｌｅｕ）〜第１３１番目（Ｐｈｅ）のアミノ酸配列を含有し、そのアミノ酸配列のＮ末端側に、それぞれ配列番号：１または配列番号：３で表わされるアミノ酸配列の第１番目（Ｍｅｔ）〜第１２６番目（Ａｓｎ）のアミノ酸配列のＣ末端から数えて１〜１２６個のアミノ酸が付加していてもよいアミノ酸配列からなるヒトＲＦＲＰ−３、
（ｉｖ）配列番号：５で表わされるアミノ酸配列の第８８番目（Ｌｅｕ）〜第９２番目（Ｐｈｅ）のアミノ酸配列を含有し、そのアミノ酸配列のＮ末端側に、配列番号：５で表わされるアミノ酸配列の第１番目（Ｍｅｔ）〜第８７番目（Ａｓｎ）のアミノ酸配列のＣ末端から数えて１〜８７個のアミノ酸が付加していてもよいアミノ酸配列からなるウシＲＦＲＰ−１、
（ｖ）配列番号：５で表わされるアミノ酸配列の第１０１番目（Ｓｅｒ）〜第１１２番目（Ｌｅｕ）のアミノ酸配列を含有し、そのアミノ酸配列のＮ末端側に、配列番号：５で表わされるアミノ酸配列の第１番目（Ｍｅｔ）〜第１００番目（Ａｒｇ）のアミノ酸配列のＣ末端から数えて１〜１００個のアミノ酸が付加していてもよいアミノ酸配列からなるウシＲＦＲＰ−２、
（ｖｉ）配列番号：５で表わされるアミノ酸配列の第１２７番目（Ｌｅｕ）〜第１３１番目（Ｐｈｅ）のアミノ酸配列を含有し、そのアミノ酸配列のＮ末端側に、配列番号：５で表わされるアミノ酸配列の第１番目（Ｍｅｔ）〜第１２６番目（Ａｓｎ）のアミノ酸配列のＣ末端から数えて１〜１２６個のアミノ酸が付加していてもよいアミノ酸配列からなるウシＲＦＲＰ−３、
（ｖｉｉ）配列番号：９で表わされるアミノ酸配列の第９０番目（Ｌｅｕ）〜第９４番目（Ｐｈｅ）のアミノ酸配列を含有し、そのアミノ酸配列のＮ末端側に、配列番号：９で表わされるアミノ酸配列の第１番目（Ｍｅｔ）〜第８９番目（Ａｓｎ）のアミノ酸配列のＣ末端から数えて１〜８９個のアミノ酸が付加していてもよいアミノ酸配列からなるマウスＲＦＲＰ−１、
（ｖｉｉｉ）配列番号：９で表わされるアミノ酸配列の第１２１番目（Ｌｅｕ）〜第１２５番目（Ｐｈｅ）のアミノ酸配列を含有し、そのアミノ酸配列のＮ末端側に、配列番号：９で表わされるアミノ酸配列の第１番目（Ｍｅｔ）〜第１２０番目（Ｓｅｒ）のアミノ酸配列のＣ末端から数えて１〜１２０個のアミノ酸が付加していてもよいアミノ酸配列からなるマウスＲＦＲＰ−３、
（ｉｘ）配列番号：７または２２で表わされるアミノ酸配列の第９０番目（Ｌｅｕ）〜第９４番目（Ｐｈｅ）のアミノ酸配列を含有し、そのアミノ酸配列のＮ末端側に、配列番号：７または２２で表わされるアミノ酸配列の第１番目（Ｍｅｔ）〜第８９番目（Ａｓｎ）のアミノ酸配列のＣ末端から数えて１〜８９個のアミノ酸が付加していてもよいアミノ酸配列からなるラットＲＦＲＰ−１、
（ｘ）配列番号：７または２２で表わされるアミノ酸配列の第１２１番目（Ｌｅｕ）〜第１２５番目（Ｐｈｅ）のアミノ酸配列を含有し、そのアミノ酸配列のＮ末端側に、配列番号：７または２２で表わされるアミノ酸配列の第１番目（Ｍｅｔ）〜第１２０番目（Ｓｅｒ）のアミノ酸配列のＣ末端から数えて１〜１２０個のアミノ酸が付加していてもよいアミノ酸配列からなるラットＲＦＲＰ−３、
（ｘｉ）上記（ｉ）〜（ｘ）のペプチドのアミノ酸配列に１〜５個のアミノ酸が付加したアミノ酸配列からなるペプチド、
（ｘｉｉ）上記（ｉ）〜（ｘ）のペプチドのアミノ酸配列に１〜５個のアミノ酸が挿入されたアミノ酸配列からなるペプチド、
（ｘｉｉｉ）上記（ｉ）〜（ｘ）のペプチドのアミノ酸配列中の１〜５個のアミノ酸で置換されたアミノ酸配列からなるペプチド、または
（ｘｉｖ）上記（ｘｉ）〜（ｘｉｉｉ）の付加・挿入・置換を組み合わせたアミノ酸配列からなるペプチドなどが用いられる。
【００１３】
これらのＲＦＲＰ部分ペプチドの中でも、
（ｉ）配列番号：１または配列番号：３で表わされるアミノ酸配列の第５６番目（Ｓｅｒ）〜第９２番目（Ｐｈｅ）、第７０番目（Ｍｅｔ）〜第９２番目（Ｐｈｅ）、第７３番目（Ｍｅｔ）〜第９２番目（Ｐｈｅ）、第８１番目（Ｍｅｔ）〜第９２番目（Ｐｈｅ）または第８４番目（Ｓｅｒ）〜第９２番目（Ｐｈｅ）のアミノ酸配列からなるヒトＲＦＲＰ−１、
（ｉｉ）配列番号：１または配列番号：３で表わされるアミノ酸配列の第１０１番目（Ｓｅｒ）〜第１１２番目（Ｓｅｒ）のアミノ酸配列からなるヒトＲＦＲＰ−２、
（ｉｉｉ）配列番号：１または配列番号：３で表わされるアミノ酸配列の第１０１番目（Ａｓｎ）〜第１３１番目（Ｐｈｅ）、第１０４番目（Ａｓｎ）〜第１３１番目（Ｐｈｅ）、第１１５番目（Ａｓｎ）〜第１３１番目（Ｐｈｅ）、第１２４番目（Ｖａｌ）〜第１３１番目（Ｐｈｅ）、第１２５番目（Ｐｒｏ）〜第１３１番目（Ｐｈｅ）、第１２６番目（Ａｓｎ）〜第１３１番目（Ｐｈｅ）または第１２７番目（Ｌｅｕ）〜第１３１番目（Ｐｈｅ）のアミノ酸配列からなるヒトＲＦＲＰ−３、
（ｉｖ）配列番号：５で表わされるアミノ酸配列の第５８番目（Ｓｅｒ）〜第９２番目（Ｐｈｅ）、第７０番目（Ｌｙｓ）〜第９２番目（Ｐｈｅ）、第７３番目（Ｍｅｔ）〜第９２番目（Ｐｈｅ）、第８１番目（Ｍｅｔ）〜第９２番目（Ｐｈｅ）または第８４番目（Ｓｅｒ）〜第９２番目（Ｐｈｅ）のアミノ酸配列からなるウシＲＦＲＰ−１、
（ｖ）配列番号：５で表わされるアミノ酸配列の第１０１番目（Ｓｅｒ）〜第１１２番目（Ｌｅｕ）のアミノ酸配列からなるウシＲＦＲＰ−２、
（ｖｉ）配列番号：５で表わされるアミノ酸配列の第１０１番目（Ｓｅｒ）〜第１３１番目（Ｐｈｅ）、第１０４番目（Ａｌａ）〜第１３１番目（Ｐｈｅ）、第１１５番目（Ａｓｎ）〜第１３１番目（Ｐｈｅ）、第１２４番目（Ｖａｌ）〜第１３１番目（Ｐｈｅ）、第１２５番目（Ｐｒｏ）〜第１３１番目（Ｐｈｅ）、第１２６番目（Ａｓｎ）〜第１３１番目（Ｐｈｅ）または第１２７番目（Ｌｅｕ）〜第１３１番目（Ｐｈｅ）のアミノ酸配列からなるウシＲＦＲＰ−３、
（ｖｉｉ）配列番号：９で表わされるアミノ酸配列の第５８番目（Ｓｅｒ）〜第９４番目（Ｐｈｅ）、第７２番目（Ｖａｌ）〜第９４番目（Ｐｈｅ）、第７５番目（Ｍｅｔ）〜第９４番目（Ｐｈｅ）、第８３番目（Ｖａｌ）〜第９４番目（Ｐｈｅ）または第８４番目（Ｐｒｏ）〜第９４番目（Ｐｈｅ）のアミノ酸配列からなるマウスＲＦＲＰ−１、
（ｖｉｉｉ）配列番号：９で表わされるアミノ酸配列の第１１８番目（Ｐｈｅ）〜第１２５番目（Ｐｈｅ）、第１１９番目（Ｐｒｏ）〜第１２５番目（Ｐｈｅ）、第１２０番目（Ｓｅｒ）〜第１２５番目（Ｐｈｅ）または第１２１番目（Ｌｅｕ）〜第１２５番目（Ｐｈｅ）のアミノ酸配列からなるマウスＲＦＲＰ−３、
（ｉｘ）配列番号：７または２２で表わされるアミノ酸配列の第５８番目（Ｓｅｒ）〜第９４番目（Ｐｈｅ）、第７２番目（Ａｓｐ）〜第９４番目（Ｐｈｅ）、第７５番目（Ｍｅｔ）〜第９４番目（Ｐｈｅ）、第８３番目（Ｖａｌ）〜第９４番目（Ｐｈｅ）または第８４番目（Ｐｒｏ）〜第９４番目（Ｐｈｅ）のアミノ酸配列からなるラットＲＦＲＰ−１、
（ｘ）配列番号：７または２２で表わされるアミノ酸配列の第１１８番目（Ｐｈｅ）〜第１２５番目（Ｐｈｅ）、第１１９番目（Ｐｒｏ）〜第１２５番目（Ｐｈｅ）、第１２０番目（Ｓｅｒ）〜第１２５番目（Ｐｈｅ）または第１２１番目（Ｌｅｕ）〜第１２５番目（Ｐｈｅ）のアミノ酸配列からなるラットＲＦＲＰ−３、
（ｘｉ）上記（ｉ）〜（ｘ）のペプチドのアミノ酸配列中の１〜５個のアミノ酸が欠失したアミノ酸配列からなる欠失型ペプチド、
（ｘｉｉ）上記（ｉ）〜（ｘ）のペプチドのアミノ酸配列に１〜５個のアミノ酸が付加したアミノ酸配列からなる付加型ペプチド、
（ｘｉｉｉ）上記（ｉ）〜（ｘ）のペプチドのアミノ酸配列に１〜５個のアミノ酸が挿入されたアミノ酸配列からなる挿入型ペプチド、
（ｘｉｖ）上記（ｉ）〜（ｘ）のペプチドのアミノ酸配列中の１〜５個のアミノ酸で置換されたアミノ酸配列からなる置換型ペプチド、または
（ｘｖ）上記（ｘｉ）〜（ｘｉｖ）の欠失・付加・挿入・置換を組み合わせたアミノ酸配列からなるペプチドなどが好ましく用いられる。
【００１４】
特にこれらのペプチドのアミド体（好ましくは、これらペプチドのＣ末端のカルボキシル基（−ＣＯＯＨ）がアミド化された（−ＣＯＮＨ２）ペプチド）が好ましい。
具体的には、配列番号：１で表わされるアミノ酸配列の第８１番目（Ｍｅｔ）〜第９２番目（Ｐｈｅ）のアミノ酸配列で表されるペプチドのＣ末端がアミド化された（−ＣＯＮＨ２）ペプチド（配列番号：１３）、配列番号：１で表わされるアミノ酸配列の第１０１番目（Ｓｅｒ）〜第１１２番目（Ｓｅｒ）のアミノ酸配列で表されるペプチドのＣ末端がアミド化された（−ＣＯＮＨ２）ペプチド（配列番号：１５）および配列番号：１で表わされるアミノ酸配列の第１２４番目（Ｖａｌ）〜第１３１番目（Ｐｈｅ）のアミノ酸配列で表されるペプチドのＣ末端がアミド化された（−ＣＯＮＨ２）ペプチド（配列番号：１４）などがあげられる。
【００１５】
ＲＦＲＰまたはＲＦＲＰ部分ペプチドの塩としては、生理学的に許容される酸（例、無機酸、有機酸）や塩基（例、アルカリ金属塩）などとの塩が用いられ、とりわけ生理学的に許容される酸付加塩が好ましい。このような塩としては、例えば、無機酸（例えば、塩酸、リン酸、臭化水素酸、硫酸）との塩、あるいは有機酸（例えば、酢酸、ギ酸、プロピオン酸、フマル酸、マレイン酸、コハク酸、酒石酸、クエン酸、リンゴ酸、蓚酸、安息香酸、メタンスルホン酸、ベンゼンスルホン酸）との塩などが用いられる。
ＲＦＲＰもしくはその塩またはＲＦＲＰ部分ペプチドもしくはその塩は、ＷＯ００／２９４４１号、ＷＯ０１／６６１３４号などに記載の方法に従って製造することができる。
【００１６】
ＲＦＲＰをコードするＤＮＡとしては、前述したＲＦＲＰをコードする塩基配列を含有するものであればいかなるものであってもよい。また、ゲノムＤＮＡ、ゲノムＤＮＡライブラリー、前記した細胞・組織由来のｃＤＮＡ、前記した細胞・組織由来のｃＤＮＡライブラリー、合成ＤＮＡのいずれでもよい。
ライブラリーに使用するベクターは、バクテリオファージ、プラスミド、コスミド、ファージミドなどいずれであってもよい。また、前記した細胞・組織よりｔｏｔａｌＲＮＡまたはｍＲＮＡ画分を調製したものを用いて直接Ｒｅｖｅｒｓｅ　Ｔｒａｎｓｃｒｉｐｔａｓｅ　Ｐｏｌｙｍｅｒａｓｅ　Ｃｈａｉｎ　Ｒｅａｃｔｉｏｎ（以下、ＲＴ−ＰＣＲ法と略称する）によって増幅することもできる。
【００１７】
ＲＦＲＰをコードするＤＮＡとしては、例えば、配列番号：２、配列番号：４、配列番号：６、配列番号：８、配列番号：１０または配列番号：２３で表わされる塩基配列を含有するＤＮＡ、または配列番号：２、配列番号：４、配列番号：６、配列番号：８、配列番号：１０または配列番号：２３で表わされる塩基配列とハイストリンジェントな条件下でハイブリダイズする塩基配列を有し、配列番号：１、配列番号：３、配列番号：５、配列番号：７、配列番号：９または配列番号：２２で表されるアミノ酸配列からなるＲＦＲＰと実質的に同質の活性を有するポリペプチドをコードするＤＮＡなどであれば何れのものでもよい。
配列番号：２、配列番号：４、配列番号：６、配列番号：８、配列番号：１０または配列番号：２３で表わされる塩基配列とハイストリンジェントな条件下でハイブリダイズできるＤＮＡとしては、例えば、それぞれ配列番号：２、配列番号：４、配列番号：６、配列番号：８、配列番号：１０または配列番号：２３で表わされる塩基配列と約７０％以上、好ましくは約８０％以上、より好ましくは約９０％以上、さらに好ましくは約９５％以上の相同性を有する塩基配列を含有するＤＮＡなどが用いられる。
塩基配列の相同性は、相同性計算アルゴリズムＮＣＢＩ　ＢＬＡＳＴ（Ｎａｔｉｏｎａｌ　Ｃｅｎｔｅｒ　ｆｏｒ　Ｂｉｏｔｅｃｈｎｏｌｏｇｙ　Ｉｎｆｏｒｍａｔｉｏｎ　Ｂａｓｉｃ　Ｌｏｃａｌ　Ａｌｉｇｎｍｅｎｔ　Ｓｅａｒｃｈ　Ｔｏｏｌ）を用い、以下の条件（期待値＝１０；ギャップを許す；フィルタリング＝ＯＮ；マッチスコア＝１；ミスマッチスコア＝−３）にて計算することができる。
ハイブリダイゼーションは、自体公知の方法あるいはそれに準じる方法、例えば、モレキュラー・クローニング（Ｍｏｌｅｃｕｌａｒ　Ｃｌｏｎｉｎｇ）２ｎｄ（Ｊ．　Ｓａｍｂｒｏｏｋ　ｅｔ　ａｌ．，　Ｃｏｌｄ　Ｓｐｒｉｎｇ　Ｈａｒｂｏｒ　Ｌａｂ．　Ｐｒｅｓｓ，　１９８９）に記載の方法などに従って行なうことができる。また、市販のライブラリーを使用する場合、添付の使用説明書に記載の方法に従って行なうことができる。より好ましくは、ハイストリンジェントな条件に従って行なうことができる。
ハイストリンジェントな条件とは、例えば、ナトリウム濃度が約１９〜４０ｍＭ、好ましくは約１９〜２０ｍＭで、温度が約５０〜７０℃、好ましくは約６０〜６５℃の条件を示す。特に、ナトリウム濃度が約１９ｍＭで温度が約６５℃の場合が最も好ましい。
【００１８】
より具体的には、配列番号：１で表わされるアミノ酸配列からなるヒトＲＦＲＰをコードするＤＮＡとしては、配列番号：２で表わされる塩基配列からなるＤＮＡなどが用いられる。また、配列番号：３で表わされるアミノ酸配列からなるヒトＲＦＲＰをコードするＤＮＡとしては、配列番号：４で表わされる塩基配列からなるＤＮＡなどが用いられる。配列番号：５で表わされるアミノ酸配列からなるウシＲＦＲＰをコードするＤＮＡとしては、配列番号：６で表わされる塩基配列からなるＤＮＡなどが用いられる。配列番号：７で表わされるアミノ酸配列からなるラットＲＦＲＰをコードするＤＮＡとしては、配列番号：８で表わされる塩基配列からなるＤＮＡなどが用いられる。配列番号：９で表わされるアミノ酸配列からなるマウスＲＦＲＰをコードするＤＮＡとしては、配列番号：１０で表わされる塩基配列からなるＤＮＡなどが用いられる。配列番号：２２で表わされるアミノ酸配列からなるラットＲＦＲＰをコードするＤＮＡとしては、配列番号：２３で表わされる塩基配列からなるＤＮＡなどが用いられる。
【００１９】
ＲＦＲＰ部分ペプチドをコードするＤＮＡとしては、前述したＲＦＲＰ部分ペプチドをコードする塩基配列を含有するものであればいかなるものであってもよい。また、ゲノムＤＮＡ、ゲノムＤＮＡライブラリー、前記した細胞・組織由来のｃＤＮＡ、前記した細胞・組織由来のｃＤＮＡライブラリー、合成ＤＮＡのいずれでもよい。
ＲＦＲＰ部分ペプチドをコードするＤＮＡとしては、例えば、配列番号：２、配列番号：４、配列番号：６、配列番号：８、配列番号：１０または配列番号：２３で表わされる塩基配列を含有するＤＮＡの部分塩基配列を有するＤＮＡ、または配列番号：２、配列番号：４、配列番号：６、配列番号：８、配列番号：１０または配列番号：２３で表わされる塩基配列とハイストリンジェントな条件下でハイブリダイズする塩基配列を有し、配列番号：１、配列番号：３、配列番号：５、配列番号：７、配列番号：９または配列番号：２２で表されるアミノ酸配列からなるＲＦＲＰと実質的に同質の活性を有するポリペプチドをコードするＤＮＡの部分塩基配列を有するＤＮＡなどが用いられる。
配列番号：２、配列番号：４、配列番号：６、配列番号：８、配列番号：１０または配列番号：２３で表わされる塩基配列とハイブリダイズできるＤＮＡは、前記と同意義を示す。
塩基配列の相同性は、前記した相同性計算アルゴリズムＮＣＢＩ　ＢＬＡＳＴを用い、同様の条件にて計算することができる。
ハイブリダイゼーションの方法およびハイストリンジェントな条件は前記と同様のものが用いられる。
【００２０】
また、ＲＦＲＰ部分ペプチドをコードするＤＮＡとしてより具体的には、前記した具体的なＲＦＲＰ部分ペプチドをコードするＤＮＡなどが用いられる。例えば、
（ｉ）配列番号：１または配列番号：３で表わされるアミノ酸配列の第５６番目（Ｓｅｒ）〜第９２番目（Ｐｈｅ）、第７０番目（Ｍｅｔ）〜第９２番目（Ｐｈｅ）、第７３番目（Ｍｅｔ）〜第９２番目（Ｐｈｅ）、第８１番目（Ｍｅｔ）〜第９２番目（Ｐｈｅ）または第８４番目（Ｓｅｒ）〜第９２番目（Ｐｈｅ）のアミノ酸配列からなるヒトＲＦＲＰ−１をコードするＤＮＡとしては、それぞれ配列番号：２または配列番号：４で表わされる塩基配列の第１６６番目〜第２７６番目、第２０８番目〜第２７６番目、第２１７番目〜第２７６番目、第２４１番目〜第２７６番目または第２５０番目〜第２７６番目の塩基配列からなるＤＮＡ、
（ｉｉ）配列番号：１または配列番号：３で表わされるアミノ酸配列の第１０１番目（Ｓｅｒ）〜第１１２番目（Ｓｅｒ）のアミノ酸配列からなるヒトＲＦＲＰ−２をコードするＤＮＡとしては、それぞれ配列番号：２または配列番号：４で表わされる塩基配列の第３０１番目〜第３３６番目の塩基配列からなるＤＮＡ、
（ｉｉｉ）配列番号：１または配列番号：３で表わされるアミノ酸配列の第１０１番目（Ａｓｎ）〜第１３１番目（Ｐｈｅ）、第１０４番目（Ａｓｎ）〜第１３１番目（Ｐｈｅ）、第１１５番目（Ａｓｎ）〜第１３１番目（Ｐｈｅ）、第１２４番目（Ｖａｌ）〜第１３１番目（Ｐｈｅ）、第１２５番目（Ｐｒｏ）〜第１３１番目（Ｐｈｅ）、第１２６番目（Ａｓｎ）〜第１３１番目（Ｐｈｅ）または第１２７番目（Ｌｅｕ）〜第１３１番目（Ｐｈｅ）のアミノ酸配列からなるヒトＲＦＲＰ−３をコードするＤＮＡとしては、それぞれ配列番号：２または配列番号：４で表わされる塩基配列の第３０１番目〜第３９３番目、第３１０番目〜第３９３番目、第３４３番目〜第３９３番目、第３７０番目〜第３９３番目、第３７３番目〜第３９３番目、第３７６番目〜第３９３番目または第３７９番目〜第３９３番目の塩基配列からなるＤＮＡ、
（ｉｖ）配列番号：５で表わされるアミノ酸配列の第５８番目（Ｓｅｒ）〜第９２番目（Ｐｈｅ）、第７０番目（Ｌｙｓ）〜第９２番目（Ｐｈｅ）、第７３番目（Ｍｅｔ）〜第９２番目（Ｐｈｅ）、第８１番目（Ｍｅｔ）〜第９２番目（Ｐｈｅ）または第８４番目（Ｓｅｒ）〜第９２番目（Ｐｈｅ）のアミノ酸配列からなるウシＲＦＲＰ−１をコードするＤＮＡとしては、配列番号：６で表わされる塩基配列の第１７２番目〜第２７６番目、第２０８番目〜第２７６番目、第２１７番目〜第２７６番目、第２４１番目〜第２７６番目または第２５０番目〜第２７６番目の塩基配列からなるＤＮＡ、
（ｖ）配列番号：５で表わされるアミノ酸配列の第１０１番目（Ｓｅｒ）〜第１１２番目（Ｌｅｕ）のアミノ酸配列からなるウシＲＦＲＰ−２をコードするＤＮＡとしては、配列番号：６で表わされる塩基配列の第３０１番目〜第３３６番目の塩基配列からなるＤＮＡ、
（ｖｉ）配列番号：５で表わされるアミノ酸配列の第１０１番目（Ｓｅｒ）〜第１３１番目（Ｐｈｅ）、第１０４番目（Ａｌａ）〜第１３１番目（Ｐｈｅ）、第１１５番目（Ａｓｎ）〜第１３１番目（Ｐｈｅ）、第１２４番目（Ｖａｌ）〜第１３１番目（Ｐｈｅ）、第１２５番目（Ｐｒｏ）〜第１３１番目（Ｐｈｅ）、第１２６番目（Ａｓｎ）〜第１３１番目（Ｐｈｅ）または第１２７番目（Ｌｅｕ）〜第１３１番目（Ｐｈｅ）のアミノ酸配列からなるウシＲＦＲＰ−３をコードするＤＮＡとしては、配列番号：６で表わされる塩基配列の第３０１番目〜第３９３番目、第３１０番目〜第３９３番目、第３４３番目〜第３９３番目、第３７０番目〜第３９３番目、第３７３番目〜第３９３番目、第３７６番目〜第３９３番目または第３７９番目〜第３９３番目の塩基配列からなるＤＮＡ、
（ｖｉｉ）配列番号：９で表わされるアミノ酸配列の第５８番目（Ｓｅｒ）〜第９４番目（Ｐｈｅ）、第７２番目（Ｖａｌ）〜第９４番目（Ｐｈｅ）、第７５番目（Ｍｅｔ）〜第９４番目（Ｐｈｅ）、第８３番目（Ｖａｌ）〜第９４番目（Ｐｈｅ）または第８４番目（Ｐｒｏ）〜第９４番目（Ｐｈｅ）のアミノ酸配列からなるマウスＲＦＲＰ−１をコードするＤＮＡとしては、配列番号：１０で表わされる塩基配列の第１７２番目〜第２８２番目、第２１４番目〜第２８２番目、第２２３番目〜第２８２番目、第２４７番目〜第２８２番目または第２５０番目〜第２８２番目の塩基配列からなるＤＮＡ、
（ｖｉｉｉ）配列番号：９で表わされるアミノ酸配列の第１１８番目（Ｐｈｅ）〜第１２５番目（Ｐｈｅ）、第１１９番目（Ｐｒｏ）〜第１２５番目（Ｐｈｅ）、第１２０番目（Ｓｅｒ）〜第１２５番目（Ｐｈｅ）または第１２１番目（Ｌｅｕ）〜第１２５番目（Ｐｈｅ）のアミノ酸配列からなるマウスＲＦＲＰ−３をコードするＤＮＡとしては、配列番号：１０で表わされる塩基配列の第３５２番目〜第３７５番目、第３５６番目〜第３７５番目、第３５８番目〜第３７５番目または第３６１番目〜第３７５番目の塩基配列からなるＤＮＡ、
（ｉｘ）配列番号：７または２２で表わされるアミノ酸配列の第５８番目（Ｓｅｒ）〜第９４番目（Ｐｈｅ）、第７２番目（Ａｓｐ）〜第９４番目（Ｐｈｅ）、第７５番目（Ｍｅｔ）〜第９４番目（Ｐｈｅ）、第８３番目（Ｖａｌ）〜第９４番目（Ｐｈｅ）または第８４番目（Ｐｒｏ）〜第９４番目（Ｐｈｅ）のアミノ酸配列からなるラットＲＦＲＰ−１をコードするＤＮＡとしては、それぞれ配列番号：８または５１で表わされる塩基配列の第１７２番目〜第２８２番目、第２１４番目〜第２８２番目、第２２３番目〜第２８２番目、第２４７番目〜第２８２番目または第２５０番目〜第２８２番目の塩基配列からなるＤＮＡ、
（ｘ）配列番号：７または２２で表わされるアミノ酸配列の第１１８番目（Ｐｈｅ）〜第１２５番目（Ｐｈｅ）、第１１９番目（Ｐｒｏ）〜第１２５番目（Ｐｈｅ）、第１２０番目（Ｓｅｒ）〜第１２５番目（Ｐｈｅ）または第１２１番目（Ｌｅｕ）〜第１２５番目（Ｐｈｅ）のアミノ酸配列からなるラットＲＦＲＰ−３をコードするＤＮＡとしては、それぞれ配列番号：８または５１で表わされる塩基配列の第３５２番目〜第３７５番目、第３５５番目〜第３７５番目、第３５８番目〜第３７５番目または第３６１番目〜第３７５番目の塩基配列からなるＤＮＡなどが用いられる。
【００２１】
ＲＦＲＰまたはその部分ペプチドを完全にコードするＤＮＡのクローニングは、ＷＯ００／２９４４１号、ＷＯ０１／６６１３４号などに記載の方法に従って行うことができる。
また、ＲＦＲＰまたはその部分ペプチドをコードするＤＮＡからＲＦＲＰまたはその部分ペプチドを製造する場合、ＷＯ００／２９４４１号、ＷＯ０１／６６１３４号などに記載の方法に従って行うことができる。
ＲＦＲＰもしくはその部分ペプチド、後述のＯＴ７Ｔ０２２もしくはその部分ペプチド、およびこれらをコードするＤＮＡは、自体公知の方法で標識化されていてもよく、具体的にはアイソトープラベル化されたもの、蛍光標識されたもの（例えば、フルオレセインなどによる蛍光標識）、ビオチン化されたものまたは酵素標識されたものなどがあげられる。
【００２２】
ＲＦＲＰもしくはそのアミドもしくはそのエステルまたはその塩、ＲＦＲＰ部分ペプチドもしくはそのアミドもしくはそのエステルまたはその塩に対するレセプター蛋白質ＯＴ７Ｔ０２２（以下、ＯＴ７Ｔ０２２と略記する）としては、例えば、配列番号：１１で表わされるアミノ酸配列と同一もしくは実質的に同一のアミノ酸配列を含有するレセプター蛋白質が用いられる。
【００２３】
ＯＴ７Ｔ０２２は、例えば、哺乳動物（例えば、ヒト、モルモット、ラット、マウス、ウサギ、ブタ、ヒツジ、ウシ、サルなど）のあらゆる細胞（例えば、脾細胞、神経細胞、グリア細胞、膵臓β細胞、骨髄細胞、メサンギウム細胞、ランゲルハンス細胞、表皮細胞、上皮細胞、内皮細胞、繊維芽細胞、繊維細胞、筋細胞、脂肪細胞、免疫細胞（例、マクロファージ、Ｔ細胞、Ｂ細胞、ナチュラルキラー細胞、肥満細胞、好中球、好塩基球、好酸球、単球）、巨核球、滑膜細胞、軟骨細胞、骨細胞、骨芽細胞、破骨細胞、乳腺細胞、肝細胞もしくは間質細胞、またはこれら細胞の前駆細胞、幹細胞もしくはガン細胞など）や血球系の細胞、またはそれらの細胞が存在するあらゆる組織、例えば、脳、脳の各部位（例、嗅球、扁頭核、大脳基底球、海馬、視床、視床下部、視床下核、大脳皮質、延髄、小脳、後頭葉、前頭葉、側頭葉、被殻、尾状核、脳染、黒質）、脊髄、下垂体、胃、膵臓、腎臓、肝臓、生殖腺、甲状腺、胆のう、骨髄、副腎、皮膚、筋肉、肺、消化管（例、大腸、小腸）、血管、心臓、胸腺、脾臓、顎下腺、末梢血、末梢血球、前立腺、睾丸、精巣、卵巣、胎盤、子宮、骨、関節、骨格筋など（特に、脳や脳の各部位）に由来する蛋白質であってもよく、また合成蛋白質であってもよい。
配列番号：１１で表わされるアミノ酸配列と実質的に同一のアミノ酸配列としては、例えば、配列番号：１１で表わされるアミノ酸配列と約５０％以上、好ましくは約７０％以上、より好ましくは約８０％以上、さらに好ましくは約９０％以上、最も好ましくは約９５％以上の相同性を有するアミノ酸配列などが挙げられる。
【００２４】
配列番号：１１で表わされるアミノ酸配列と実質的に同一のアミノ酸配列を含有する蛋白質としては、例えば、配列番号：１１で表わされるアミノ酸配列と実質的に同一のアミノ酸配列を有し、配列番号：１１で表わされるアミノ酸配列からなるＯＴ７Ｔ０２２と実質的に同質の活性を有するレセプター蛋白質などが好ましく、具体的には、配列番号：２４で表されるアミノ酸配列からなるレセプター蛋白質などがあげられる。
アミノ酸配列の相同性は、相同性計算アルゴリズムＮＣＢＩ　ＢＬＡＳＴ（Ｎａｔｉｏｎａｌ　Ｃｅｎｔｅｒ　ｆｏｒ　Ｂｉｏｔｅｃｈｎｏｌｏｇｙ　Ｉｎｆｏｒｍａｔｉｏｎ　Ｂａｓｉｃ　Ｌｏｃａｌ　Ａｌｉｇｎｍｅｎｔ　Ｓｅａｒｃｈ　Ｔｏｏｌ）を用い、以下の条件（期待値＝１０；ギャップを許す；マトリクス＝ＢＬＯＳＵＭ６２；フィルタリング＝ＯＦＦ）にて計算することができる。実質的に同質の活性としては、例えば、リガンド結合活性またはシグナル情報伝達作用などが挙げられる。実質的に同質とは、それらの活性が性質的に同質であることを示す。したがって、リガンド結合活性またはシグナル情報伝達作用などの活性が同等（例、約０．０１〜１００倍、好ましくは約０．５〜２０倍、より好ましくは約０．５〜２倍）であることが好ましいが、これらの活性の程度や蛋白質の分子量などの量的要素は異なっていてもよい。
リガンド結合活性またはシグナル情報伝達作用などの活性の測定は、自体公知の方法に準じて行なうことができるが、例えば、後述するリガンドの決定方法やスクリーニング方法に従って測定することができる。
また、ＯＴ７Ｔ０２２としては、▲１▼配列番号：１１または配列番号：２４で表わされるアミノ酸配列中の１または２個以上（好ましくは、１〜３０個程度、より好ましくは１〜１０個程度、さらに好ましくは数個（１または２個））のアミノ酸が欠失したアミノ酸配列、▲２▼配列番号：１１または配列番号：２４で表わされるアミノ酸配列に１または２個以上（好ましくは、１〜３０個程度、より好ましくは１〜１０個程度、さらに好ましくは数個（１または２個））のアミノ酸が付加したアミノ酸配列、▲３▼配列番号：１１または配列番号：２４で表わされるアミノ酸配列中の１または２個以上（好ましくは、１〜３０個程度、より好ましくは１〜１０個程度、さらに好ましくは数個（１または２個））のアミノ酸が他のアミノ酸で置換されたアミノ酸配列、または▲４▼それら欠失・付加・置換を組み合わせたアミノ酸配列からなるレセプター蛋白質なども用いられる。
【００２５】
本明細書におけるＯＴ７Ｔ０２２は、ペプチド標記の慣例に従って左端がＮ末端（アミノ末端）、右端がＣ末端（カルボキシル末端）である。配列番号：１１で表わされるアミノ酸配列からなるＯＴ７Ｔ０２２をはじめとするＯＴ７Ｔ０２２は、Ｃ末端がカルボキシル基（−ＣＯＯＨ）、カルボキシレート（−ＣＯＯ−）、アミド（−ＣＯＮＨ２）またはエステル（−ＣＯＯＲ）のいずれであってもよい。
ここでエステルにおけるＲとしては、例えば、メチル、エチル、ｎ−プロピル、イソプロピルもしくはｎ−ブチルなどのＣ１−６アルキル基、例えば、シクロペンチル、シクロヘキシルなどのＣ３−８シクロアルキル基、例えば、フェニル、α−ナフチルなどのＣ６−１２アリール基、例えば、ベンジル、フェネチルなどのフェニル−Ｃ１−２アルキル基もしくはα−ナフチルメチルなどのα−ナフチル−Ｃ１−２アルキル基などのＣ７−１４アラルキル基のほか、経口用エステルとして汎用されるピバロイルオキシメチル基などが用いられる。
【００２６】
ＯＴ７Ｔ０２２がＣ末端以外にカルボキシル基（またはカルボキシレート）を有している場合、カルボキシル基がアミド化またはエステル化されているものもＯＴ７Ｔ０２２の範囲に含まれる。この場合のエステルとしては、例えば上記したＣ末端のエステルなどが用いられる。
さらに、ＯＴ７Ｔ０２２には、上記したＯＴ７Ｔ０２２において、Ｎ末端のメチオニン残基のアミノ基が保護基（例えば、ホルミル基、アセチルなどのＣ２−６アルカノイル基などのＣ１−６アシル基など）で保護されているもの、Ｎ端側が生体内で切断され生成したグルタミル基がピログルタミン酸化したもの、分子内のアミノ酸の側鎖上の置換基（例えば、−ＯＨ、−ＳＨ、アミノ基、イミダゾール基、インドール基、グアニジノ基など）が適当な保護基（例えば、ホルミル基、アセチルなどのＣ２−６アルカノイル基などのＣ１−６アシル基など）で保護されているもの、あるいは糖鎖が結合したいわゆる糖蛋白質などの複合蛋白質なども含まれる。
ＯＴ７Ｔ０２２の具体例としては、例えば、配列番号：１１で表わされるアミノ酸配列からなるラットＯＴ７Ｔ０２２、配列番号：２４で表されるアミノ酸配列からなるヒトＯＴ７Ｔ０２２などが用いられる。
【００２７】
ＯＴ７Ｔ０２２の部分ペプチドとしては、前記したＯＴ７Ｔ０２２の部分ペプチドであれば何れのものであってもよいが、例えば、ＯＴ７Ｔ０２２蛋白質分子のうち、細胞膜の外に露出している部位であって、レセプター結合活性を有するものなどが用いられる。
具体的には、配列番号：１１または配列番号：２４で表わされるアミノ酸配列からなるＯＴ７Ｔ０２２の部分ペプチドとしては、疎水性プロット解析において細胞外領域（親水性（Ｈｙｄｒｏｐｈｉｌｉｃ）部位）であると分析された部分を含むペプチドである。また、疎水性（Ｈｙｄｒｏｐｈｏｂｉｃ）部位を一部に含むペプチドも同様に用いることができる。個々のドメインを個別に含むペプチドも用い得るが、複数のドメインを同時に含む部分のペプチドでも良い。
ＯＴ７Ｔ０２２の部分ペプチドのアミノ酸の数は、前記したＯＴ７Ｔ０２２の構成アミノ酸配列のうち少なくとも２０個以上、好ましくは５０個以上、より好ましくは１００個以上のアミノ酸配列からなるペプチドなどが好ましい。
また、ＯＴ７Ｔ０２２の部分ペプチドは、上記アミノ酸配列中の１または２個以上（好ましくは、１〜１０個程度、さらに好ましくは数個（１または２個））のアミノ酸が欠失し、または、そのアミノ酸配列に１または２個以上（好ましくは、１〜２０個程度、より好ましくは１〜１０個程度、さらに好ましくは数個（１または２個））のアミノ酸が付加し、または、そのアミノ酸配列中の１または２個以上（好ましくは、１〜１０個程度、より好ましくは数個（１または２個））のアミノ酸が他のアミノ酸で置換されていてもよい。
また、ＯＴ７Ｔ０２２の部分ペプチドはＣ末端がカルボキシル基（−ＣＯＯＨ）、カルボキシレート（−ＣＯＯ−）、アミド（−ＣＯＮＨ２）またはエステル（−ＣＯＯＲ）（Ｒは上記と同意義を示す）のいずれであってもよい。
ＯＴ７Ｔ０２２の部分ペプチドがＣ末端以外にカルボキシル基（またはカルボキシレート）を有している場合、カルボキシル基がアミド化またはエステル化されているものもＯＴ７Ｔ０２２の範囲に含まれる。この場合のエステルとしては、例えば上記したＣ末端のエステルなどが用いられる。
さらに、ＯＴ７Ｔ０２２の部分ペプチドには、前記したＯＴ７Ｔ０２２と同様に、Ｎ末端のメチオニン残基のアミノ基が保護基で保護されているもの、Ｎ端側が生体内で切断され生成したグルタミル基がピログルタミン酸化したもの、分子内のアミノ酸の側鎖上の置換基が適当な保護基で保護されているもの、あるいは糖鎖が結合したいわゆる糖ペプチドなどの複合ペプチドなども含まれる。
ＯＴ７Ｔ０２２またはその部分ペプチドの塩としては、とりわけ生理学的に許容される酸付加塩が好ましい。この様な塩としては、例えば無機酸（例えば、塩酸、リン酸、臭化水素酸、硫酸）との塩、あるいは有機酸（例えば、酢酸、ギ酸、プロピオン酸、フマル酸、マレイン酸、コハク酸、酒石酸、クエン酸、リンゴ酸、蓚酸、安息香酸、メタンスルホン酸、ベンゼンスルホン酸）との塩などが用いられる。
ＯＴ７Ｔ０２２またはその塩、およびＯＴ７Ｔ０２２を発現する細胞またはその細胞膜画分は、ＷＯ００／２９４４１号、ＷＯ０１／６６１３４号などに記載の方法に従って製造することができる。
【００２８】
ＯＴ７Ｔ０２２をコードするポリヌクレオチドとしては、ＯＴ７Ｔ０２２をコードする塩基配列（ＤＮＡまたはＲＮＡ、好ましくはＤＮＡ）を含有するものであればいかなるものであってもよい。該ポリヌクレオチドとしては、ＯＴ７Ｔ０２２をコードするＤＮＡ、ｍＲＮＡ等のＲＮＡであり、二本鎖であっても、一本鎖であってもよい。二本鎖の場合は、二本鎖ＤＮＡ、二本鎖ＲＮＡまたはＤＮＡ：ＲＮＡのハイブリッドでもよい。一本鎖の場合は、センス鎖（即ち、コード鎖）であっても、アンチセンス鎖（即ち、非コード鎖）であってもよい。
ＯＴ７Ｔ０２２をコードするポリヌクレオチドを用いて、例えば、公知の実験医学増刊「新ＰＣＲとその応用」１５（７）、１９９７記載の方法またはそれに準じた方法により、ＯＴ７Ｔ０２２のｍＲＮＡを定量することができる。
ＯＴ７Ｔ０２２をコードするＤＮＡとしては、ゲノムＤＮＡ、ゲノムＤＮＡライブラリー、前記した細胞・組織由来のｃＤＮＡ、前記した細胞・組織由来のｃＤＮＡライブラリー、合成ＤＮＡのいずれでもよい。ライブラリーに使用するベクターは、バクテリオファージ、プラスミド、コスミド、ファージミドなどいずれであってもよい。また、前記した細胞・組織よりｔｏｔａｌＲＮＡまたはｍＲＮＡ画分を調製したものを用いて直接Ｒｅｖｅｒｓｅ　Ｔｒａｎｓｃｒｉｐｔａｓｅ　Ｐｏｌｙｍｅｒａｓｅ　Ｃｈａｉｎ　Ｒｅａｃｔｉｏｎ（以下、ＲＴ−ＰＣＲ法と略称する）によって増幅することもできる。
【００２９】
具体的には、ＯＴ７Ｔ０２２をコードするＤＮＡとしては、例えば、配列番号：１２、配列番号：２５または配列番号：２６で表わされる塩基配列を含有するＤＮＡ、または配列番号：１２、配列番号：２５または配列番号：２６で表わされる塩基配列とハイストリンジェントな条件下でハイブリダイズする塩基配列を有し、配列番号：１１または配列番号：２４で表されるアミノ酸配列からなるＯＴ７Ｔ０２２と実質的に同質の活性（例、リガンド結合活性、シグナル情報伝達作用など）を有するレセプター蛋白質をコードするＤＮＡであれば何れのものでもよい。
配列番号：１２、配列番号：２５または配列番号：２６で表わされる塩基配列とハイブリダイズできるＤＮＡとしては、例えば、配列番号：１２、配列番号：２５または配列番号：２６で表わされる塩基配列と約７０％以上、好ましくは約８０％以上、より好ましくは約９０％以上、最も好ましくは約９５％以上の相同性を有する塩基配列を含有するＤＮＡなどが用いられる。
塩基配列の相同性は、相同性計算アルゴリズムＮＣＢＩ　ＢＬＡＳＴ（Ｎａｔｉｏｎａｌ　Ｃｅｎｔｅｒ　ｆｏｒ　Ｂｉｏｔｅｃｈｎｏｌｏｇｙ　Ｉｎｆｏｒｍａｔｉｏｎ　Ｂａｓｉｃ　Ｌｏｃａｌ　Ａｌｉｇｎｍｅｎｔ　Ｓｅａｒｃｈ　Ｔｏｏｌ）を用い、以下の条件（期待値＝１０；ギャップを許す；フィルタリング＝ＯＮ；マッチスコア＝１；ミスマッチスコア＝−３）にて計算することができる。
ハイブリダイゼーションは、自体公知の方法あるいはそれに準じる方法、例えば、モレキュラー・クローニング（Ｍｏｌｅｃｕｌａｒ　Ｃｌｏｎｉｎｇ）２ｎｄ（Ｊ．　Ｓａｍｂｒｏｏｋ　ｅｔ　ａｌ．，　Ｃｏｌｄ　Ｓｐｒｉｎｇ　Ｈａｒｂｏｒ　Ｌａｂ．　Ｐｒｅｓｓ，　１９８９）に記載の方法などに従って行なうことができる。また、市販のライブラリーを使用する場合、添付の使用説明書に記載の方法に従って行なうことができる。より好ましくは、ハイストリンジェントな条件に従って行なうことができる。
該ハイストリンジェントな条件とは、例えば、ナトリウム濃度が約１９〜４０ｍＭ、好ましくは約１９〜２０ｍＭで、温度が約５０〜７０℃、好ましくは約６０〜６５℃の条件を示す。特に、ナトリウム濃度が約１９ｍＭで温度が約６５℃の場合が最も好ましい。
より具体的には、配列番号：１１で表わされるアミノ酸配列からなるラットＯＴ７Ｔ０２２をコードするＤＮＡとしては、配列番号：１２で表わされる塩基配列からなるＤＮＡなどが用いられる。配列番号：２４で表わされるアミノ酸配列からなるヒトＯＴ７Ｔ０２２をコードするＤＮＡとしては、配列番号：２５または配列番号：２６で表わされる塩基配列からなるＤＮＡなどが用いられる。
【００３０】
ＯＴ７Ｔ０２２の部分ペプチドをコードするＤＮＡとしては、前述したＯＴ７Ｔ０２２の部分ペプチドをコードする塩基配列を含有するものであればいかなるものであってもよい。また、ゲノムＤＮＡ、ゲノムＤＮＡライブラリー、前記した細胞・組織由来のｃＤＮＡ、前記した細胞・組織由来のｃＤＮＡライブラリー、合成ＤＮＡのいずれでもよい。ライブラリーに使用するベクターは、バクテリオファージ、プラスミド、コスミド、ファージミドなどいずれであってもよい。また、前記した細胞・組織よりｍＲＮＡ画分を調製したものを用いて直接Ｒｅｖｅｒｓｅ　Ｔｒａｎｓｃｒｉｐｔａｓｅ　Ｐｏｌｙｍｅｒａｓｅ　Ｃｈａｉｎ　Ｒｅａｃｔｉｏｎ（以下、ＲＴ−ＰＣＲ法と略称する）によって増幅することもできる。
具体的には、ＯＴ７Ｔ０２２の部分ペプチドをコードするＤＮＡとしては、例えば、（１）配列番号：１２、配列番号：２５または配列番号：２６で表わされる塩基配列を有するＤＮＡの部分塩基配列を有するＤＮＡ、または（２）配列番号：１２、配列番号：２５または配列番号：２６で表わされる塩基配列とハイストリンジェントな条件下でハイブリダイズする塩基配列を有し、配列番号：１１または配列番号：２４で表わされるアミノ酸配列からなるＯＴ７Ｔ０２２と実質的に同質の活性（例、リガンド結合活性またはシグナル情報伝達作用など）を有するレセプター蛋白質をコードするＤＮＡの部分塩基配列を有するＤＮＡなどが用いられる。
ＯＴ７Ｔ０２２またはその部分ペプチドをコードするＤＮＡからＯＴ７Ｔ０２２またはその部分ペプチドを製造する場合、ＷＯ００／２９４４１号、ＷＯ０１／６６１３４号などに記載の方法に従って行うことができる。
【００３１】
ＲＦＲＰ、その部分ペプチド、もしくはそのアミドもしくはそのエステルまたはその塩に対する抗体は、自体公知の方法、例えばＷＯ００／２９４４１号、ＷＯ０１／６６１３４号などに記載の方法に従って製造し、使用することができる。
ＯＴ７Ｔ０２２、その部分ペプチドまたはその塩に対する抗体は、自体公知の方法、例えばＷＯ００／２９４４１号、ＷＯ０１／６６１３４号などに記載の方法に従って製造し、使用することができる。
【００３２】
ＲＦＲＰまたはＯＴ７Ｔ０２２をコードするＤＮＡの塩基配列の一部、または該ＤＮＡと相補的な塩基配列の一部を含有してなるポリヌクレオチドとは、上記したＲＦＲＰまたはＯＴ７Ｔ０２２の部分ペプチドをコードするＤＮＡを包含するだけではなく、ＲＮＡをも包含する意味で用いられる。
本発明に従えば、ＲＦＲＰ遺伝子またはＯＴ７Ｔ０２２遺伝子の複製または発現を阻害することのできるアンチセンス・ポリヌクレオチド（核酸）を、クローン化した、あるいは決定されたＲＦＲＰまたはＯＴ７Ｔ０２２をコードするＤＮＡの塩基配列情報に基づき設計し、合成しうる。そうしたポリヌクレオチド（核酸）は、ＲＦＲＰ遺伝子またはＯＴ７Ｔ０２２遺伝子のＲＮＡとハイブリダイズすることができ、該ＲＮＡの合成または機能を阻害することができるか、あるいはＲＦＲＰ関連ＲＮＡまたはＯＴ７Ｔ０２２関連ＲＮＡとの相互作用を介してＲＦＲＰ遺伝子またはＯＴ７Ｔ０２２遺伝子の発現を調節・制御することができる。ＲＦＲＰ関連ＲＮＡまたはＯＴ７Ｔ０２２関連ＲＮＡの選択された配列に相補的なポリヌクレオチド、およびＲＦＲＰ関連ＲＮＡまたはＯＴ７Ｔ０２２関連ＲＮＡと特異的にハイブリダイズすることができるポリヌクレオチドは、生体内および生体外でＲＦＲＰ遺伝子またはＯＴ７Ｔ０２２遺伝子の発現を調節・制御するのに有用であり、また病気などの治療または診断に有用である。用語「対応する」とは、遺伝子を含めたヌクレオチド、塩基配列または核酸の特定の配列に相同性を有するあるいは相補的であることを意味する。ヌクレオチド、塩基配列または核酸とペプチド（蛋白質）との間で「対応する」とは、ヌクレオチド（核酸）の配列またはその相補体から誘導される指令にあるペプチド（蛋白質）のアミノ酸を通常指している。ＯＴ７Ｔ０２２遺伝子の５’端ヘアピンループ、５’端６−ベースペア・リピート、５’端非翻訳領域、ポリペプチド翻訳開始コドン、蛋白質コード領域、ＯＲＦ翻訳開始コドン、３’端非翻訳領域、３’端パリンドローム領域、および３’端ヘアピンループは好ましい対象領域として選択しうるが、ＲＦＲＰ遺伝子またはＯＴ７Ｔ０２２遺伝子内の如何なる領域も対象として選択しうる。
【００３３】
目的核酸と、対象領域の少なくとも一部に相補的でハイブリダイズすることができるポリヌクレオチドとの関係は、対象物と「アンチセンス」であるということができる。アンチセンス・ポリヌクレオチドは、２−デオキシ−Ｄ−リボースを含有しているポリデオキシリボヌクレオチド、Ｄ−リボースを含有しているポリリボヌクレオチド、プリンまたはピリミジン塩基のＮ−グリコシドであるその他のタイプのポリヌクレオチド、あるいは非ヌクレオチド骨格を有するその他のポリマー（例えば、市販の蛋白質核酸および合成配列特異的な核酸ポリマー）または特殊な結合を含有するその他のポリマー（但し、該ポリマーはＤＮＡやＲＮＡ中に見出されるような塩基のペアリングや塩基の付着を許容する配置をもつヌクレオチドを含有する）などが挙げられる。それらは、２本鎖ＤＮＡ、１本鎖ＤＮＡ、２本鎖ＲＮＡ、１本鎖ＲＮＡ、さらにＤＮＡ：ＲＮＡハイブリッドであることができ、さらに非修飾ポリヌクレオチド（または非修飾オリゴヌクレオチド）、さらには公知の修飾の付加されたもの、例えば当該分野で知られた標識のあるもの、キャップの付いたもの、メチル化されたもの、１個以上の天然のヌクレオチドを類縁物で置換したもの、分子内ヌクレオチド修飾のされたもの、例えば非荷電結合（例えば、メチルホスホネート、ホスホトリエステル、ホスホルアミデート、カルバメートなど）を持つもの、電荷を有する結合または硫黄含有結合（例えば、ホスホロチオエート、ホスホロジチオエートなど）を持つもの、例えば蛋白質（ヌクレアーゼ、ヌクレアーゼ・インヒビター、トキシン、抗体、シグナルペプチド、ポリ−Ｌ−リジンなど）や糖（例えば、モノサッカライドなど）などの側鎖基を有しているもの、インターカレント化合物（例えば、アクリジン、プソラレンなど）を持つもの、キレート化合物（例えば、金属、放射活性をもつ金属、ホウ素、酸化性の金属など）を含有するもの、アルキル化剤を含有するもの、修飾された結合を持つもの（例えば、αアノマー型の核酸など）であってもよい。ここで「ヌクレオシド」、「ヌクレオチド」および「核酸」とは、プリンおよびピリミジン塩基を含有するのみでなく、修飾されたその他の複素環型塩基をもつようなものを含んでいて良い。こうした修飾物は、メチル化されたプリンおよびピリミジン、アシル化されたプリンおよびピリミジン、あるいはその他の複素環を含むものであってよい。修飾されたヌクレオチドおよび修飾されたヌクレオチドはまた糖部分が修飾されていてよく、例えば、１個以上の水酸基がハロゲンとか、脂肪族基などで置換されていたり、あるいはエーテル、アミンなどの官能基に変換されていてよい。
【００３４】
本発明のアンチセンス・ポリヌクレオチド（核酸）は、ＲＮＡ、ＤＮＡ、あるいは修飾された核酸（ＲＮＡ、ＤＮＡ）である。修飾された核酸の具体例としては核酸の硫黄誘導体やチオホスフェート誘導体、そしてポリヌクレオシドアミドやオリゴヌクレオシドアミドの分解に抵抗性のものが挙げられるが、それに限定されるものではない。本発明のアンチセンス核酸は次のような方針で好ましく設計されうる。すなわち、細胞内でのアンチセンス核酸をより安定なものにする、アンチセンス核酸の細胞透過性をより高める、目標とするセンス鎖に対する親和性をより大きなものにする、そしてもし毒性があるならアンチセンス核酸の毒性をより小さなものにする。
こうして修飾は当該分野で数多く知られており、例えば　Ｊ．　Ｋａｗａｋａｍｉ　ｅｔ　ａｌ．，Ｐｈａｒｍ　Ｔｅｃｈ　Ｊａｐａｎ，　Ｖｏｌ．　８，　ｐｐ．２４７，　１９９２；　Ｖｏｌ．　８，　ｐｐ．３９５，　１９９２；　Ｓ．　Ｔ．　Ｃｒｏｏｋｅ　ｅｔ　ａｌ．　ｅｄ．，　Ａｎｔｉｓｅｎｓｅ　Ｒｅｓｅａｒｃｈ　ａｎｄ　Ａｐｐｌｉｃａｔｉｏｎｓ，　ＣＲＣ　Ｐｒｅｓｓ，　１９９３　などに開示がある。
本発明のアンチセンス核酸は、変化せしめられたり、修飾された糖、塩基、結合を含有していて良く、リポゾーム、ミクロスフェアのような特殊な形態で供与されたり、遺伝子治療により適用されたり、付加された形態で与えられることができうる。こうして付加形態で用いられるものとしては、リン酸基骨格の電荷を中和するように働くポリリジンのようなポリカチオン体、細胞膜との相互作用を高めたり、核酸の取込みを増大せしめるような脂質（例えば、ホスホリピド、コレステロールなど）といった粗水性のものが挙げられる。付加するに好ましい脂質としては、コレステロールやその誘導体（例えば、コレステリルクロロホルメート、コール酸など）が挙げられる。こうしたものは、核酸の３’端あるいは５’端に付着させることができ、塩基、糖、分子内ヌクレオシド結合を介して付着させることができうる。その他の基としては、核酸の３’端あるいは５’端に特異的に配置されたキャップ用の基で、エキソヌクレアーゼ、ＲＮａｓｅなどのヌクレアーゼによる分解を阻止するためのものが挙げられる。こうしたキャップ用の基としては、ポリエチレングリコール、テトラエチレングリコールなどのグリコールをはじめとした当該分野で知られた水酸基の保護基が挙げられるが、それに限定されるものではない。
アンチセンス核酸の阻害活性は、本発明の形質転換体、本発明の生体内や生体外の遺伝子発現系、あるいはＧ蛋白質共役型レセプター蛋白質の生体内や生体外の翻訳系を用いて調べることができる。該核酸それ自体公知の各種の方法で細胞に適用できる。
【００３５】
ＲＦＲＰまたはＯＴ７Ｔ０２２をコードするポリヌクレオチドに対するｓｉＲＮＡ（以下、本発明のｓｉＲＮＡ）は、ＲＦＲＰまたはＯＴ７Ｔ０２２をコードするＲＮＡの一部とそれに相補的なＲＮＡを含有する二重鎖ＲＮＡである。
ｓｉＲＮＡは、公知の方法（例、Ｎａｔｕｒｅ，　４１１巻，　４９４頁，　２００１年）に準じて、本発明のポリヌクレオチドの配列を基に設計して製造することができる。
ＲＦＲＰまたはＯＴ７Ｔ０２２をコードするＲＮＡの一部を含有するリボザイムは、公知の方法（例、ＴＲＥＮＤＳ　ｉｎ　Ｍｏｌｅｃｕｌａｒ　Ｍｅｄｉｃｉｎｅ，　７巻，　２２１頁，　２００１年）に準じて、本発明のポリヌクレオチドの配列を基に設計して製造することができる。例えば、公知のリボザイムの配列の一部をＲＦＲＰまたはＯＴ７Ｔ０２２をコードするＲＮＡの一部に置換することによって製造することができる。ＲＦＲＰまたはＯＴ７Ｔ０２２をコードするＲＮＡの一部としては、公知のリボザイムによって切断され得るコンセンサス配列ＮＵＸ（式中、Ｎはすべての塩基を、ＸはＧ以外の塩基を示す）の近傍の配列などが挙げられる。
【００３６】
後述するように、ＯＴ７Ｔ０２２を欠損した非ヒト哺乳動物の表現型から、ＲＦＲＰおよびＯＴ７Ｔ０２２は、例えば、痛覚障害、眼疾患、下垂体疾患、筋疾患、心疾患、血液疾患、腎疾患、免疫疾患、副腎機能障害、摂食障害、情動障害、精神分裂病、うつ病、不安症、性機能障害、肥満、痙攣、てんかん、攻撃性行動、歩行異常、体温上昇、白血球数減少、血小板数減少、自発行動量（特に、夜間自発行動量）の増加、筋力低下など、特に筋疾患、副腎機能障害、痙攣、攻撃性行動、歩行異常、体温上昇、白血球数減少、血小板数減少、自発行動量（特に、夜間自発行動量）の増加または筋力低下などに関与していることが分かった。したがって、▲１▼ＲＦＲＰ、その部分ペプチド、もしくはそのアミドもしくはそのエステルまたはその塩（以下、ＲＦＲＰと略記する）、▲２▼ＲＦＲＰをコードするＤＮＡ、▲３▼ＲＦＲＰに対する抗体、▲４▼ＲＦＲＰをコードするＤＮＡに対するアンチセンスＤＮＡ、▲５▼ＯＴ７Ｔ０２２、その部分ペプチドまたはその塩（ＯＴ７Ｔ０２２と略記する）、▲６▼ＯＴ７Ｔ０２２をコードするＤＮＡ、▲７▼ＯＴ７Ｔ０２２に対する抗体、▲８▼ＯＴ７Ｔ０２２をコードするＤＮＡに対するアンチセンスＤＮＡは、以下のような用途を有している。
【００３７】
（１）ＲＦＲＰの機能不全に関連する疾患の予防・治療・改善剤
ａ）ＲＦＲＰ、ｂ）ＲＦＲＰをコードするＤＮＡ、ｃ）ＯＴ７Ｔ０２２またはｄ）ＯＴ７Ｔ０２２をコードするＤＮＡを、ＲＦＲＰまたはＯＴ７Ｔ０２２の機能不全に関連する疾患の予防・治療・改善剤などの医薬として使用することができる。
例えば、生体内においてＲＦＲＰまたはＯＴ７Ｔ０２２が減少しているために、ＲＦＲＰまたはＯＴ７Ｔ０２２の機能が期待できない患者がいる場合に、ａ）ＲＦＲＰを該患者に投与し該ＲＦＲＰの量を補充したり、ｂ）（イ）ＲＦＲＰをコードするＤＮＡまたはＯＴ７Ｔ０２２をコードするＤＮＡを該患者に投与し発現させることによって、あるいは（ロ）対象となる細胞にＲＦＲＰをコードするＤＮＡまたはＯＴ７Ｔ０２２をコードするＤＮＡを挿入し発現させた後に、該細胞を該患者に移植することなどによって、患者の体内におけるＲＦＲＰまたはＯＴ７Ｔ０２２の量を増加させ、ＲＦＲＰまたはＯＴ７Ｔ０２２の機能を充分に発揮させることができる。すなわち、ＲＦＲＰをコードするＤＮＡまたはＯＴ７Ｔ０２２をコードするＤＮＡは、安全で低毒性なＲＦＲＰまたはＯＴ７Ｔ０２２の機能不全に関連する疾患の予防および／または治療剤として有用である。
具体的には、ａ）ＲＦＲＰ、ｂ）ＲＦＲＰをコードするＤＮＡ、ｃ）ＯＴ７Ｔ０２２またはｄ）ＯＴ７Ｔ０２２をコードするＤＮＡは、例えば、痛覚障害、眼疾患、下垂体疾患、筋疾患、心疾患、血液疾患、腎疾患、免疫疾患、副腎機能障害、摂食障害、肥満、情動障害、精神分裂病、うつ病、不安症、性機能障害、肥満、痙攣、てんかん、攻撃性行動、歩行異常、体温上昇、白血球数減少、血小板数減少、自発行動量（特に、夜間自発行動量）の増加、筋力低下など、特に、筋疾患、副腎機能障害、痙攣、攻撃性行動、歩行異常、体温上昇、白血球数減少、血小板数減少、自発行動量（特に、夜間自発行動量）の増加または筋力低下の予防・治療・改善剤として使用することができる。
ＲＦＲＰまたはＯＴ７Ｔ０２２を上記予防・治療・改善剤として使用する場合は、常套手段に従って製剤化することができる。
一方、ＲＦＲＰをコードするＤＮＡまたはＯＴ７Ｔ０２２をコードするＤＮＡを上記予防・治療・改善剤として使用する場合は、これらＤＮＡを単独あるいはレトロウイルスベクター、アデノウイルスベクター、アデノウイルスアソシエーテッドウイルスベクターなどの適当なベクターに挿入した後、常套手段に従って実施することができる。ＤＮＡは、そのままで、あるいは摂取促進のための補助剤とともに、遺伝子銃やハイドロゲルカテーテルのようなカテーテルによって投与できる。
例えば、ａ）ＲＦＲＰ、ｂ）ＲＦＲＰをコードするＤＮＡ、ｃ）ＯＴ７Ｔ０２２またはｄ）ＯＴ７Ｔ０２２をコードするＤＮＡは、必要に応じて糖衣を施した錠剤、カプセル剤、エリキシル剤、マイクロカプセル剤などとして経口的に、あるいは水もしくはそれ以外の薬学的に許容し得る液との無菌性溶液、または懸濁液剤などの注射剤の形で非経口的に使用できる。例えば、ａ）ＲＦＲＰ、ｂ）ＲＦＲＰをコードするＤＮＡ、ｃ）ＯＴ７Ｔ０２２またはｄ）ＯＴ７Ｔ０２２をコードするＤＮＡを生理学的に認められる公知の担体、香味剤、賦形剤、ベヒクル、防腐剤、安定剤、結合剤などとともに一般に認められた製剤実施に要求される単位用量形態で混和することによって製造することができる。これら製剤における有効成分量は指示された範囲の適当な容量が得られるようにするものである。
【００３８】
錠剤、カプセル剤などに混和することができる添加剤としては、例えば、ゼラチン、コーンスターチ、トラガント、アラビアゴムのような結合剤、結晶性セルロースのような賦形剤、コーンスターチ、ゼラチン、アルギン酸などのような膨化剤、ステアリン酸マグネシウムのような潤滑剤、ショ糖、乳糖またはサッカリンのような甘味剤、ペパーミント、アカモノ油またはチェリーのような香味剤などが用いられる。調剤単位形態がカプセルである場合には、上記タイプの材料にさらに油脂のような液状担体を含有することができる。注射のための無菌組成物は注射用水のようなベヒクル中の活性物質、胡麻油、椰子油などのような天然産出植物油などを溶解または懸濁させるなどの通常の製剤実施に従って処方することができる。注射用の水性液としては、例えば、生理食塩水、ブドウ糖やその他の補助薬を含む等張液（例えば、Ｄ−ソルビトール、Ｄ−マンニトール、塩化ナトリウムなど）などが用いられ、適当な溶解補助剤、例えば、アルコール（例、エタノール）、ポリアルコール（例、プロピレングリコール、ポリエチレングリコール）、非イオン性界面活性剤（例、ポリソルベート８０ＴＭ、ＨＣＯ−５０）などと併用してもよい。油性液としては、例えば、ゴマ油、大豆油などが用いられ、溶解補助剤である安息香酸ベンジル、ベンジルアルコールなどと併用してもよい。
【００３９】
また、上記予防・治療・改善剤は、例えば、緩衝剤（例えば、リン酸塩緩衝液、酢酸ナトリウム緩衝液）、無痛化剤（例えば、塩化ベンザルコニウム、塩酸プロカインなど）、安定剤（例えば、ヒト血清アルブミン、ポリエチレングリコールなど）、保存剤（例えば、ベンジルアルコール、フェノールなど）、酸化防止剤などと配合してもよい。調製された注射液は通常、適当なアンプルに充填される。
このようにして得られる製剤は安全で低毒性であるので、例えば、ヒトや哺乳動物（例えば、ラット、マウス、ウサギ、ヒツジ、ブタ、ウシ、ネコ、イヌ、サルなど）に対して投与することができる。
ＲＦＲＰの投与量は、投与対象、対象臓器、症状、投与方法などにより差異はあるが、経口投与の場合、一般的に例えば、痛覚障害患者（体重６０ｋｇとして）においては、一日につき約０．１〜１００ｍｇ、好ましくは約１．０〜５０ｍｇ、より好ましくは約１．０〜２０ｍｇである。非経口的に投与する場合は、その１回投与量は投与対象、対象臓器、症状、投与方法などによっても異なるが、例えば、注射剤の形では通常例えば、痛覚障害患者（体重６０ｋｇとして）においては、一日につき約０．０１〜３０ｍｇ程度、好ましくは約０．１〜２０ｍｇ程度、より好ましくは約０．１〜１０ｍｇ程度を静脈注射により投与するのが好都合である。他の動物の場合も、体重６０ｋｇ当たりに換算した量を投与することができる。
ＤＮＡの投与量は、投与対象、対象臓器、症状、投与方法などにより差異はあるが、経口投与の場合、一般的に例えば、痛覚障害患者（体重６０ｋｇとして）においては、一日につき約０．１〜１００ｍｇ、好ましくは約１．０〜５０ｍｇ、より好ましくは約１．０〜２０ｍｇである。非経口的に投与する場合は、その１回投与量は投与対象、対象臓器、症状、投与方法などによっても異なるが、例えば、注射剤の形では通常例えば、痛覚障害患者（体重６０ｋｇとして）においては、一日につき約０．０１〜３０ｍｇ程度、好ましくは約０．１〜２０ｍｇ程度、より好ましくは約０．１〜１０ｍｇ程度を静脈注射により投与するのが好都合である。他の動物の場合も、体重６０ｋｇ当たりに換算した量を投与することができる。
【００４０】
（２）遺伝子診断剤
ＲＦＲＰをコードするＤＮＡ、ＯＴ７Ｔ０２２をコードするＤＮＡ、またはこれらＤＮＡに対するアンチセンスＤＮＡは、プローブとして使用することにより、ヒトまたは哺乳動物（例えば、ラット、マウス、ウサギ、ヒツジ、ブタ、ウシ、ネコ、イヌ、サルなど）におけるＲＦＲＰまたはＯＴ７Ｔ０２２をコードするＤＮＡまたはｍＲＮＡの異常（遺伝子異常）を検出することができるので、例えば、該ＤＮＡまたはｍＲＮＡの損傷、突然変異あるいは発現低下や、該ＤＮＡまたはｍＲＮＡの増加あるいは発現過多などの遺伝子診断剤として有用である。
ＤＮＡまたはアンチセンスＤＮＡを用いる上記の遺伝子診断は、例えば、自体公知のノーザンハイブリダイゼーションやＰＣＲ−ＳＳＣＰ法（ゲノミックス（Ｇｅｎｏｍｉｃｓ），第５巻，８７４〜８７９頁（１９８９年）、プロシージングズ・オブ・ザ・ナショナル・アカデミー・オブ・サイエンシイズ・オブ・ユーエスエー（Ｐｒｏｃｅｅｄｉｎｇｓ　ｏｆ　ｔｈｅ　Ｎａｔｉｏｎａｌ　Ａｃａｄｅｍｙ　ｏｆ　Ｓｃｉｅｎｃｅｓ　ｏｆ　ｔｈｅ　Ｕｎｉｔｅｄ　Ｓｔａｔｅｓ　ｏｆ　Ａｍｅｒｉｃａ），第８６巻，２７６６〜２７７０頁（１９８９年））などにより実施することができる。
例えば、ノーザンハイブリダイゼーションによりＲＦＲＰまたはＯＴ７Ｔ０２２の発現低下または発現過剰が検出された場合は、例えば、ＲＦＲＰまたはＯＴ７Ｔ０２２の機能不全または過剰発現に関連する疾患である可能性が高いまたは将来罹患する可能性が高いと診断することができる。
ＲＦＲＰまたはＯＴ７Ｔ０２２の機能不全または過剰発現に関連する疾患としては、例えば、痛覚障害、眼疾患、下垂体疾患、筋疾患、心疾患、血液疾患、腎疾患、免疫疾患、副腎機能障害、摂食障害、肥満、情動障害、精神分裂病、うつ病、不安症、性機能障害、肥満、痙攣、てんかん、攻撃性行動、歩行異常、体温変化、白血球数変化、血小板数変化、自発行動量（特に、夜間自発行動量）の変化、筋力変化など、特に筋疾患、副腎機能障害、痙攣、攻撃性行動、歩行異常、体温変化、白血球数変化、血小板数変化、自発行動量（特に、夜間自発行動量）の変化または筋力変化などが挙げられる。
特に、ＲＦＲＰまたはＯＴ７Ｔ０２２の機能不全に関連する疾患としては、例えば、痛覚障害、眼疾患、下垂体疾患、筋疾患、心疾患、血液疾患、腎疾患、免疫疾患、副腎機能障害、摂食障害、肥満、情動障害、精神分裂病、うつ病、不安症、性機能障害、肥満、痙攣、てんかん、攻撃性行動、歩行異常、体温上昇、白血球数減少、血小板数減少、自発行動量（特に、夜間自発行動量）の増加、筋力低下など、特に筋疾患、副腎機能障害、痙攣、攻撃性行動、歩行異常、体温上昇、白血球数減少、血小板数減少、自発行動量（特に、夜間自発行動量）の増加、筋力低下などが挙げられる。
一方、ＲＦＲＰまたはＯＴ７Ｔ０２２の過剰発現に関連する疾患としては、例えば、筋疾患、副腎機能障害、体温減少、白血球数増加、血小板数増加、自発行動量（特に、夜間自発行動量）の減少、痛み、モルヒネ耐性、特に筋疾患、副腎機能障害、体温減少、白血球数増加、血小板数増加、自発行動量（特に、夜間自発行動量）の減少などが挙げられる。
【００４１】
（３）ＲＦＲＰまたはＯＴ７Ｔ０２２の発現量を変化させる化合物またはその塩を含有する医薬
ＲＦＲＰまたはＯＴ７Ｔ０２２をコードするＤＮＡは、プローブとして用いることにより、ＲＦＲＰまたはＯＴ７Ｔ０２２の発現量を変化させる化合物またはその塩のスクリーニングに用いることができる。
すなわち、本発明は、例えば、（ｉ）非ヒト哺乳動物のａ）血液、ｂ）特定の臓器、ｃ）臓器から単離した組織もしくは細胞、または（ｉｉ）形質転換体等に含まれるＲＦＲＰまたはＯＴ７Ｔ０２２のｍＲＮＡ量を測定することによる、ＲＦＲＰまたはＯＴ７Ｔ０２２の発現量を変化させる化合物またはその塩のスクリーニング方法を提供する。
【００４２】
ＲＦＲＰまたはＯＴ７Ｔ０２２のｍＲＮＡ量の測定は具体的には以下のようにして行なう。
（ｉ）正常あるいは疾患モデル非ヒト哺乳動物（例えば、マウス、ラット、ウサギ、ヒツジ、ブタ、ウシ、ネコ、イヌ、サルなど、より具体的には免疫不全モデルラット、マウス、ウサギなど）に対して、薬剤（例えば、免疫調節薬など）あるいは物理的ストレス（例えば、浸水ストレス、電気ショック、明暗、低温など）などを与え、一定時間経過した後に、血液、あるいは特定の臓器（例えば、脳、肝臓、腎臓など）、または臓器から単離した組織、あるいは細胞を得る。
得られた細胞に含まれるＲＦＲＰまたはＯＴ７Ｔ０２２のｍＲＮＡは、例えば、通常の方法により細胞等からｍＲＮＡを抽出し、例えば、ＴａｑＭａｎ　ＰＣＲなどの手法を用いることにより定量することができ、自体公知の手段によりノーザンブロットを行うことにより解析することもできる。
（ｉｉ）ＲＦＲＰまたはＯＴ７Ｔ０２２を発現する形質転換体をＷＯ００／２９４４１号またはＷＯ０１／６６１３４号に記載の方法に従い作製し、該形質転換体に含まれるＲＦＲＰまたはＯＴ７Ｔ０２２のｍＲＮＡを同様にして定量、解析することができる。
【００４３】
ＲＦＲＰまたはＯＴ７Ｔ０２２の発現量を変化させる化合物またはその塩のスクリーニングは、
（ｉ）正常あるいは疾患モデル非ヒト哺乳動物に対して、薬剤あるいは物理的ストレスなどを与える一定時間前（３０分前〜２４時間前、好ましくは３０分前〜１２時間前、より好ましくは１時間前〜６時間前）もしくは一定時間後（３０分後〜３日後、好ましくは１時間後〜２日後、より好ましくは１時間後〜２４時間後）、または薬剤あるいは物理的ストレスと同時に試験化合物を投与し、投与後一定時間経過後（３０分後〜３日後、好ましくは１時間後〜２日後、より好ましくは１時間後〜２４時間後）、細胞に含まれるＲＦＲＰまたはＯＴ７Ｔ０２２のｍＲＮＡ量を定量、解析することにより行なうことができ、
（ｉｉ）形質転換体を常法に従い培養する際に試験化合物を培地中に混合させ、一定時間培養後（１日後〜７日後、好ましくは１日後〜３日後、より好ましくは２日後〜３日後）、該形質転換体に含まれるＲＦＲＰまたはＯＴ７Ｔ０２２のｍＲＮＡ量を定量、解析することにより行なうことができる。
試験化合物としては、例えば、ペプチド、蛋白質、非ペプチド性化合物、合成化合物、発酵生産物、細胞抽出液、植物抽出液、動物組織抽出液、血漿などが用いられ、これら化合物は新規な化合物であってもよいし、公知の化合物であってもよい。
試験化合物は塩を形成していてもよく、試験化合物の塩としては、生理学的に許容される酸（例、無機酸など）や塩基（例、有機酸など）などとの塩が用いられ、とりわけ生理学的に許容される酸付加塩が好ましい。この様な塩としては、例えば、無機酸（例えば、塩酸、リン酸、臭化水素酸、硫酸など）との塩、あるいは有機酸（例えば、酢酸、ギ酸、プロピオン酸、フマル酸、マレイン酸、コハク酸、酒石酸、クエン酸、リンゴ酸、蓚酸、安息香酸、メタンスルホン酸、ベンゼンスルホン酸など）との塩などが用いられる。
【００４４】
本発明のスクリーニング方法を用いて得られる化合物またはその塩は、ＲＦＲＰまたはＯＴ７Ｔ０２２の発現量を変化させる作用を有する化合物またはその塩であり、具体的には、（イ）ＲＦＲＰまたはＯＴ７Ｔ０２２の発現量を増加させることにより、ＯＴ７Ｔ０２２を介する細胞刺激活性（例えば、アラキドン酸遊離、アセチルコリン遊離、細胞内Ｃａ２＋遊離、細胞内ｃＡＭＰ生成、細胞内ｃＡＭＰ生成抑制、細胞内ｃＧＭＰ生成、イノシトールリン酸産生、細胞膜電位変動、細胞内蛋白質のリン酸化、ｃ−ｆｏｓの活性化、ｐＨの低下などを促進する活性または抑制する活性など）を増強させる化合物またはその塩、（ロ）ＲＦＲＰの発現量を減少させることにより、該細胞刺激活性を減弱させる化合物またはその塩である。
本発明のスクリーニング方法を用いて得られる化合物としては、ペプチド、蛋白質、非ペプチド性化合物、合成化合物、発酵生産物、細胞抽出液、植物抽出液、動物組織抽出液、血漿などが挙げられ、これら化合物は新規な化合物であってもよいし、公知の化合物であってもよい。
該化合物の塩としては、前記したＲＦＲＰの塩と同様のものが用いられる。
上記スクリーニング方法で得られるＲＦＲＰまたはＯＴ７Ｔ０２２の発現量を増加させる化合物またはその塩は、例えば、痛覚障害、眼疾患、下垂体疾患、筋疾患、心疾患、血液疾患、腎疾患、免疫疾患、副腎機能障害、摂食障害、肥満、情動障害、精神分裂病、うつ病、不安症、性機能障害、肥満、痙攣、てんかん、攻撃性行動、歩行異常、体温変化、白血球数変化、血小板数変化、自発行動量（特に、夜間自発行動量）の変化、筋力変化など、好ましくは筋疾患、副腎機能障害、痙攣、攻撃性行動、歩行異常、体温変化、白血球数変化、血小板数変化、自発行動量（特に、夜間自発行動量）の変化または筋力変化、特に筋疾患、副腎機能障害、痙攣、攻撃性行動、歩行異常、体温上昇、白血球数減少、血小板数減少、自発行動量（特に、夜間自発行動量）の増加、筋力低下に対する安全で低毒性な予防・治療・改善剤として用いることができる。
上記スクリーニング方法で得られるＲＦＲＰまたはＯＴ７Ｔ０２２の発現量を減少させる化合物またはその塩は、例えば、筋疾患、副腎機能障害、体温減少、白血球数増加、血小板数増加または自発行動量（特に、夜間自発行動量）の減少に対する安全で低毒性な予防・治療・改善剤、鎮痛剤、モルヒネの鎮痛作用促進剤、モルヒネ耐性回避剤、モルヒネ依存性回避剤などとして用いることができる。
【００４５】
本発明のスクリーニング方法を用いて得られる化合物またはその塩を医薬組成物として使用する場合、常套手段に従って製剤化することができる。具体的には、上記したＲＦＲＰを含有する予防・治療・改善剤と同様に製造することができる。
得られる製剤は安全で低毒性であるので、例えば、ヒトや哺乳動物（例えば、ラット、マウス、ウサギ、ヒツジ、ブタ、ウシ、ネコ、イヌ、サルなど）に対して投与することができる。
該化合物またはその塩の投与量は、投与対象、対象臓器、症状、投与方法などにより差異はあるが、経口投与の場合、一般的に例えば、痛覚障害患者（体重６０ｋｇとして）においては、一日につきＲＦＲＰまたはＯＴ７Ｔ０２２の発現量を増加させる化合物またはその塩を約０．１〜１００ｍｇ、好ましくは約１．０〜５０ｍｇ、より好ましくは約１．０〜２０ｍｇである。非経口的に投与する場合は、その１回投与量は投与対象、対象臓器、症状、投与方法などによっても異なるが、例えば、注射剤の形では、通常例えば、痛覚障害患者（体重６０ｋｇとして）においては、一日につきＲＦＲＰまたはＯＴ７Ｔ０２２の発現量を増加させる化合物またはその塩を約０．０１〜３０ｍｇ程度、好ましくは約０．１〜２０ｍｇ程度、より好ましくは約０．１〜１０ｍｇ程度を静脈注射により投与するのが好都合である。他の動物の場合も、体重６０ｋｇ当たりに換算した量を投与することができる。
【００４６】
（４）抗体を用いる診断方法
ＲＦＲＰまたはＯＴ７Ｔ０２２に対する抗体（以下、本発明の抗体と略記する）は、ＲＦＲＰまたはＯＴ７Ｔ０２２を特異的に認識することができるので、被検液中のＲＦＲＰまたはＯＴ７Ｔ０２２の検出や中和に使用することができる。
すなわち、本発明は、
（ｉ）本発明の抗体と、被検液および標識化されたＲＦＲＰまたはＯＴ７Ｔ０２２とを競合的に反応させ、該抗体に結合した標識化されたＲＦＲＰまたはＯＴ７Ｔ０２２の割合を測定することを特徴とする被検液中のＲＦＲＰまたはＯＴ７Ｔ０２２の定量法、および
（ｉｉ）被検液と担体上に不溶化した本発明の抗体および標識化された本発明の別の抗体とを同時あるいは連続的に反応させたのち、不溶化担体上の標識剤の活性を測定することを特徴とする被検液中のＲＦＲＰまたはＯＴ７Ｔ０２２の定量法を提供する。
【００４７】
上記（ｉｉ）の定量法においては、一方の抗体がＲＦＲＰまたはＯＴ７Ｔ０２２のＮ端部を認識する抗体で、他方の抗体がＲＦＲＰまたはＯＴ７Ｔ０２２のＣ端部に反応する抗体であることが望ましい。
また、ＲＦＲＰまたはＯＴ７Ｔ０２２に対するモノクローナル抗体（以下、本発明のモノクローナル抗体）を用いてＲＦＲＰまたはＯＴ７Ｔ０２２の定量を行うことができるほか、組織染色等による検出を行なうこともできる。これらの目的には、抗体分子そのものを用いてもよく、また、抗体分子のＦ（ａｂ’）２、Ｆａｂ’、あるいはＦａｂ画分を用いてもよい。
本発明の抗体を用いるＲＦＲＰまたはＯＴ７Ｔ０２２の定量法は、特に制限されるべきものではなく、被測定液中の抗原量（例えば、ＲＦＲＰ量またはＯＴ７Ｔ０２２量）に対応した抗体、抗原もしくは抗体−抗原複合体の量を化学的または物理的手段により検出し、これを既知量の抗原を含む標準液を用いて作製した標準曲線より算出する測定法であれば、いずれの測定法を用いてもよい。例えば、ネフロメトリー、競合法、イムノメトリック法およびサンドイッチ法が好適に用いられるが、感度、特異性の点で、後述するサンドイッチ法を用いるのが特に好ましい。
【００４８】
標識物質を用いる測定法に用いられる標識剤としては、例えば、放射性同位元素、酵素、蛍光物質、発光物質などが用いられる。放射性同位元素としては、例えば、〔１２５Ｉ〕、〔１３１Ｉ〕、〔３Ｈ〕、〔１４Ｃ〕などが用いられる。上記酵素としては、安定で比活性の大きなものが好ましく、例えば、β−ガラクトシダーゼ、β−グルコシダーゼ、アルカリフォスファターゼ、パーオキシダーゼ、リンゴ酸脱水素酵素などが用いられる。蛍光物質としては、例えば、フルオレスカミン、フルオレッセンイソチオシアネートなどが用いられる。発光物質としては、例えば、ルミノール、ルミノール誘導体、ルシフェリン、ルシゲニンなどが用いられる。さらに、抗体あるいは抗原と標識剤との結合にビオチン−アビジン系を用いることもできる。
抗原あるいは抗体の不溶化に当っては、物理吸着を用いてもよく、また通常酵素等を不溶化、固定化するのに用いられる化学結合を用いる方法でもよい。担体としては、アガロース、デキストラン、セルロースなどの不溶性多糖類、ポリスチレン、ポリアクリルアミド、シリコン等の合成樹脂、あるいはガラス等があげられる。
サンドイッチ法においては不溶化した本発明のモノクローナル抗体に被検液を反応させ（１次反応）、さらに標識化した別の本発明のモノクローナル抗体を反応させ（２次反応）たのち、不溶化担体上の標識剤の活性を測定することにより被検液中のＲＦＲＰ量を定量することができる。１次反応と２次反応は逆の順序に行っても、また、同時に行なってもよいし時間をずらして行なってもよい。標識化剤および不溶化の方法は前記のそれらに準じることができる。また、サンドイッチ法による免疫測定法において、固相用抗体あるいは標識用抗体に用いられる抗体は必ずしも１種類である必要はなく、測定感度を向上させる等の目的で２種類以上の抗体の混合物を用いてもよい。
【００４９】
本発明のサンドイッチ法によるＲＦＲＰまたはＯＴ７Ｔ０２２の測定法においては、１次反応と２次反応に用いられる本発明のモノクローナル抗体は、ＲＦＲＰまたはＯＴ７Ｔ０２２の結合する部位が相異なる抗体が好ましく用いられる。すなわち、１次反応および２次反応に用いられる抗体は、例えば、２次反応で用いられる抗体が、ＲＦＲＰまたはＯＴ７Ｔ０２２のＣ端部を認識する場合、１次反応で用いられる抗体は、好ましくはＣ端部以外、例えばＮ端部を認識する抗体が用いられる。
本発明のモノクローナル抗体をサンドイッチ法以外の測定システム、例えば、競合法、イムノメトリック法あるいはネフロメトリーなどに用いることができる。
競合法では、被検液中の抗原と標識抗原とを抗体に対して競合的に反応させたのち、未反応の標識抗原（Ｆ）と、抗体と結合した標識抗原（Ｂ）とを分離し（Ｂ／Ｆ分離）、Ｂ，Ｆいずれかの標識量を測定し、被検液中の抗原量を定量する。本反応法には、抗体として可溶性抗体を用い、Ｂ／Ｆ分離をポリエチレングリコール、前記抗体に対する第２抗体などを用いる液相法、および、第１抗体として固相化抗体を用いるか、あるいは、第１抗体は可溶性のものを用い第２抗体として固相化抗体を用いる固相化法とが用いられる。
イムノメトリック法では、被検液中の抗原と固相化抗原とを一定量の標識化抗体に対して競合反応させた後、固相と液相を分離するか、あるいは、被検液中の抗原と過剰量の標識化抗体とを反応させ、次に固相化抗原を加え未反応の標識化抗体を固相に結合させた後、固相と液相を分離する。次に、いずれかの相の標識量を測定し被検液中の抗原量を定量する。
また、ネフロメトリーでは、ゲル内あるいは溶液中で抗原抗体反応の結果生じた不溶性の沈降物の量を測定する。被検液中の抗原量が僅かであり、少量の沈降物しか得られない場合にもレーザーの散乱を利用するレーザーネフロメトリーなどが好適に用いられる。
これら個々の免疫学的測定法を本発明の定量方法に適用するにあたっては、特別の条件、操作等の設定は必要とされない。それぞれの方法における通常の条件、操作法に当業者の通常の技術的配慮を加えてＲＦＲＰまたはＯＴ７Ｔ０２２の測定系を構築すればよい。これらの一般的な技術手段の詳細については、総説、成書などを参照することができる。
例えば、入江　寛編「ラジオイムノアッセイ」（講談社、昭和４９年発行）、入江　寛編「続ラジオイムノアッセイ」（講談社、昭和５４年発行）、石川栄治ら編「酵素免疫測定法」（医学書院、昭和５３年発行）、石川栄治ら編「酵素免疫測定法」（第２版）（医学書院、昭和５７年発行）、石川栄治ら編「酵素免疫測定法」（第３版）（医学書院、昭和６２年発行）、「Ｍｅｔｈｏｄｓ　ｉｎ　ＥＮＺＹＭＯＬＯＧＹ」Ｖｏｌ．　７０（Ｉｍｍｕｎｏｃｈｅｍｉｃａｌ　Ｔｅｃｈｎｉｑｕｅｓ（Ｐａｒｔ　Ａ））、　同書　Ｖｏｌ．　７３（Ｉｍｍｕｎｏｃｈｅｍｉｃａｌ　Ｔｅｃｈｎｉｑｕｅｓ（Ｐａｒｔ　Ｂ））、　同書　Ｖｏｌ．　７４（Ｉｍｍｕｎｏｃｈｅｍｉｃａｌ　Ｔｅｃｈｎｉｑｕｅｓ（Ｐａｒｔ　Ｃ））、　同書　Ｖｏｌ．　８４（Ｉｍｍｕｎｏｃｈｅｍｉｃａｌ　Ｔｅｃｈｎｉｑｕｅｓ（Ｐａｒｔ　Ｄ　：　Ｓｅｌｅｃｔｅｄ　Ｉｍｍｕｎｏａｓｓａｙｓ））、　同書　Ｖｏｌ．　９２（Ｉｍｍｕｎｏｃｈｅｍｉｃａｌ　Ｔｅｃｈｎｉｑｕｅｓ（Ｐａｒｔ　Ｅ　：　Ｍｏｎｏｃｌｏｎａｌ　Ａｎｔｉｂｏｄｉｅｓ　ａｎｄ　Ｇｅｎｅｒａｌ　Ｉｍｍｕｎｏａｓｓａｙ　Ｍｅｔｈｏｄｓ））、　同書　Ｖｏｌ．　１２１（Ｉｍｍｕｎｏｃｈｅｍｉｃａｌ　Ｔｅｃｈｎｉｑｕｅｓ（Ｐａｒｔ　Ｉ　：　Ｈｙｂｒｉｄｏｍａ　Ｔｅｃｈｎｏｌｏｇｙ　ａｎｄ　Ｍｏｎｏｃｌｏｎａｌ　Ａｎｔｉｂｏｄｉｅｓ））（以上、アカデミックプレス社発行）などを参照することができる。
以上のようにして、本発明の抗体を用いることによって、ＲＦＲＰまたはＯＴ７Ｔ０２２を感度良く定量することができる。
【００５０】
さらには、本発明の抗体を用いてＲＦＲＰまたはＯＴ７Ｔ０２２の濃度を定量することによって、ＲＦＲＰまたはＯＴ７Ｔ０２２の濃度の減少が検出された場合、例えば、痛覚障害、眼疾患、下垂体疾患、筋疾患、心疾患、血液疾患、腎疾患、免疫疾患、副腎機能障害、摂食障害、肥満、情動障害、精神分裂病、うつ病、不安症、性機能障害、肥満、痙攣、てんかん、攻撃性行動、歩行異常、体温上昇、白血球数減少、血小板数減少、自発行動量（特に、夜間自発行動量）の増加、筋力低下など、特に筋疾患、副腎機能障害、痙攣、攻撃性行動、歩行異常、体温上昇、白血球数減少、血小板数減少、自発行動量（特に、夜間自発行動量）の増加または筋力低下などの疾患である、または将来罹患する可能性が高いと診断することができる。
また、ＲＦＲＰまたはＯＴ７Ｔ０２２の濃度の増加が検出された場合には、例えば、筋疾患、副腎機能障害、体温減少、白血球数増加、血小板数増加または自発行動量（特に、夜間自発行動量）の減少、痛み、モルヒネ耐性などの疾患である、または将来罹患する可能性が高いと診断することができる。
【００５１】
（５）ＲＦＲＰとＯＴ７Ｔ０２２との結合性またはシグナル伝達を変化させる化合物またはその塩（アゴニスト、アンタゴニストなど）のスクリーニング方法、およびＲＦＲＰとＯＴ７Ｔ０２２との結合性またはシグナル伝達を変化させる化合物またはその塩を含有する医薬
ＯＴ７Ｔ０２２を用いるか、または組換え型ＯＴ７Ｔ０２２の発現系を構築し、該発現系を用いたレセプター結合アッセイ系を用いることによって、例えば、痛覚障害、眼疾患、下垂体疾患、筋疾患、心疾患、血液疾患、腎疾患、免疫疾患、副腎機能障害、摂食障害、肥満、情動障害、精神分裂病、うつ病、不安症、性機能障害、肥満、痙攣、てんかん、攻撃性行動、歩行異常、体温上昇、白血球数減少、血小板数減少、自発行動量（特に、夜間自発行動量）の増加、筋力低下、体温減少、白血球数増加、血小板数増加、自発行動量（特に、夜間自発行動量）の減少、痛み、モルヒネ耐性などの予防・治療・改善薬として有用なＲＦＲＰとＯＴ７Ｔ０２２との結合性またはシグナル伝達を変化させる化合物（例えば、ペプチド、蛋白質、非ペプチド性化合物、合成化合物、発酵生産物など）またはその塩を効率よくスクリーニングすることができる。
このような化合物には、（イ）ＯＴ７Ｔ０２２を介して細胞刺激活性（例えば、アラキドン酸遊離、アセチルコリン遊離、細胞内Ｃａ２＋遊離、細胞内ｃＡＭＰ生成、細胞内ｃＡＭＰ生成抑制、細胞内ｃＧＭＰ生成、イノシトールリン酸産生、細胞膜電位変動、細胞内蛋白質のリン酸化、ｃ−ｆｏｓの活性化、ｐＨの低下などを促進する活性または抑制する活性など）を有する化合物（いわゆる、ＯＴ７Ｔ０２２アゴニスト）、（ロ）ＯＴ７Ｔ０２２を介する細胞刺激活性を阻害する化合物（いわゆる、ＯＴ７Ｔ０２２アンタゴニスト）、（ハ）ＲＦＲＰとＯＴ７Ｔ０２２との結合力を増強する化合物、または（ニ）ＲＦＲＰとＯＴ７Ｔ０２２との結合力を減少させる化合物などが含まれる。
すなわち、本発明は、
（１）ＲＦＲＰおよび（または）ＯＴ７Ｔ０２２を用いることを特徴とする痛覚障害、眼疾患、下垂体疾患、筋疾患、心疾患、血液疾患、腎疾患、免疫疾患、副腎機能障害、摂食障害、肥満、情動障害、精神分裂病、うつ病、不安症、性機能障害、肥満、痙攣、てんかん、攻撃性行動、歩行異常、体温上昇、白血球数減少、血小板数減少、自発行動量（特に、夜間自発行動量）の増加、筋力低下、体温減少、白血球数増加、血小板数増加、自発行動量（特に、夜間自発行動量）の減少、痛み、モルヒネ耐性など、特に痛覚障害、副腎機能障害、痙攣、攻撃性行動、歩行異常、体温上昇、白血球数減少、血小板数減少、自発行動量（特に、夜間自発行動量）の増加、筋力低下、体温減少、白血球数増加、血小板数増加、自発行動量（特に、夜間自発行動量）の減少などの予防・治療・改善薬のスクリーニング方法、
（２）（ｉ）ＲＦＲＰとＯＴ７Ｔ０２２とを接触させた場合と（ｉｉ）ＲＦＲＰとＯＴ７Ｔ０２２および試験化合物とを接触させた場合との比較を行なうことを特徴とする痛覚障害、眼疾患、下垂体疾患、筋疾患、心疾患、血液疾患、腎疾患、免疫疾患、副腎機能障害、摂食障害、肥満、情動障害、精神分裂病、うつ病、不安症、性機能障害、肥満、痙攣、てんかん、攻撃性行動、歩行異常、体温上昇、白血球数減少、血小板数減少、自発行動量（特に、夜間自発行動量）の増加、筋力低下、体温減少、白血球数増加、血小板数増加、自発行動量（特に、夜間自発行動量）の減少、痛み、モルヒネ耐性など、特に痛覚障害、副腎機能障害、痙攣、攻撃性行動、歩行異常、体温上昇、白血球数減少、血小板数減少、自発行動量（特に、夜間自発行動量）の増加、筋力低下、体温減少、白血球数増加、血小板数増加、自発行動量（特に、夜間自発行動量）の減少の予防・治療・改善薬のスクリーニング方法を提供する。
痛覚障害、眼疾患、下垂体疾患、筋疾患、心疾患、血液疾患、腎疾患、免疫疾患、副腎機能障害、摂食障害、肥満、情動障害、精神分裂病、うつ病、不安症、性機能障害、肥満、痙攣、てんかん、攻撃性行動、歩行異常、体温上昇、白血球数減少、血小板数減少、自発行動量（特に、夜間自発行動量）の増加、筋力低下、体温減少、白血球数増加、血小板数増加、自発行動量（特に、夜間自発行動量）の減少、痛み、モルヒネ耐性などの予防・治療・改善薬は、ＲＦＲＰとＯＴ７Ｔ０２２との結合性またはシグナル伝達を変化させる化合物またはその塩である。
本発明のスクリーニング方法においては、（ｉ）と（ｉｉ）の場合における、例えば、ＯＴ７Ｔ０２２に対するＲＦＲＰの結合量、細胞刺激活性などを測定して、比較することを特徴とする。
【００５２】
より具体的には、本発明は、
ａ）標識したＲＦＲＰを、ＯＴ７Ｔ０２２に接触させた場合と、標識したＲＦＲＰおよび試験化合物をＯＴ７Ｔ０２２に接触させた場合における、標識したＲＦＲＰのＯＴ７Ｔ０２２に対する結合量を測定し、比較することを特徴とするＲＦＲＰとＯＴ７Ｔ０２２との結合性またはシグナル伝達を変化させる化合物またはその塩のスクリーニング方法、
ｂ）標識したＲＦＲＰを、ＯＴ７Ｔ０２２を含有する細胞または該細胞の膜画分に接触させた場合と、標識したＲＦＲＰおよび試験化合物をＯＴ７Ｔ０２２を含有する細胞または該細胞の膜画分に接触させた場合における、標識したＲＦＲＰの該細胞または該膜画分に対する結合量を測定し、比較することを特徴とするＲＦＲＰとＯＴ７Ｔ０２２との結合性またはシグナル伝達を変化させる化合物またはその塩のスクリーニング方法、
ｃ）標識したＲＦＲＰを、ＯＴ７Ｔ０２２をコードするＤＮＡを含有する形質転換体を培養することによって細胞膜上に発現したＯＴ７Ｔ０２２に接触させた場合と、標識したＲＦＲＰおよび試験化合物をＯＴ７Ｔ０２２をコードするＤＮＡを含有する形質転換体を培養することによって細胞膜上に発現したＯＴ７Ｔ０２２に接触させた場合における、標識したＲＦＲＰのＯＴ７Ｔ０２２に対する結合量を測定し、比較することを特徴とするＲＦＲＰとＯＴ７Ｔ０２２との結合性またはシグナル伝達を変化させる化合物またはその塩のスクリーニング方法、
【００５３】
ｄ）ＲＦＲＰを活性化する化合物またはその塩（例えば、ＲＦＲＰなど）をＯＴ７Ｔ０２２を含有する細胞に接触させた場合と、ＲＦＲＰを活性化する化合物またはその塩および試験化合物をＯＴ７Ｔ０２２を含有する細胞に接触させた場合における、ＯＴ７Ｔ０２２を介した細胞刺激活性を測定し、比較することを特徴とするＲＦＲＰとＯＴ７Ｔ０２２との結合性またはシグナル伝達を変化させる化合物またはその塩のスクリーニング方法、および
ｅ）ＲＦＲＰを活性化する化合物またはその塩（例えば、ＲＦＲＰなど）をＯＴ７Ｔ０２２をコードするＤＮＡを含有する形質転換体を培養することによって細胞膜上に発現したＯＴ７Ｔ０２２に接触させた場合と、ＲＦＲＰを活性化する化合物またはその塩および試験化合物をＯＴ７Ｔ０２２をコードするＤＮＡを含有する形質転換体を培養することによって細胞膜上に発現したＯＴ７Ｔ０２２に接触させた場合における、レセプターを介する細胞刺激活性を測定し、比較することを特徴とするＲＦＲＰとＯＴ７Ｔ０２２との結合性またはシグナル伝達を変化させる化合物またはその塩のスクリーニング方法を提供する。
本発明のスクリーニング方法では、ＲＦＲＰの代わりに、ＲＦＲＰとＯＴ７Ｔ０２２との結合性を変化させる化合物またはその塩を用いることもできる。このＲＦＲＰとＯＴ７Ｔ０２２との結合性を変化させる化合物またはその塩は、ＲＦＲＰを用いて本発明のスクーニング方法を実施することによって得ることができる。
【００５４】
本発明のスクリーニング方法の具体的な説明を以下にする。
まず、本発明のスクリーニング方法に用いるＯＴ７Ｔ０２２としては、ＯＴ７Ｔ０２２を含有する哺乳動物の臓器の細胞膜画分が好適である。しかし、特にヒト由来の臓器は入手が極めて困難なことから、スクリーニングに用いられるものとしては、組換え体を用いて大量発現させたヒト由来のＯＴ７Ｔ０２２などが適している。
ＯＴ７Ｔ０２２を製造するには、ＷＯ００／２９４４１号またはＷＯ０１／６６１３４号に記載の方法が用いられるが、ＯＴ７Ｔ０２２をコードするＤＮＡを哺乳細胞や昆虫細胞で発現することにより行なうことが好ましい。目的とする蛋白質部分をコードするＤＮＡ断片には相補ＤＮＡが用いられるが、必ずしもこれに制約されるものではない。例えば、遺伝子断片や合成ＤＮＡを用いてもよい。ＯＴ７Ｔ０２２をコードするＤＮＡ断片を宿主動物細胞に導入し、それらを効率よく発現させるためには、該ＤＮＡ断片を昆虫を宿主とするバキュロウイルスに属する核多角体病ウイルス（ｎｕｃｌｅａｒ　ｐｏｌｙｈｅｄｒｏｓｉｓ　ｖｉｒｕｓ；ＮＰＶ）のポリヘドリンプロモーター、ＳＶ４０由来のプロモーター、レトロウイルスのプロモーター、メタロチオネインプロモーター、ヒトヒートショックプロモーター、サイトメガロウイルスプロモーター、ＳＲαプロモーターなどの下流に組み込むのが好ましい。発現したレセプターの量と質の検査はそれ自体公知の方法で行うことができる。例えば、文献〔Ｎａｍｂｉ，Ｐ．ら、ザ・ジャーナル・オブ・バイオロジカル・ケミストリー（Ｊ．　Ｂｉｏｌ．　Ｃｈｅｍ．），２６７巻，１９５５５〜１９５５９頁，１９９２年〕に記載の方法に従って行なうことができる。
したがって、本発明のスクリーニング方法において、ＯＴ７Ｔ０２２を含有するものとしては、それ自体公知の方法に従って精製したＯＴ７Ｔ０２２であってもよいし、ＯＴ７Ｔ０２２を含有する細胞を用いてもよく、またＯＴ７Ｔ０２２を含有する細胞の膜画分を用いてもよい。
【００５５】
本発明のスクリーニング方法において、ＯＴ７Ｔ０２２を含有する細胞を用いる場合、該細胞をグルタルアルデヒド、ホルマリンなどで固定化してもよい。固定化方法はそれ自体公知の方法に従って行なうことができる。
ＯＴ７Ｔ０２２を含有する細胞としては、ＯＴ７Ｔ０２２を発現した宿主細胞をいうが、該宿主細胞としては、大腸菌、枯草菌、酵母、昆虫細胞、動物細胞などが好ましい。
細胞膜画分としては、細胞を破砕した後、それ自体公知の方法で得られる細胞膜が多く含まれる画分のことをいう。細胞の破砕方法としては、Ｐｏｔｔｅｒ−Ｅｌｖｅｈｊｅｍ型ホモジナイザーで細胞を押し潰す方法、ワーリングブレンダーやポリトロン（Ｋｉｎｅｍａｔｉｃａ社製）のよる破砕、超音波による破砕、フレンチプレスなどで加圧しながら細胞を細いノズルから噴出させることによる破砕などが挙げられる。細胞膜の分画には、分画遠心分離法や密度勾配遠心分離法などの遠心力による分画法が主として用いられる。例えば、細胞破砕液を低速（５００〜３０００ｒｐｍ）で短時間（通常、約１〜１０分）遠心し、上清をさらに高速（１５０００〜３００００ｒｐｍ）で通常３０分〜２時間遠心し、得られる沈澱を膜画分とする。該膜画分中には、発現したＯＴ７Ｔ０２２と細胞由来のリン脂質や膜蛋白質などの膜成分が多く含まれる。
ＯＴ７Ｔ０２２を含有する細胞や膜画分中のＯＴ７Ｔ０２２の量は、１細胞当たり１０３〜１０８分子であるのが好ましく、１０５〜１０７分子であるのが好適である。なお、発現量が多いほど膜画分当たりのＯＴ７Ｔ０２２結合活性（比活性）が高くなり、高感度なスクリーニング系の構築が可能になるばかりでなく、同一ロットで大量の試料を測定できるようになる。
【００５６】
ＲＦＲＰとＯＴ７Ｔ０２２との結合性またはシグナル伝達を変化させる化合物またはその塩をスクリーニングする上記のａ）〜ｃ）を実施するためには、例えば、適当なＯＴ７Ｔ０２２画分と、標識したＲＦＲＰが必要である。
ＯＴ７Ｔ０２２画分としては、天然型のＯＴ７Ｔ０２２画分か、またはそれと同等の活性を有する組換え型ＯＴ７Ｔ０２２画分などが望ましい。ここで、同等の活性とは、同等のリガンド結合活性、シグナル情報伝達作用などを示す。
標識したＲＦＲＰとしては、標識したＲＦＲＰ、標識したＲＦＲＰアナログ化合物などが用いられる。例えば〔３Ｈ〕、〔１２５Ｉ〕、〔１４Ｃ〕、〔３５Ｓ〕などで標識されたＲＦＲＰなどが用いられる。
具体的には、ＲＦＲＰとＯＴ７Ｔ０２２との結合性またはシグナル伝達を変化させる化合物のスクリーニングを行なうには、まずＯＴ７Ｔ０２２を含有する細胞または細胞の膜画分を、スクリーニングに適したバッファーに懸濁することによりＯＴ７Ｔ０２２標品を調製する。バッファーには、ｐＨ４〜１０（望ましくはｐＨ６〜８）のリン酸バッファー、トリス−塩酸バッファーなどのＲＦＲＰとＯＴ７Ｔ０２２との結合を阻害しないバッファーであればいずれでもよい。また、非特異的結合を低減させる目的で、ＣＨＡＰＳ、Ｔｗｅｅｎ−８０ＴＭ（花王−アトラス社）、ジギトニン、デオキシコレートなどの界面活性剤をバッファーに加えることもできる。さらに、プロテアーゼによるＯＴ７Ｔ０２２やＲＦＲＰの分解を抑える目的でＰＭＳＦ、ロイペプチン、Ｅ−６４（ペプチド研究所製）、ペプスタチンなどのプロテアーゼ阻害剤を添加することもできる。０．０１〜１０ｍｌの該レセプター溶液に、一定量（５０００〜５０００００ｃｐｍ）の標識したＲＦＲＰを添加し、同時に１０−４Ｍ〜１０−１０Ｍの試験化合物を共存させる。非特異的結合量（ＮＳＢ）を知るために大過剰の未標識のＲＦＲＰを加えた反応チューブも用意する。反応は約０〜５０℃、望ましくは約４〜３７℃で、約２０分〜２４時間、望ましくは約３０分〜３時間行う。反応後、ガラス繊維濾紙等で濾過し、適量の同バッファーで洗浄した後、ガラス繊維濾紙に残存する放射活性を液体シンチレーションカウンターまたはγ−カウンターで計測する。拮抗する物質がない場合のカウント（Ｂ０）から非特異的結合量（ＮＳＢ）を引いたカウント（Ｂ０−ＮＳＢ）を１００％とした時、特異的結合量（Ｂ−ＮＳＢ）が、例えば、５０％以下になる試験化合物を拮抗阻害能力のある候補物質として選択することができる。
【００５７】
ＲＦＲＰとＯＴ７Ｔ０２２との結合性またはシグナル伝達を変化させる化合物またはその塩をスクリーニングする上記のｄ）〜ｅ）の方法を実施するためには、例えば、ＯＴ７Ｔ０２２を介する細胞刺激活性を公知の方法または市販の測定用キットを用いて測定することができる。
具体的には、まず、ＯＴ７Ｔ０２２を含有する細胞をマルチウェルプレート等に培養する。スクリーニングを行なうにあたっては前もって新鮮な培地あるいは細胞に毒性を示さない適当なバッファーに交換し、試験化合物などを添加して一定時間インキュベートした後、細胞を抽出あるいは上清液を回収して、生成した産物をそれぞれの方法に従って定量する。細胞刺激活性の指標とする物質（例えば、アラキドン酸など）の生成が、細胞が含有する分解酵素によって検定困難な場合は、該分解酵素に対する阻害剤を添加してアッセイを行なってもよい。また、ｃＡＭＰ産生抑制などの活性については、フォルスコリンなどで細胞の基礎的産生量を増大させておいた細胞に対する産生抑制作用として検出することができる。
細胞刺激活性を測定してスクリーニングを行なうには、適当なＯＴ７Ｔ０２２を発現した細胞が必要である。ＯＴ７Ｔ０２２を発現した細胞としては、天然型のＯＴ７Ｔ０２２を有する細胞株、上記の組換え型ＯＴ７Ｔ０２２を発現した細胞株などが望ましい。
試験化合物としては、前記と同様のものが用いられる。
また、試験化合物としては、ＯＴ７Ｔ０２２の活性部位の原子座標およびリガンド結合ポケットの位置に基づいて、リガンド結合ポケットに結合するように設計された化合物が好ましく用いられる。ＯＴ７Ｔ０２２の活性部位の原子座標およびリガンド結合ポケットの位置の測定は、公知の方法あるいはそれに準じる方法を用いて行うことができる。
【００５８】
ＲＦＲＰとＯＴ７Ｔ０２２との結合性またはシグナル伝達を変化させる化合物またはその塩のスクリーニング用キットは、ＲＦＲＰ、ＯＴ７Ｔ０２２を含有する細胞またはその細胞膜画分を含有するものなどである。
本発明のスクリーニング用キットの例としては、次のものが挙げられる。
１．スクリーニング用試薬
ａ）測定用緩衝液および洗浄用緩衝液
Ｈａｎｋｓ’　Ｂａｌａｎｃｅｄ　Ｓａｌｔ　Ｓｏｌｕｔｉｏｎ（ギブコ社製）に、０．０５％のウシ血清アルブミン（シグマ社製）を加えたもの。
孔径０．４５μｍのフィルターで濾過滅菌し、４℃で保存するか、あるいは用時調製しても良い。
ｂ）ＯＴ７Ｔ０２２標品
ＯＴ７Ｔ０２２を発現させたＣＨＯ細胞を、１２穴プレートに５×１０５個／穴で継代し、３７℃、５％ＣＯ２、９５％ａｉｒで２日間培養したもの。
ｃ）標識ＲＦＲＰ
市販の〔３Ｈ〕、〔１２５Ｉ〕、〔１４Ｃ〕、〔３５Ｓ〕などで標識したＲＦＲＰ
水溶液の状態のものを４℃あるいは−２０℃にて保存し、用時に測定用緩衝液にて１μＭに希釈する。
ｄ）ＲＦＲＰ標準液
ＲＦＲＰを０．１％ウシ血清アルブミン（シグマ社製）を含むＰＢＳで１ｍＭとなるように溶解し、−２０℃で保存する。
【００５９】
２．測定法
ａ）１２穴組織培養用プレートにて培養したＯＴ７Ｔ０２２発現ＣＨＯ細胞を、測定用緩衝液１ｍｌで２回洗浄した後、４９０μｌの測定用緩衝液を各穴に加える。
ｂ）１０−３〜１０−１０Ｍの試験化合物溶液を５μｌ加えた後、標識ＲＦＲＰを５μｌ加え、室温にて１時間反応させる。非特異的結合量を知るためには試験化合物の代わりに１０−３ＭのＲＦＲＰを５μｌ加えておく。
ｃ）反応液を除去し、１ｍｌの洗浄用緩衝液で３回洗浄する。細胞に結合した標識ＲＦＲＰを０．２Ｎ　ＮａＯＨ−１％ＳＤＳで溶解し、４ｍｌの液体シンチレーターＡ（和光純薬製）と混合する。
ｄ）液体シンチレーションカウンター（ベックマン社製）を用いて放射活性を測定し、Ｐｅｒｃｅｎｔ　Ｍａｘｉｍｕｍ　Ｂｉｎｄｉｎｇ（ＰＭＢ）を次の式で求める。
ＰＭＢ＝［（Ｂ−ＮＳＢ）／（Ｂ０−ＮＳＢ）］×１００
ＰＭＢ：Ｐｅｒｃｅｎｔ　Ｍａｘｉｍｕｍ　Ｂｉｎｄｉｎｇ
Ｂ　　：検体を加えた時の値
ＮＳＢ：Ｎｏｎ−ｓｐｅｃｉｆｉｃ　Ｂｉｎｄｉｎｇ（非特異的結合量）
Ｂ０　　：最大結合量
【００６０】
本発明のスクリーニング方法またはスクリーニング用キットを用いて得られる化合物としては、ペプチド、蛋白質、非ペプチド性化合物、合成化合物、発酵生産物、細胞抽出液、植物抽出液、動物組織抽出液、血漿などが挙げられ、これら化合物は新規な化合物であってもよいし、公知の化合物であってもよい。
上記スクリーニング方法で得られる化合物の塩としては、前記したＲＦＲＰの塩と同様の塩が用いられる。
本発明のスクリーニング方法またはスクリーニング用キットを用いて得られる化合物またはその塩は、ＲＦＲＰとＯＴ７Ｔ０２２との結合性またはシグナル伝達を変化させる作用を有する化合物またはその塩であり、具体的には、（イ）ＯＴ７Ｔ０２２を介して細胞刺激活性を有する化合物またはその塩（いわゆる、ＯＴ７Ｔ０２２アゴニスト）、（ロ）該細胞刺激活性を有しない化合物またはその塩（いわゆる、ＯＴ７Ｔ０２２アンタゴニスト）、（ハ）ＲＦＲＰとＯＴ７Ｔ０２２との結合力を増強する化合物またはその塩、または（ニ）ＲＦＲＰとＯＴ７Ｔ０２２との結合力を減少させる化合物またはその塩である。
ＯＴ７Ｔ０２２アゴニストであるか、アンタゴニストであるかの具体的な評価方法は以下の（ｉ）および（ｉｉ）に従えばよい。
（ｉ）例えば、前記ａ）〜ｃ）のスクリーニング方法で示されるバインディング・アッセイを行い、ＲＦＲＰとＯＴ７Ｔ０２２との結合性を変化させる（特に、結合を阻害する）化合物またはその塩を得た後、該化合物またはその塩が上記したＯＴ７Ｔ０２２を介する細胞刺激活性を有しているか否かを測定する。細胞刺激活性を有する化合物またはその塩はＯＴ７Ｔ０２２アゴニストであり、該活性を有しない化合物またはその塩はＯＴ７Ｔ０２２アンタゴニストである。
（ｉｉ）（ａ）試験化合物をＯＴ７Ｔ０２２を含有する細胞に接触させ、上記ＯＴ７Ｔ０２２を介した細胞刺激活性を測定する。細胞刺激活性を有する化合物またはその塩はＯＴ７Ｔ０２２アゴニストである。
（ｂ）ＯＴ７Ｔ０２２を活性化する化合物（例えば、ＲＦＲＰなど）をＯＴ７Ｔ０２２を含有する細胞に接触させた場合と、ＯＴ７Ｔ０２２を活性化する化合物および試験化合物をＯＴ７Ｔ０２２を含有する細胞に接触させた場合における、ＯＴ７Ｔ０２２を介した細胞刺激活性を測定し、比較する。ＯＴ７Ｔ０２２を活性化する化合物による細胞刺激活性を減少させ得る化合物またはその塩はＯＴ７Ｔ０２２アンタゴニストである。
ＯＴ７Ｔ０２２アゴニストは、ＲＦＲＰが有する生理活性と同様の作用を有しており安全で低毒性な医薬として有用である。
ＯＴ７Ｔ０２２アンタゴニストは、ＲＦＲＰが有する生理活性を抑制することができるので、ＲＦＲＰの生理活性を抑制するための安全で低毒性な医薬として有用である。
ＲＦＲＰとＯＴ７Ｔ０２２との結合力を増強する化合物またはその塩は、ＲＦＲＰが有する生理活性を増強することができるので、安全で低毒性な医薬として有用である。
ＲＦＲＰとＯＴ７Ｔ０２２との結合力を減少させる化合物またはその塩は、ＲＦＲＰが有する生理活性を減少させることができるので、ＲＦＲＰの生理活性を抑制するための安全で低毒性な医薬として有用である。
【００６１】
具体的には、本発明のスクリーニング方法またはスクリーニング用キットを用いて得られるＯＴ７Ｔ０２２アゴニストおよびＲＦＲＰとＯＴ７Ｔ０２２との結合力を増強する化合物またはその塩は、例えば、痛覚障害、眼疾患、下垂体疾患、筋疾患、心疾患、血液疾患、腎疾患、免疫疾患、副腎機能障害、摂食障害、肥満、情動障害、精神分裂病、うつ病、不安症、性機能障害、肥満、痙攣、てんかん、攻撃性行動、歩行異常、体温上昇、白血球数減少、血小板数減少、自発行動量（特に、夜間自発行動量）の増加、筋力低下など、特に筋疾患、副腎機能障害、痙攣、攻撃性行動、歩行異常、体温上昇、白血球数減少、血小板数減少、自発行動量（特に、夜間自発行動量）の増加または筋力低下に対する予防・治療・改善剤として有用である。
一方、本発明のスクリーニング方法またはスクリーニング用キットを用いて得られるＯＴ７Ｔ０２２アンタゴニストおよびＲＦＲＰとＯＴ７Ｔ０２２との結合力を減少させる化合物またはその塩は、例えば、筋疾患、副腎機能障害、体温減少、白血球数増加、血小板数増加または自発行動量（特に、夜間自発行動量）の減少に対する予防・治療・改善剤、鎮痛剤、モルヒネの鎮痛作用促進剤、モルヒネ耐性回避剤、モルヒネ依存性回避剤などとして有用である。
本発明のスクリーニング方法またはスクリーニング用キットを用いて得られる化合物またはその塩を上記の医薬組成物として使用する場合、常套手段に従って製剤化することができる。具体的には、上記したＲＦＲＰを含有する予防・治療・改善剤と同様に製造することができる。
得られる製剤は安全で低毒性であるので、例えば、ヒトや哺乳動物（例えば、ラット、マウス、ウサギ、ヒツジ、ブタ、ウシ、ネコ、イヌ、サルなど）に対して投与することができる。
該化合物またはその塩の投与量は、投与対象、対象臓器、症状、投与方法などにより差異はあるが、経口投与の場合、一般的に例えば、痛覚障害患者（体重６０ｋｇとして）においては、一日につきＯＴ７Ｔ０２２アゴニストを約０．１〜１００ｍｇ、好ましくは約１．０〜５０ｍｇ、より好ましくは約１．０〜２０ｍｇである。非経口的に投与する場合は、その１回投与量は投与対象、対象臓器、症状、投与方法などによっても異なるが、例えば、注射剤の形では通常例えば、痛覚障害患者（体重６０ｋｇとして）においては、一日につきＯＴ７Ｔ０２２アゴニストを約０．０１〜３０ｍｇ程度、好ましくは約０．１〜２０ｍｇ程度、より好ましくは約０．１〜１０ｍｇ程度を静脈注射により投与するのが好都合である。他の動物の場合も、体重６０ｋｇ当たりに換算した量を投与することができる。
【００６２】
（６）細胞膜におけるＯＴ７Ｔ０２２の量を変化させる化合物またはその塩を含有する医薬
ＯＴ７Ｔ０２２に対する抗体は、ＯＴ７Ｔ０２２を特異的に認識することができるので、細胞膜におけるＯＴ７Ｔ０２２の量を変化させる化合物またはその塩のスクリーニングに用いることができる。
すなわち、本発明は、例えば、
（ｉ）非ヒト哺乳動物のａ）血液、ｂ）特定の臓器、ｃ）臓器から単離した組織もしくは細胞等を破壊した後、細胞膜画分を単離し、細胞膜画分に含まれるＯＴ７Ｔ０２２を定量することによる、細胞膜におけるＯＴ７Ｔ０２２の量を変化させる化合物またはその塩のスクリーニング方法、
（ｉｉ）ＯＴ７Ｔ０２２を発現する形質転換体等を破壊した後、細胞膜画分を単離し、細胞膜画分に含まれるＯＴ７Ｔ０２２を定量することによる、細胞膜におけるＯＴ７Ｔ０２２の量を変化させる化合物またはその塩のスクリーニング方法、
（ｉｉｉ）非ヒト哺乳動物のａ）血液、ｂ）特定の臓器、ｃ）臓器から単離した組織もしくは細胞等を切片とした後、免疫染色法を用いることにより、細胞表層での該受容体蛋白質の染色度合いを定量化することにより、細胞膜上の該蛋白質を確認することによる、細胞膜におけるＯＴ７Ｔ０２２の量を変化させる化合物またはその塩のスクリーニング方法を提供する。
（ｉｖ）ＯＴ７Ｔ０２２を発現する形質転換体等を切片とした後、免疫染色法を用いることにより、細胞表層での該受容体蛋白質の染色度合いを定量化することにより、細胞膜上の該蛋白質を確認することによる、細胞膜におけるＯＴ７Ｔ０２２の量を変化させる化合物またはその塩のスクリーニング方法を提供する。
【００６３】
細胞膜画分に含まれるＯＴ７Ｔ０２２の定量は具体的には以下のようにして行なう。
（ｉ）正常あるいは疾患モデル非ヒト哺乳動物（例えば、マウス、ラット、ウサギ、ヒツジ、ブタ、ウシ、ネコ、イヌ、サルなど、より具体的には免疫不全ラット、マウス、化ウサギなど）に対して、薬剤（例えば、免疫調節薬など）あるいは物理的ストレス（例えば、浸水ストレス、電気ショック、明暗、低温など）などを与え、一定時間経過した後に、血液、あるいは特定の臓器（例えば、脳、肝臓、腎臓など）、または臓器から単離した組織、あるいは細胞を得る。得られた臓器、組織または細胞等を、例えば、適当な緩衝液（例えば、トリス塩酸緩衝液、リン酸緩衝液、ヘペス緩衝液など）等に懸濁し、臓器、組織あるいは細胞を破壊し、界面活性剤（例えば、トリトンＸ１００ＴＭ、ツイーン２０ＴＭなど）などを用い、さらに遠心分離や濾過、カラム分画などの手法を用いて細胞膜画分を得る。
細胞膜画分としては、細胞を破砕した後、それ自体公知の方法で得られる細胞膜が多く含まれる画分のことをいう。細胞の破砕方法としては、Ｐｏｔｔｅｒ−Ｅｌｖｅｈｊｅｍ型ホモジナイザーで細胞を押し潰す方法、ワーリングブレンダーやポリトロン（Ｋｉｎｅｍａｔｉｃａ社製）による破砕、超音波による破砕、フレンチプレスなどで加圧しながら細胞を細いノズルから噴出させることによる破砕などが挙げられる。細胞膜の分画には、分画遠心分離法や密度勾配遠心分離法などの遠心力による分画法が主として用いられる。例えば、細胞破砕液を低速（５００〜３０００ｒｐｍ）で短時間（通常、約１分〜１０分）遠心し、上清をさらに高速（１５０００〜３００００ｒｐｍ）で通常３０分〜２時間遠心し、得られる沈澱を膜画分とする。該膜画分中には、発現したＯＴ７Ｔ０２２と細胞由来のリン脂質や膜蛋白質などの膜成分が多く含まれる。
細胞膜画分に含まれるＯＴ７Ｔ０２２は、例えば、本発明の抗体を用いたサンドイッチ免疫測定法、ウエスタンブロット解析などにより定量することができる。
かかるサンドイッチ免疫測定法は上記の方法と同様にして行なうことができ、ウエスタンブロットは自体公知の手段により行なうことができる。
（ｉｉ）ＯＴ７Ｔ０２２を発現する形質転換体を上記の方法に従い作製し、細胞膜画分に含まれるＯＴ７Ｔ０２２を定量することができる。
【００６４】
細胞膜におけるＯＴ７Ｔ０２２の量を変化させる化合物またはその塩のスクリーニングは、
（ｉ）正常あるいは疾患モデル非ヒト哺乳動物に対して、薬剤あるいは物理的ストレスなどを与える一定時間前（３０分前〜２４時間前、好ましくは３０分前〜１２時間前、より好ましくは１時間前〜６時間前）もしくは一定時間後（３０分後〜３日後、好ましくは１時間後〜２日後、より好ましくは１時間後〜２４時間後）、または薬剤あるいは物理的ストレスと同時に試験化合物を投与し、投与後一定時間経過後（３０分後〜３日後、好ましくは１時間後〜２日後、より好ましくは１時間後〜２４時間後）、細胞膜におけるＯＴ７Ｔ０２２の量を定量することにより行なうことができ、
（ｉｉ）形質転換体を常法に従い培養する際に試験化合物を培地中に混合させ、一定時間培養後（１日後〜７日後、好ましくは１日後〜３日後、より好ましくは２日後〜３日後）、細胞膜におけるＲＦＲＰの量を定量することにより行なうことができる。
細胞膜画分に含まれるＯＴ７Ｔ０２２の確認は具体的には以下のようにして行なう。
（ｉｉｉ）正常あるいは疾患モデル非ヒト哺乳動物（例えば、マウス、ラット、ウサギ、ヒツジ、ブタ、ウシ、ネコ、イヌ、サルなど、より具体的には免疫不全モデルラット、マウス、ウサギなど）に対して、薬剤（例えば、免疫調節薬など）あるいは物理的ストレス（例えば、浸水ストレス、電気ショック、明暗、低温など）などを与え、一定時間経過した後に、血液、あるいは特定の臓器（例えば、脳、肝臓、腎臓など）、または臓器から単離した組織、あるいは細胞を得る。得られた臓器、組織または細胞等を、常法に従い組織切片とし、本発明の抗体を用いて免疫染色を行う。細胞表層での該受容体蛋白質の染色度合いを定量化することにより、細胞膜上の該蛋白質を確認することにより、定量的または定性的に、細胞膜におけるＯＴ７Ｔ０２２の量を確認することができる。
（ｉｖ）ＯＴ７Ｔ０２２を発現する形質転換体等を用いて同様の手段をとることにより確認することもできる。
試験化合物としては、前記と同様のものが用いられる。
【００６５】
本発明のスクリーニング方法を用いて得られる化合物は、細胞膜におけるＯＴ７Ｔ０２２の量を変化させる作用を有する化合物であり、具体的には、（イ）細胞膜におけるＯＴ７Ｔ０２２の量を増加させることにより、ＯＴ７Ｔ０２２を介する細胞刺激活性を増強させる化合物、（ロ）細胞膜におけるＯＴ７Ｔ０２２の量を減少させることにより、該細胞刺激活性を減弱させる化合物である。
上記スクリーニング方法で得られる化合物の塩としては、前記したＲＦＲＰの塩と同様の塩が用いられる。
細胞膜におけるＯＴ７Ｔ０２２の量を増加させることにより、細胞刺激活性を増強させる化合物またはその塩は、例えば、痛覚障害、眼疾患、下垂体疾患、筋疾患、心疾患、血液疾患、腎疾患、免疫疾患、副腎機能障害、摂食障害、肥満、情動障害、精神分裂病、うつ病、不安症、性機能障害、肥満、痙攣、てんかん、攻撃性行動、歩行異常、体温上昇、白血球数減少、血小板数減少、自発行動量（特に、夜間自発行動量）の増加、筋力低下など、特に筋疾患、副腎機能障害、痙攣、攻撃性行動、歩行異常、体温上昇、白血球数減少、血小板数減少、自発行動量（特に、夜間自発行動量）の増加または筋力低下に対する安全で低毒性な予防・治療・改善剤として有用である。
細胞膜におけるＯＴ７Ｔ０２２の量を減少させることにより、細胞刺激活性を減弱させる化合物またはその塩は、例えば、筋疾患、副腎機能障害、体温減少、白血球数増加、血小板数増加または自発行動量（特に、夜間自発行動量）の減少に対する安全で低毒性な予防・治療・改善剤、鎮痛剤、モルヒネの鎮痛作用促進剤、モルヒネ耐性回避剤、モルヒネ依存性回避剤などとして有用である。
本発明のスクリーニング方法を用いて得られる化合物またはその塩を医薬組成物として使用する場合、常套手段に従って製剤化することができる。具体的には、上記したＲＦＲＰを含有する予防・治療・改善剤と同様に製造することができる。
得られる製剤は安全で低毒性であるので、例えば、ヒトや哺乳動物（例えば、ラット、マウス、ウサギ、ヒツジ、ブタ、ウシ、ネコ、イヌ、サルなど）に対して投与することができる。
該化合物またはその塩の投与量は、投与対象、対象臓器、症状、投与方法などにより差異はあるが、経口投与の場合、一般的に例えば、痛覚障害患者（体重６０ｋｇとして）においては、細胞膜におけるＯＴ７Ｔ０２２の量を増加させる化合物またはその塩を一日につき約０．１〜１００ｍｇ、好ましくは約１．０〜５０ｍｇ、より好ましくは約１．０〜２０ｍｇである。非経口的に投与する場合は、その１回投与量は投与対象、対象臓器、症状、投与方法などによっても異なるが、例えば、注射剤の形では、通常例えば、痛覚障害患者（体重６０ｋｇとして）においては、細胞膜におけるＯＴ７Ｔ０２２の量を増加させる化合物またはその塩を一日につき約０．０１〜３０ｍｇ程度、好ましくは約０．１〜２０ｍｇ程度、より好ましくは約０．１〜１０ｍｇ程度を静脈注射により投与するのが好都合である。他の動物の場合も、体重６０ｋｇ当たりに換算した量を投与することができる。
【００６６】
（７）ＲＦＲＰまたはＯＴ７Ｔ０２２に対する抗体を含有してなる医薬
ＲＦＲＰまたはＯＴ７Ｔ０２２に対して抗体（特に、中和抗体）は、ＲＦＲＰまたはＯＴ７Ｔ０２２が関与するシグナル伝達、例えば、ＯＴ７Ｔ０２２を介する細胞刺激活性を不活性化することができる。
したがって、ＲＦＲＰまたはＯＴ７Ｔ０２２に対する抗体は、例えば、筋疾患、副腎機能障害、体温減少、白血球数増加、血小板数増加または自発行動量（特に、夜間自発行動量）の減少に対する予防・治療・改善剤、鎮痛剤、モルヒネの鎮痛作用促進剤、モルヒネ耐性回避剤、モルヒネ依存性回避剤などとして用いることができる。
上記予防・治療・改善剤は、前記したＲＦＲＰを含有する医薬と同様にして製造し、使用することができる。
【００６７】
（８）アンチセンスＤＮＡまたはｓｉＲＮＡを含有してなる医薬
ＲＦＲＰをコードするＤＮＡに対するアンチセンスＤＮＡまたはＯＴ７Ｔ０２２をコードするＤＮＡに対するアンチセンスＤＮＡ（以下、アンチセンスＤＮＡと略記する）または本発明のｓｉＲＮＡは、例えば、筋疾患、副腎機能障害、体温減少、白血球数増加、血小板数増加または自発行動量（特に、夜間自発行動量）の減少に対する予防・治療・改善剤、鎮痛剤、モルヒネの鎮痛作用促進剤、モルヒネ耐性回避剤、モルヒネ依存性回避剤などとして用いることができる。
例えば、該アンチセンスＤＮＡまたはｓｉＲＮＡを用いる場合、該アンチセンスＤＮＡまたはｓｉＲＮＡを単独あるいはレトロウイルスベクター、アデノウイルスベクター、アデノウイルスアソシエーテッドウイルスベクターなどの適当なベクターに挿入した後、常套手段に従って実施することができる。該アンチセンスＤＮＡまたはｓｉＲＮＡは、そのままで、あるいは摂取促進のために補助剤などの生理学的に認められる担体とともに製剤化し、遺伝子銃やハイドロゲルカテーテルのようなカテーテルによって投与できる。
さらに、該アンチセンスＤＮＡは、組織や細胞におけるＲＦＲＰまたはＯＴ７Ｔ０２２をコードするＤＮＡの存在やその発現状況を調べるための診断用オリゴヌクレオチドプローブとして使用することもできる。
【００６８】
（９）ＯＴ７Ｔ０２２ノックアウト動物
〔ＯＴ７Ｔ０２２遺伝子発現不活性哺乳動物ＥＳ細胞〕
ＯＴ７Ｔ０２２遺伝子が不活性化された哺乳動物ＥＳ細胞とは、哺乳動物ＥＳ細胞が有するＯＴ７Ｔ０２２遺伝子に人為的に変異を加えることにより、遺伝子の発現能を抑制するか、もしくは該遺伝子がコードしているＯＴ７Ｔ０２２の活性を実質的に喪失させることにより、遺伝子が実質的にＯＴ７Ｔ０２２の発現能を有さない不活性化された（以下、本発明のノックアウト遺伝子と称することがある）哺乳動物のＥＳ細胞をいう。
ＯＴ７Ｔ０２２遺伝子としては、前記したＯＴ７Ｔ０２２をコードするＤＮＡが用いられるが、具体的には、マウスＯＴ７Ｔ０２２遺伝子としては、配列番号：２７で表わされるアミノ酸配列からなるマウスＯＴ７Ｔ０２２の部分蛋白質をコードする、配列番号：３２または配列番号：２８で表わされる塩基配列からなる遺伝子（ゲノムＤＮＡ）などが用いられる。
ラットＯＴ７Ｔ０２２遺伝子としては、配列番号：１１で表わされるアミノ酸配列からなるＯＴ７Ｔ０２２をコードする、配列番号：１２で表わされる塩基配列を含有する遺伝子などが用いられる。
本明細書中、ＥＳ細胞の材料とする哺乳動物としては、例えば、ヒト、ウシ、ブタ、ヒツジ、ヤギ、ウサギ、イヌ、ネコ、モルモット、ハムスター、マウス、ラットなどが用いられる。
また、本明細書中、非ヒト動物としては、ＯＴ７Ｔ０２２遺伝子を有するヒト以外の動物ならば、いかなる動物でもよいが、非ヒト哺乳動物が好ましい。非ヒト哺乳動物としては、例えば、ウシ、ブタ、ヒツジ、ヤギ、ウサギ、イヌ、ネコ、モルモット、ハムスター、マウス、ラットなどが用いられる。非ヒト哺乳動物のなかでも、病態動物モデル系の作製の面から個体発生および生物サイクルが比較的短く、また繁殖が容易なゲッ歯動物、とりわけマウス（例えば純系として、Ｃ５７ＢＬ／６系統，ＤＢＡ２系統など、交雑系として、Ｂ６Ｃ３Ｆ１系統，ＢＤＦ１系統，Ｂ６Ｄ２Ｆ１系統，ＢＡＬＢ／ｃ系統，ＩＣＲ系統など（なかでも好ましくは、純系として、Ｃ５７ＢＬ／６系統など、交雑系として、ＢＤＦ１系統またはＩＣＲ系統など））またはラット（例えば、Ｗｉｓｔａｒ系統，ＳＤ系統など）などが特に好ましい。
【００６９】
ＯＴ７Ｔ０２２遺伝子に人為的に変異を加える方法としては、例えば、遺伝子工学的手法により該遺伝子配列の一部又は全部の削除、もしくは他遺伝子の挿入または置換があげられる。これらの変異により、例えば、コドンの読み取り枠をずらすか、プロモーターあるいはエキソンの機能を破壊することにより本発明のノックアウト遺伝子を作製することができる。
ＯＴ７Ｔ０２２遺伝子が不活性化された哺乳動物（好ましくは、非ヒト哺乳動物）ＥＳ細胞（以下、ＯＴ７Ｔ０２２遺伝子不活性化ＥＳ細胞またはノックアウトＥＳ細胞と略記する）の具体例としては、例えば、薬剤耐性遺伝子（例えば、ネオマイシン耐性遺伝子、ハイグロマイシン耐性遺伝子またはゼオシン耐性遺伝子など、好ましくは、ネオマイシン耐性遺伝子など）、あるいはレポーター遺伝子（例えば、ｌａｃＺ（大腸菌β−ガラクトシダーゼ遺伝子）、ｃａｔ（クロラムフェニコールアセチルトランスフェラーゼ遺伝子）、ＧＵＳ（β−グルクロニダーゼ遺伝子）、ルシフェラーゼ遺伝子、エクオリン遺伝子、タウマリン遺伝子、ＧＦＰ（Ｇｒｅｅｎ　Ｆｌｕｏｒｅｓｃｅｎｔ　Ｐｒｏｔｅｉｎ）遺伝子など、好ましくは、ｌａｃＺなど）等を挿入することによりＯＴ７Ｔ０２２遺伝子のエキソンの機能を破壊するか、あるいはエキソン間のイントロン部分に遺伝子の転写を終結させるＤＮＡ配列（例えば、ｐｏｌｙＡ付加シグナルなど）を挿入し、完全なｍＲＮＡを合成できなくすることによって、結果的に遺伝子を破壊するように構築したＤＮＡ配列を有するＤＮＡベクター（以下、ターゲティングベクターと略記する）を作製する。レポーター遺伝子を挿入してエキソンの機能を破壊する場合、該レポーター遺伝子は、ＯＴ７Ｔ０２２プロモーターの制御下で発現するように挿入することが好ましい。
上記「薬剤耐性遺伝子」とは、抗生物質などの薬剤耐性に関与する遺伝子を示し、導入される遺伝子が細胞において発現したか否かを選抜するマーカーとして利用される。
また、上記「レポーター遺伝子」とは、遺伝子発現の指標になる遺伝子群のことを示し、通常、発光反応や呈色反応を触媒する酵素の構造遺伝子が利用されることが多く、▲１▼遺伝的背景がないもの、▲２▼遺伝子発現を定量的に行える高感度の方法があるもの、▲３▼形質転換細胞への影響が少ないもの、▲４▼発現部位の局在性が示されるものなどが好ましく用いられる（植物細胞工学、第２巻、第７２１頁、１９９０）。また、上記の「薬剤耐性遺伝子」なども同じ目的で使用されるが、「レポーター遺伝子」は、単に導入される遺伝子が細胞において発現したかどうかだけではなく、どの組織でいつ発現したかを調べることができ、しかも定量的に発現量を正確に調べることができるものである。
さらに、ターゲティングベクターを、例えば、相同組換え法により該動物の染色体に導入し、得られたＥＳ細胞についてＯＴ７Ｔ０２２遺伝子上あるいはその近傍のＤＮＡ配列をプローブとしたサザンハイブリダイゼーション解析あるいはターゲティングベクター上のＤＮＡ配列とターゲティングベクター作製に使用したＯＴ７Ｔ０２２遺伝子以外の近傍領域のＤＮＡ配列をプライマーとしたＰＣＲ法により解析し、本発明のノックアウトＥＳ細胞を選別することにより得ることができる。
上記のターゲティングベクターとしては、例えば、大腸菌由来のプラスミド（例、ｐＢＲ３２２，ｐＢＲ３２５，ｐＵＣ１２，ｐＵＣ１３など）、枯草菌由来のプラスミド（例、ｐＵＢ１１０，ｐＴＢ５，ｐＣ１９４など）、酵母由来のプラスミド（例、ｐＳＨ１９，ｐＳＨ１５など）、λファージなどのバクテリオファージ、モロニー白血病ウイルスなどのレトロウイルス、ワクシニアウイルスまたはアデノウイルスベクター、バキュロウイルス、ウシ乳頭腫ウイルス、ヘルペスウイルス群からのウイルス、またはエプスタイン・バー・ウイルスなどの動物ウイルスなどが用いられる。
【００７０】
また、相同組換え法等によりＯＴ７Ｔ０２２遺伝子を不活性化させる元のＥＳ細胞としては、例えば、前述のような既に樹立されたものを用いてもよく、また公知のＥｖａｎｓとＫａｕｆｍａｎの方法に準じて新しく樹立したものでもよい。例えば、マウスのＥＳ細胞の場合、現在、一般的には１２９系統のＥＳ細胞が使用されているが、免疫学的背景がはっきりしていないので、これに代わる純系で免疫学的に遺伝的背景が明らかなＥＳ細胞を取得するなどの目的で、例えば、Ｃ５７ＢＬ／６系統マウスやＤＢＡ／２系統との交雑種ＢＤＦ１系統マウス（Ｃ５７ＢＬ／６系統とＤＢＡ／２系統とのＦ１）を用いて樹立したものなども良好に用いうる。ＢＤＦ１系統マウスは、採卵数が多く、かつ、卵が操作上にであるという利点に加えて、Ｃ５７ＢＬ／６系統マウスを遺伝的背景に持つので、これを用いて得られたＥＳ細胞は病態モデルマウスを作出したとき、Ｃ５７ＢＬ／６系統マウスと戻し交配することでその遺伝的背景をＣ５７ＢＬ／６系統に戻すことが可能である点で有利に用い得る。
また、ＥＳ細胞を樹立する場合、一般には受精後３．５日目の胚盤胞を使用するが、これ以外に８細胞期胚（受精後２．５日目頃の８細胞期胚が好ましい）を採卵し胚盤胞まで培養して用いることにより効率よく多数の初期胚を取得することができる。
【００７１】
また第二次セレクションは、Ｇ−バンディング法などを用いた核型分析等により行うことができる。得られるＥＳ細胞の染色体数は正常数の１００％が望ましいが、樹立の際の物理的操作等の関係上困難な場合は、ＥＳ細胞の遺伝子をノックアウトした後、正常細胞（例えばマウスでは染色体数が２ｎ＝４０である細胞）に再びクローニングすることが望ましい。
このようにして得られたＥＳ細胞株は、通常その増殖性は大変良いが、個体発生できる再生能を失いやすいので、注意深く継代培養することが必要である。例えば、ＳＴＯ繊維芽細胞のような適当なフィーダー細胞上でＬＩＦ（１〜１００００Ｕ／ｍｌ）存在下に炭酸ガス培養器内（好ましくは、５％炭酸ガス、９５％空気または５％酸素、５％炭酸ガス、９０％空気）で約３７℃で培養するなどの方法で培養し、継代時には、例えば、トリプシン／ＥＤＴＡ溶液（通常０．００１〜０．５％トリプシン／０．１〜５ｍＭ　ＥＤＴＡ、好ましくは約０．１％トリプシン／１ｍＭ　ＥＤＴＡ）処理により単細胞化し、新たに用意したフィーダー細胞上に播種する方法などがとられる。このような継代は、通常１〜３日毎に行なうが、この際に細胞の観察を行い、形態的に異常な細胞が見受けられた場合は、その培養細胞は放棄することが望まれる。
ＥＳ細胞は、適当な条件により、高密度に至るまで単層培養するか、または細胞集塊を形成するまで浮遊培養することにより、頭頂筋、内臓筋、心筋などの種々のタイプの細胞に分化させることが可能であり〔Ｍ．　Ｊ．　Ｅｖａｎｓ及びＭ．　Ｈ．　Ｋａｕｆｍａｎ，　ネイチャー（Ｎａｔｕｒｅ）第２９２巻、１５４頁、１９８１年；Ｇ．　Ｒ．　Ｍａｒｔｉｎ　プロシーディングス・オブ・ナショナル・アカデミー・オブ・サイエンス・ユーエスエー（Ｐｒｏｃ．　Ｎａｔｌ．　Ａｃａｄ．　Ｓｃｉ．　Ｕ．Ｓ．Ａ．）第７８巻、７６３４頁、１９８１年；Ｔ．　Ｃ．　Ｄｏｅｔｓｃｈｍａｎ　ら、ジャーナル・オブ・エンブリオロジー・アンド・エクスペリメンタル・モルフォロジー、第８７巻、２７頁、１９８５年〕、本発明のＥＳ細胞を分化させて得られるＯＴ７Ｔ０２２遺伝子発現不全細胞は、ｉｎ　ｖｉｔｒｏにおけるＯＴ７Ｔ０２２の細胞生物学的検討において有用である。
また、ＥＳ細胞を保存する場合には、適当な凍結用培地（例えば、１０％ＤＭＳＯ、１０％牛胎児血清を含むダルベッコ変法イーグル培地（ＤＭＥＭ）などを用いて、約−８０℃以下で凍結保存する。
【００７２】
本発明のＯＴ７Ｔ０２２遺伝子発現不全非ヒト動物（以下、遺伝子発現不全非ヒト動物と称す場合がある）とは、例えば、前記のＯＴ７Ｔ０２２遺伝子が不活性化された哺乳動物ＥＳ細胞由来の細胞を用いて遺伝子工学的に作出されたものであり、例えば、生殖細胞および体細胞に胚形成初期に不活性化ＯＴ７Ｔ０２２遺伝子配列を導入された非ヒト動物である。
該非ヒト動物としては、前記と同様のものが用いられる。
ＯＴ７Ｔ０２２遺伝子をノックアウトさせるには、前記のターゲティングベクターを非ヒト動物ＥＳ細胞または非ヒト動物卵細胞に公知の方法（例えば、エレクトロポレーション法、マイクロインジェクション法、リン酸カルシウム法、リポフェクション法、凝集法、パーティクルガン法、ＤＥＡＥ−デキストラン法など）によって導入し（好ましい導入法としては、ＥＳ細胞に導入する場合にはエレクトロポレーション法、卵細胞に導入する場合にはマイクロインジェクション法などがあげられる）、ターゲティングベクターの不活性化されたＯＴ７Ｔ０２２遺伝子配列を相同組換えにより、非ヒト動物ＥＳ細胞または非ヒト動物卵細胞の染色体上のＯＴ７Ｔ０２２遺伝子と入れ換えることにより行うことができる。ＯＴ７Ｔ０２２遺伝子がノックアウトされた細胞は、ＯＴ７Ｔ０２２遺伝子上またはその近傍のＤＮＡ配列をプローブとしたサザンハイブリダイゼーション解析またはターゲティングベクター上のＤＮＡ配列と、ターゲティングベクターに使用したマウス由来のＯＴ７Ｔ０２２遺伝子以外の近傍領域のＤＮＡ配列とをプライマーとしたＰＣＲ法による解析で判定することができる。
非ヒト動物ＥＳ細胞を用いた場合は、相同組換えにより、ＯＴ７Ｔ０２２遺伝子が不活性化された細胞株をクローニングし、その細胞を胚形成の初期の適当な時期、例えば、８細胞期の非ヒト動物胚または胚盤胞に注入し（注入法）、またはＯＴ７Ｔ０２２遺伝子が不活性化されたＥＳ細胞塊を２個の８細胞期胚ではさみ込む（集合キメラ法）ことにより作製したキメラ胚を偽妊娠させた該非ヒト動物の子宮に移植する。
作出された動物は正常なＯＴ７Ｔ０２２遺伝子座をもつ細胞と人為的に変異したＯＴ７Ｔ０２２遺伝子座をもつ細胞との両者から構成されるキメラ動物である。
該キメラ動物の生殖細胞の一部が変異したＯＴ７Ｔ０２２遺伝子座をもつ場合、このようなキメラ個体と正常個体を交配することにより得られた個体群より、全ての組織が人為的に変異を加えたＯＴ７Ｔ０２２遺伝子座をもつ細胞で構成された個体を、例えば、コートカラーの判定等により選別することにより得られる。このようにして得られた個体は、通常、ＯＴ７Ｔ０２２ヘテロ発現不全個体であり、ＯＴ７Ｔ０２２ヘテロ発現不全個体同志を交配し、それらの産仔からＯＴ７Ｔ０２２ホモ発現不全個体を得ることができる。
卵細胞を使用する場合は、例えば、卵細胞核内にマイクロインジェクション法で遺伝子溶液を注入することによりターゲティングベクターを染色体内に導入したトランスジェニック非ヒト動物を得ることができ、これらのトランスジェニック非ヒト動物を比較することにより、相同組換えによりＯＴ７Ｔ０２２遺伝子座に変異のあるものを選択することにより得られる。
ＯＴ７Ｔ０２２遺伝子発現不全非ヒト動物は、該動物のｍＲＮＡ量を公知の方法を用いて測定して間接的にその発現量を比較することにより、正常動物と区別することが可能である。
【００７３】
このようにしてＯＴ７Ｔ０２２遺伝子がノックアウトされている個体は、交配により得られた動物個体も該遺伝子がノックアウトされていることを確認して通常の飼育環境で飼育継代を行なうことができる。
さらに、生殖系列の取得および保持についても常法に従って行うことができる。即ち、該不活化遺伝子配列を保有する雌雄の動物を交配することにより、該不活化遺伝子配列を相同染色体の両方に持つホモザイゴート動物を取得することができる。得られたホモザイゴート動物は、母親動物に対して、正常個体１，ホモザイゴート複数になるような状態で飼育することにより効率的に得ることができる。ヘテロザイゴート動物の雌雄を交配することにより、該不活化遺伝子配列を有するホモザイゴートおよびヘテロザイゴート動物を繁殖継代することができる。このようにして得られた該不活化遺伝子配列を有する動物の子孫も本発明のＯＴ７Ｔ０２２遺伝子発現不全非ヒト動物に含まれる。
本発明のＯＴ７Ｔ０２２遺伝子発現不全非ヒト動物（特に、ＯＴ７Ｔ０２２ホモ欠損非ヒト動物、好ましくはＯＴ７Ｔ０２２ホモ欠損マウス）は、次のような性質を有している。
（１）野生型動物に比べて、成熟齢以降に胸腺の重量が増加している。
（２）野生型動物に比べて、後退歩行を主な特徴とする歩行異常さらに、振戦または痙攣などを示す場合がある。
（３）野生型動物に比べて、侵害刺激（例、熱侵害刺激）に対して反応性の低下が見られる。
（４）野生型動物に比べて、攻撃的行動が多い。
（５）野生型動物に比べて、腎臓絶対重量または胸腺絶対重量の低下がみられる。
（６）野生型動物に比べて、白血球数または血小板数の減少がみられる。
（７）野生型動物に比べて、筋力が低下している。
【００７４】
このようにＯＴ７Ｔ０２２遺伝子が不活性化された哺乳動物ＥＳ細胞は、ＯＴ７Ｔ０２２遺伝子発現不全非ヒト動物を作出する上で、非常に有用である。また、ＯＴ７Ｔ０２２遺伝子発現不全非ヒト動物、該動物に対する薬剤誘発あるいはストレス負荷によって生じる病態モデル動物、ＯＴ７Ｔ０２２遺伝子発現不全非ヒト動物と他の病態モデル動物との交配によって生じるより良い病態モデル動物、ＯＴ７Ｔ０２２遺伝子発現不全非ヒト動物と他の病態モデル動物との交配によって生じる病態モデル動物に対する薬剤誘発あるいはストレス負荷によって生じる病態モデル動物およびＯＴ７Ｔ０２２遺伝子発現不全非ヒト動物と他の病態モデル動物を用いた骨髄移植動物、もしくはそれらの組織またはそれらに由来する細胞は、ＯＴ７Ｔ０２２の欠損に起因する疾病、例えば、ＯＴ７Ｔ０２２により誘導され得る種々の生物活性の欠失に基づく、ＯＴ７Ｔ０２２の生物活性の不活性化に起因する疾病（例えば、痛覚障害、眼疾患、下垂体疾患、筋疾患、心疾患、血液疾患、腎疾患、免疫疾患、副腎機能障害、摂食障害、肥満、情動障害、精神分裂病、うつ病、不安症、性機能障害、肥満、痙攣、てんかん、攻撃性行動、歩行異常、体温上昇、白血球数減少、血小板数減少、自発行動量（特に、夜間自発行動量）の増加、筋力低下など、特に筋疾患、副腎機能障害、痙攣、攻撃性行動、歩行異常、体温上昇、白血球数減少、血小板数減少、自発行動量（特に、夜間自発行動量）の増加または筋力低下など）のより良いモデルとなり得るので、これらの疾病の原因究明及び治療法の検討に有用である。ここで、他の病態モデル動物としては、例えば、血液細胞側のみの遺伝子発現の欠損あるいは上昇に限局させた骨髄移植を用いたモデルマウスも挙げられる［Ｌｉｎｔｏｎ，　Ｍ．　Ｆ．，　ｅｔ　ａｌ．，Ｓｃｉｅｎｃｅ　２６７：　１０３４−１０３７　（１９９５）　］。骨髄移植マウスは遺伝子機能の変化が限局されることで、より適した病態モデル動物となる可能性を秘めている。例えば、上記されたＯＴ７Ｔ０２２遺伝子発現不全非ヒト動物から得られた病態モデル動物をドナー動物として、その骨髄を採取し、あらかじめ放射線照射で骨髄を破壊した他のレシピエント動物に移植したマウス、あるいは、他の病態モデル動物をドナー動物として、その骨髄を採取し、あらかじめ放射線照射で骨髄を破壊したＯＴ７Ｔ０２２遺伝子発現不全非ヒト動物から得られた病態モデル動物をレシピエント動物として移植した骨髄移植マウスなども含まれる。
このように、本発明のＯＴ７Ｔ０２２遺伝子発現不全非ヒト動物、該動物に対する薬剤誘発あるいはストレス負荷によって生じる病態モデル動物、ＯＴ７Ｔ０２２遺伝子発現不全非ヒト動物と他の病態モデル動物との交配によって生じる病態モデル動物、ＯＴ７Ｔ０２２遺伝子発現不全非ヒト動物と他の病態モデル動物との交配によって生じる病態モデル動物に対する薬剤誘発あるいはストレス負荷によって生じる病態モデル動物、ＯＴ７Ｔ０２２遺伝子発現不全非ヒト動物から得られた病態モデル動物と他の病態モデル動物を用いて骨髄移植して得られた病態モデル動物、もしくはそれらの組織またはそれらに由来する細胞を、該疾病の予防・治療・改善薬のスクリーニングに用いることができる。ここで、上記組織やそれに由来する細胞の例としては、肝臓や腎臓などのホモジネートを用いて特定の活性を測定する、あるいは、腹腔マクロファージを用いて特定産物の活性や産生量を測定することでスクリーニングに用いることができる。
【００７５】
［本発明のスクリーニング方法Ａ］
本発明は、本発明のＯＴ７Ｔ０２２遺伝子発現不全非ヒト動物もしくはその組織またはそれらに由来する細胞を用いることを特徴とする、痛覚障害、眼疾患、下垂体疾患、筋疾患、心疾患、血液疾患、腎疾患、免疫疾患、副腎機能障害、摂食障害、肥満、情動障害、精神分裂病、うつ病、不安症、性機能障害、肥満、痙攣、てんかん、攻撃性行動、歩行異常、体温上昇、白血球数減少、血小板数減少、自発行動量の増加または筋力低下、特に痛覚障害、筋疾患、副腎機能障害、痙攣、攻撃性行動、歩行異常、体温上昇、白血球数減少、血小板数減少、自発行動量の増加または筋力低下の予防・治療・改善薬のスクリーニング方法を提供する。
本発明のスクリーニング方法において用いられるＯＴ７Ｔ０２２遺伝子発現不全非ヒト動物、該動物の薬剤誘発あるいはストレス負荷によって生じる病態モデル動物、ＯＴ７Ｔ０２２遺伝子発現不全非ヒト動物と他の病態モデル動物との交配によって生じる病態モデル動物、ＯＴ７Ｔ０２２遺伝子発現不全非ヒト動物と他の病態モデル動物との交配によって生じる病態モデル動物に対する薬剤誘発あるいはストレス負荷によって生じる病態モデル動物、ＯＴ７Ｔ０２２遺伝子発現不全非ヒト動物から得られた病態モデル動物と他の病態モデル動物を用いて骨髄移植して得られた病態モデル動物、もしくはそれらの組織またはそれらに由来する細胞としては、前記と同様のものが挙げられる。
試験化合物としては、前記と同様のものが用いられる。
具体的には、本発明のＯＴ７Ｔ０２２遺伝子発現不全非ヒト動物、該動物の薬剤誘発あるいはストレス負荷によって生じる病態モデル動物、ＯＴ７Ｔ０２２遺伝子発現不全非ヒト動物と他の病態モデル動物との交配によって生じる病態モデル動物、ＯＴ７Ｔ０２２遺伝子発現不全非ヒト動物と他の病態モデル動物との交配によって生じる病態モデル動物に対する薬剤誘発あるいはストレス負荷によって生じる病態モデル動物およびＯＴ７Ｔ０２２遺伝子発現不全非ヒト動物から得られた病態モデル動物と他の病態モデル動物を用いて骨髄移植して得られた病態モデル動物（以下、ＯＴ７Ｔ０２２遺伝子発現不全非ヒト動物等と称する場合がある）、もしくはそれらの組織またはそれらに由来する細胞を、試験化合物で処理し、無処理の対照動物と比較し、該動物の各器官、組織、細胞、疾病の症状等の変化、特に痛覚障害、眼疾患、下垂体疾患、筋疾患、心疾患、血液疾患、腎疾患、免疫疾患、副腎機能障害、摂食障害、肥満、情動障害、精神分裂病、うつ病、不安症、性機能障害、肥満、痙攣、てんかん、攻撃性行動、歩行異常、体温上昇、白血球数減少、血小板数減少、自発行動量（特に、夜間自発行動量）の増加、筋力低下など、特に筋疾患、副腎機能障害、痙攣、攻撃性行動、歩行異常、体温上昇、白血球数減少、血小板数減少、自発行動量（特に、夜間自発行動量）の増加または筋力低下の改善効果を指標として試験化合物の予防・治療・改善効果を試験することができる。
【００７６】
試験動物（ＯＴ７Ｔ０２２遺伝子発現不全非ヒト動物等）を試験化合物で処理する方法としては、例えば、経口投与、静脈注射などが用いられ、試験動物の症状、試験化合物の性質などにあわせて適宜選択することができる。また、試験化合物の投与量は、投与方法、試験化合物の性質などにあわせて適宜選択することができる。
例えば、肥満症の予防・治療・改善薬をスクリーニングする場合、本発明のＯＴ７Ｔ０２２遺伝子発現不全非ヒト動物等にコレステロール負荷処置を行い、コレステロール負荷処置前または処置後に試験化合物を投与し、該動物の血中コレステロール値および体重変化などを経時的に測定することによりスクリーニングすることができる。また、本発明のＯＴ７Ｔ０２２遺伝子発現不全非ヒト動物等にＳＴＺあるいはアロキサンなどの薬剤投与を行い、糖負荷処置前または処置後に試験化合物を投与し、該動物の血糖値および体重変化などを経時的に測定することによりスクリーニングすることができる。
例えば、該スクリーニング方法において、試験動物に試験化合物を投与した場合、該試験動物の体重が約１０％以上、好ましくは約３０％以上、より好ましくは約５０％以上減少した場合、該試験化合物を肥満症に対して治療・予防効果を有する物質として選択することができる。
また、痛覚障害の予防・治療・改善薬をスクリーニングする場合、本発明のＯＴ７Ｔ０２２遺伝子発現不全非ヒト動物等に試験化合物を投与し、該動物の痛み防御行動（例、なめる行動、あばれる行動、引っかき行動など）などを経時的に測定することによりスクリーニングすることができる。さらには、本発明のＯＴ７Ｔ０２２遺伝子発現不全非ヒト動物等にモルヒネなどの鎮痛薬の投与を行った後、試験化合物を投与し、該動物の痛み防御行動（例、なめる行動、あばれる行動、引っかき行動など）などを経時的に測定することによりスクリーニングすることができる。
例えば、該スクリーニング方法において、試験動物に試験化合物を投与した場合、該試験動物の痛み防御行動が約１０％以上、好ましくは約３０％以上、より好ましくは約５０％以上上昇した場合、該試験化合物を痛覚障害に対して治療・予防効果を有する物質として選択することができる。
【００７７】
本発明のスクリーニング方法を用いて得られる予防・治療・改善薬は、上記した試験化合物から選ばれた化合物またはその塩を含有するものであり、ＯＴ７Ｔ０２２欠損によって引き起こされる疾患の予防・治療・改善効果を有するので、ＯＴ７Ｔ０２２の欠損によって引き起こされる疾病に対する安全で低毒性な治療・予防薬などの医薬として有用である。また、該化合物から誘導される化合物も同様に用いることができる。
該スクリーニング方法で得られた化合物の塩としては、例えば、無機塩基との塩、有機塩基との塩、無機酸との塩、有機酸との塩、塩基性または酸性アミノ酸との塩などの薬学的に許容し得る塩などがあげられる。
無機塩基との塩の好適な例としては、例えばナトリウム塩、カリウム塩などのアルカリ金属塩、カルシウム塩、マグネシウム塩などのアルカリ土類金属塩、並びにアルミニウム塩、アンモニウム塩などがあげられる。
有機塩基との塩の好適な例としては、例えばトリメチルアミン、トリエチルアミン、ピリジン、ピコリン、２，６−ルチジン、エタノールアミン、ジエタノールアミン、トリエタノールアミン、シクロヘキシルアミン、ジシクロヘキシルアミン、Ｎ，Ｎ’−ジベンジルエチレンジアミンなどとの塩あげられる。
無機酸との塩の好適な例としては、例えば塩酸、臭化水素酸、硫酸、リン酸などとの塩があげられる。
有機酸との塩の好適な例としては、例えばギ酸、酢酸、プロピオン酸、フマル酸、シュウ酸、酒石酸、マレイン酸、クエン酸、コハク酸、リンゴ酸、メタンスルホン酸、ベンゼンスルホン酸、安息香酸などとの塩があげられる。
塩基性アミノ酸との塩の好適な例としては、例えばアルギニン、リジン、オルチニンなどとの塩があげられ、酸性アミノ酸との好適な例としては、例えばアスパラギン酸、グルタミン酸などとの塩があげられる。
【００７８】
本発明のスクリーニング方法を用いて得られる化合物またはその塩を上述の治療・予防薬として使用する場合、常套手段に従って実施することができ、例えば、必要に応じて糖衣を施した錠剤、カプセル剤、エリキシル剤、マイクロカプセル剤などとして経口的に、あるいは水もしくはそれ以外の薬学的に許容し得る液との無菌性溶液、または懸濁液剤などの注射剤の形で非経口的に使用できる。例えば、該化合物またはその塩を薬学的に認められる担体、香味剤、賦形剤、ベヒクル、防腐剤、安定剤、結合剤などとともに一般に認められた製薬実施に要求される単位用量形態で混和することによって製造することができる。これら製剤における有効成分量は指示された範囲の適当な容量が得られるようにするものである。
錠剤、カプセル剤などに混和することができる添加剤としては、例えば、ゼラチン、コーンスターチ、トラガントゴム、アラビアゴムのような結合剤、結晶性セルロースのような賦形剤、コーンスターチ、ゼラチン、アルギン酸などのような膨化剤、ステアリン酸マグネシウムのような潤滑剤、ショ糖、乳糖またはサッカリンのような甘味剤、ペパーミント、アカモノ油またはチェリーのような香味剤などが用いられる。調剤単位形態がカプセルである場合には、前記タイプの材料にさらに油脂のような液状担体を含有することができる。注射のための無菌組成物は注射用水のようなベヒクル中の活性物質、胡麻油、椰子油などのような天然産出植物油などを溶解または懸濁させるなどの通常の製剤実施に従って処方することができる。
【００７９】
注射用の水溶液としては、例えば、生理食塩水、ブドウ糖やその他の補助薬を含む等張液（例えば、Ｄ−ソルビトール、Ｄ−マンニトール、塩化ナトリウムなど）などが挙げられ、適当な溶解補助剤、例えば、アルコール（例えば、エタノールなど）、ポリアルコール（例えば、プロピレングリコール、ポリエチレングリコールなど）、非イオン性界面活性剤（例えば、ポリソルベート８０ＴＭ、ＨＣＯ−５０など）などと併用してもよい。油性液としては、例えば、ゴマ油、大豆油などが挙げられ、溶解補助剤として安息香酸ベンジル、ベンジルアルコールなどと併用してもよい。また、緩衝剤（例えば、リン酸塩緩衝液、酢酸ナトリウム緩衝液など）、無痛化剤（例えば、塩化ベンザルコニウム、塩酸プロカインなど）、安定剤（例えば、ヒト血清アルブミン、ポリエチレングリコールなど）、保存剤（例えば、ベンジルアルコール、フェノールなど）、酸化防止剤などと配合してもよい。調製された注射液は通常、適当なアンプルに充填される。
このようにして得られる製剤は安全で低毒性であるので、例えば、ヒトまたは温血動物（例えば、マウス、ラット、ウサギ、ヒツジ、ブタ、ウシ、ウマ、トリ、ネコ、イヌ、サル、チンパンジーなど）に対して投与することができる。
該化合物またはその塩の投与量は、症状などにより差異はあるが、経口投与の場合、一般的に成人（体重６０ｋｇとして）の拒食症患者においては、一日につき約０．１〜１００ｍｇ、好ましくは約１．０〜５０ｍｇ、より好ましくは約１．０〜２０ｍｇである。非経口的に投与する場合は、その１回投与量は投与対象、対象臓器、症状、投与方法などによっても異なるが、例えば、注射剤の形では通常成人（体重６０ｋｇとして）の拒食症患者においては、一日につき約０．０１〜３０ｍｇ程度、好ましくは約０．１〜２０ｍｇ程度、より好ましくは約０．１〜１０ｍｇ程度を静脈注射により投与するのが好都合である。他の動物の場合も、体重６０ｋｇ当たりに換算した量を投与することができる。
【００８０】
［本発明のスクリーニング方法Ｂ］
本発明は、本発明のＯＴ７Ｔ０２２遺伝子発現不全非ヒト動物に、試験化合物を投与し、レポーター遺伝子の発現を検出することを特徴とする本発明の遺伝子に対するプロモーターの活性を促進または阻害する化合物またはその塩のスクリーニング方法を提供する。
上記スクリーニング方法において、本発明のＯＴ７Ｔ０２２遺伝子発現不全非ヒト動物としては、前記した本発明のＯＴ７Ｔ０２２遺伝子発現不全非ヒト動物の中でも、ＯＴ７Ｔ０２２遺伝子がレポーター遺伝子を導入することにより不活性化され、該レポーター遺伝子がＯＴ７Ｔ０２２遺伝子に対するプロモーターの制御下で発現しうるものが用いられる。
試験化合物としては、前記と同様のものがあげられる。
レポーター遺伝子としては、前記と同様のものが用いられ、β−ガラクトシダーゼ遺伝子（ｌａｃＺ）、可溶性アルカリフォスファターゼ遺伝子またはルシフェラーゼ遺伝子などが好適である。
ＯＴ７Ｔ０２２遺伝子をレポーター遺伝子で置換された本発明のＯＴ７Ｔ０２２遺伝子発現不全非ヒト動物では、レポーター遺伝子がＯＴ７Ｔ０２２遺伝子に対するプロモーターの支配下に存在するので、レポーター遺伝子がコードする物質の発現をトレースすることにより、プロモーターの活性を検出することができる。
【００８１】
例えば、ＯＴ７Ｔ０２２遺伝子領域の一部を大腸菌由来のβ−ガラクトシダーゼ遺伝子（ｌａｃＺ）で置換している場合、本来、ＯＴ７Ｔ０２２遺伝子の発現する組織で、ＯＴ７Ｔ０２２の代わりにβ−ガラクトシダーゼが発現する。従って、例えば、５−ブロモ−４−クロロ−３−インドリル−β−ガラクトピラノシド（Ｘ−ｇａｌ）のようなβ−ガラクトシダーゼの基質となる試薬を用いて染色することにより、簡便にＯＴ７Ｔ０２２の動物生体内における発現状態を観察することができる。具体的には、ＯＴ７Ｔ０２２遺伝子欠損マウスまたはその組織切片をグルタルアルデヒドなどで固定し、リン酸緩衝生理食塩液（ＰＢＳ）で洗浄後、Ｘ−ｇａｌを含む染色液で、室温または３７℃付近で、約３０分ないし１時間反応させた後、組織標本を１ｍＭ　ＥＤＴＡ／ＰＢＳ溶液で洗浄することによって、β−ガラクトシダーゼ反応を停止させ、呈色を観察すればよい。また、常法に従い、ｌａｃＺをコードするｍＲＮＡを検出してもよい。
例えば、該スクリーニング方法において、試験動物に試験化合物を投与した場合、レポーター蛋白質の発現が約１０％以上、好ましくは約３０％以上、より好ましくは約５０％以上増加した場合、該試験化合物をＯＴ７Ｔ０２２遺伝子に対するプロモーター活性を促進する化合物またはその塩として選択でき、試験動物に試験化合物を投与した場合、レポーター蛋白質の発現が約１０％以上、好ましくは約３０％以上、より好ましくは約５０％以上減少した場合、該試験化合物をＯＴ７Ｔ０２２遺伝子に対するプロモーター活性を阻害する化合物またはその塩として選択できる。
上記スクリーニング方法を用いて得られる化合物またはその塩は、上記した試験化合物から選ばれた物質であり、ＯＴ７Ｔ０２２遺伝子に対するプロモーター活性を促進または阻害する化合物またはその塩である。
該スクリーニング方法で得られた化合物の塩としては、生理学的に許容される酸（例、無機酸など）や塩基（例、有機酸など）などとの塩が用いられ、とりわけ生理学的に許容される酸付加塩が好ましい。この様な塩としては、例えば、無機酸（例えば、塩酸、リン酸、臭化水素酸、硫酸など）との塩、あるいは有機酸（例えば、酢酸、ギ酸、プロピオン酸、フマル酸、マレイン酸、コハク酸、酒石酸、クエン酸、リンゴ酸、蓚酸、安息香酸、メタンスルホン酸、ベンゼンスルホン酸など）との塩などが用いられる。
【００８２】
ＯＴ７Ｔ０２２遺伝子に対するプロモーター活性を促進する化合物またはその塩は、ＯＴ７Ｔ０２２の発現を促進し、ＯＴ７Ｔ０２２の機能を促進することができるので、例えば、痛覚障害、眼疾患、下垂体疾患、筋疾患、心疾患、血液疾患、腎疾患、免疫疾患、副腎機能障害、摂食障害、情動障害、精神分裂病、うつ病、不安症、性機能障害、肥満、痙攣、てんかん、攻撃性行動、歩行異常、体温上昇、白血球数減少、血小板数減少、自発行動量（特に、夜間自発行動量）の増加、筋力低下など、特に筋疾患、副腎機能障害、痙攣、攻撃性行動、歩行異常、体温上昇、白血球数減少、血小板数減少、自発行動量（特に、夜間自発行動量）の増加または筋力低下など疾患の予防・治療・改善剤などの医薬として使用することができる。
一方、ＯＴ７Ｔ０２２遺伝子に対するプロモーター活性を阻害する化合物またはその塩は、ＯＴ７Ｔ０２２の発現を阻害し、ＯＴ７Ｔ０２２の機能を阻害することができるので、例えば、筋疾患、副腎機能障害、体温減少、白血球数増加、血小板数増加または自発行動量（特に、夜間自発行動量）の減少の予防・治療・改善剤、鎮痛剤、モルヒネの鎮痛作用促進剤、モルヒネ耐性回避剤、モルヒネ依存性回避剤などの医薬として使用することができる。
さらに、上記スクリーニングで得られた化合物から誘導される化合物も同様に用いることができる。
【００８３】
該スクリーニング方法で得られた化合物またはその塩を含有する医薬は、前記したスクリーニング方法Ａで得られた化合物またはその塩を含有する医薬と同様にして製造することができる。
このようにして得られる製剤は、安全で低毒性であるので、例えば、ヒトまたは哺乳動物（例えば、ラット、マウス、モルモット、ウサギ、ヒツジ、ブタ、ウシ、ウマ、ネコ、イヌ、サルなど）に対して投与することができる。
該化合物またはその塩の投与量は、対象疾患、投与対象、投与ルートなどにより差異はあるが、例えば、痛覚障害の治療目的でＯＴ７Ｔ０２２遺伝子に対するプロモーター活性を促進する物質を経口投与する場合、一般的に成人患者（体重６０ｋｇとして）においては、一日につき該化合物またはその塩を約０．１〜１００ｍｇ、好ましくは約１．０〜５０ｍｇ、より好ましくは約１．０〜２０ｍｇ投与する。非経口的に投与する場合は、該化合物またはその塩の１回投与量は投与対象、対象疾患などによっても異なるが、例えば、痛覚障害の治療目的でＯＴ７Ｔ０２２遺伝子に対するプロモーター活性を促進する化合物またはその塩を注射剤の形で通常成人患者（体重６０ｋｇとして）に投与する場合、一日につき該物質を約０．０１〜３０ｍｇ程度、好ましくは約０．１〜２０ｍｇ程度、より好ましくは約０．１〜１０ｍｇ程度を静脈注射により投与するのが好都合である。他の動物の場合も、体重６０ｋｇ当たりに換算した量を投与することができる。
【００８４】
このように、本発明のＯＴ７Ｔ０２２遺伝子発現不全非ヒト動物は、ＯＴ７Ｔ０２２遺伝子に対するプロモーターの活性を促進または阻害する化合物またはその塩をスクリーニングする上で極めて有用であり、ＯＴ７Ｔ０２２遺伝子発現不全に起因する各種疾患の原因究明または予防・治療・改善薬の開発に大きく貢献することができる。
また、ＯＴ７Ｔ０２２遺伝子のプロモーター領域を含有するＤＮＡを使って、その下流に種々の蛋白質をコードする遺伝子を連結し、これを動物の卵細胞に注入していわゆるトランスジェニック動物（遺伝子移入動物）を作成すれば、特異的にそのペプチドを合成させ、その生体での作用を検討することも可能となる。さらに上記プロモーター部分に適当なレポーター遺伝子を結合させ、これが発現するような細胞株を樹立すれば、ＯＴ７Ｔ０２２そのものの体内での産生能力を特異的に促進もしくは抑制する作用を持つ低分子化合物の探索系として使用できる。
【００８５】
（１０）各種薬物の作用メカニズムの解明方法
ＯＴ７Ｔ０２２を用いることによって、各種薬物がＯＴ７Ｔ０２２を介して薬理効果を発揮しているか否かを確認することができる。
すなわち、本発明は、
（１）ＯＴ７Ｔ０２２を用いることを特徴とする、痛覚障害、眼疾患、下垂体疾患、筋疾患、心疾患、血液疾患、腎疾患、免疫疾患、副腎機能障害、摂食障害、肥満、情動障害、精神分裂病、うつ病、不安症、性機能障害、肥満、痙攣、てんかん、攻撃性行動、歩行異常、体温上昇、白血球数減少、血小板数減少、自発行動量（特に、夜間自発行動量）の増加、筋力低下、体温減少、白血球数増加、血小板数増加または自発行動量（特に、夜間自発行動量）の減少に対する予防・治療・改善薬、鎮痛薬、モルヒネの鎮痛作用促進薬、モルヒネ耐性回避薬などがＯＴ７Ｔ０２２に結合することを確認する方法、
（２）ＯＴ７Ｔ０２２を用いることを特徴とする、痛覚障害、眼疾患、下垂体疾患、筋疾患、心疾患、血液疾患、腎疾患、免疫疾患、副腎機能障害、摂食障害、肥満、情動障害、精神分裂病、うつ病、不安症、性機能障害、肥満、痙攣、てんかん、攻撃性行動、歩行異常、体温上昇、白血球数減少、血小板数減少、自発行動量（特に、夜間自発行動量）の増加、筋力低下など、特に筋疾患、副腎機能障害、痙攣、攻撃性行動、歩行異常、体温上昇、白血球数減少、血小板数減少、自発行動量（特に、夜間自発行動量）の増加または筋力低下に対する予防・治療・改善薬がＯＴ７Ｔ０２２に対するアゴニストであることを確認する方法、
（３）ＯＴ７Ｔ０２２を用いることを特徴とする、筋疾患、副腎機能障害、体温減少、白血球数増加、血小板数増加または自発行動量（特に、夜間自発行動量）の減少に対する予防・治療・改善薬、鎮痛薬、モルヒネの鎮痛作用促進薬、モルヒネ耐性回避薬などがＯＴ７Ｔ０２２に対するアンタゴニストであることを確認する方法、
（４）各薬をＯＴ７Ｔ０２２に接触させた場合における、各薬とＯＴ７Ｔ０２２との結合量を測定することを特徴とする上記（１）〜（３）記載のスクリーニング方法を提供する。
この確認方法は、前記したＲＦＲＰとＯＴ７Ｔ０２２との結合性を変化させる化合物またはその塩のスクリーニング方法において、試験化合物に代えて、上記の薬物を使用することによって実施することができる。
また、本発明の確認方法用キットは、前記したＲＦＲＰとＯＴ７Ｔ０２２との結合性を変化させる化合物のスクリーニング用キットにおいて、試験化合物に代えて、上記の薬物を含有するものである。
このように、本発明の確認方法を用いることによって、市販または開発途中の各種薬物がＯＴ７Ｔ０２２を介して薬理効果を発揮していることを確認することができる。
【００８６】
本明細書および図面において、塩基やアミノ酸などを略号で表示する場合、ＩＵＰＡＣ−ＩＵＢ　Ｃｏｍｍｉｓｓｉｏｎ　ｏｎ　Ｂｉｏｃｈｅｍｉｃａｌ　Ｎｏｍｅｎｃｌａｔｕｒｅによる略号あるいは当該分野における慣用略号に基づくものであり、その例を下記する。またアミノ酸に関し光学異性体があり得る場合は、特に明示しなければＬ体を示すものとする。
ＤＮＡ　　　　　：デオキシリボ核酸
ｃＤＮＡ　　　　：相補的デオキシリボ核酸
Ａ　　　　　　：アデニン
Ｔ　　　　　　：チミン
Ｇ　　　　　　：グアニン
Ｃ　　　　　　：シトシン
Ｉ　　　　　　　　　　　　：イノシン
Ｒ　　　　　　　　　　　　：アデニン（Ａ）またはグアニン（Ｇ）
Ｙ　　　　　　　　　　　　：チミン（Ｔ）またはシトシン（Ｃ）
Ｍ　　　　　　　　　　　　：アデニン（Ａ）またはシトシン（Ｃ）
Ｋ　　　　　　　　　　　　：グアニン（Ｇ）またはチミン（Ｔ）
Ｓ　　　　　　　　　　　　：グアニン（Ｇ）またはシトシン（Ｃ）
Ｗ　　　　　　　　　　　　：アデニン（Ａ）またはチミン（Ｔ）
Ｂ　　　　　　　　　　　　：グアニン（Ｇ）、グアニン（Ｇ）またはチミン（Ｔ）
Ｄ　　　　　　　　　　　　：アデニン（Ａ）、グアニン（Ｇ）またはチミン（Ｔ）
Ｖ　　　　　　　　　　　　：アデニン（Ａ）、グアニン（Ｇ）またはシトシン（Ｃ）
Ｎ　　　　　　　　　　　　：アデニン（Ａ）、グアニン（Ｇ）、シトシン（Ｃ）もしくはチミン（Ｔ）または不明もしくは他の塩基
ＲＮＡ　　　　　：リボ核酸
ｍＲＮＡ　　　　：メッセンジャーリボ核酸
ｄＡＴＰ　　　　：デオキシアデノシン三リン酸
ｄＴＴＰ　　　　：デオキシチミジン三リン酸
ｄＧＴＰ　　　　：デオキシグアノシン三リン酸
ｄＣＴＰ　　　　：デオキシシチジン三リン酸
ＡＴＰ　　　　　：アデノシン三リン酸
ＥＤＴＡ　　　　：エチレンジアミン四酢酸
ＳＤＳ　　　　　：ドデシル硫酸ナトリウム
ＢＨＡ　　　　　：ベンズヒドリルアミン
ｐＭＢＨＡ　　　：ｐ−メチルベンズヒドリルアミン
Ｔｏｓ　　　　　：ｐ−トルエンスルフォニル
Ｂｚｌ　　　　　：ベンジル
Ｂｏｍ　　　　　：ベンジルオキシメチル
Ｂｏｃ　　　　　：ｔ−ブチルオキシカルボニル
ＤＣＭ　　　　　：ジクロロメタン
ＨＯＢｔ　　　　：１−ヒドロキシベンズトリアゾール
ＤＣＣ　　　　　：Ｎ，Ｎ’−ジシクロヘキシルカルボジイミド
ＴＦＡ　　　　　：トリフルオロ酢酸
ＤＩＥＡ　　　　：ジイソプロピルエチルアミン
Ｇｌｙ　　　　　　：グリシン
ＡｌａまたはＡ　：アラニン
ＶａｌまたはＶ　　：バリン
ＬｅｕまたはＬ　：ロイシン
ＩｌｅまたはＩ　　：イソロイシン
ＳｅｒまたはＳ　　：セリン
ＴｈｒまたはＴ　　：スレオニン
ＣｙｓまたはＣ　　：システイン
ＭｅｔまたはＭ　　：メチオニン
ＧｌｕまたはＥ　　：グルタミン酸
ＡｓｐまたはＤ　　：アスパラギン酸
ＬｙｓまたはＫ　　：リジン
ＡｒｇまたはＲ　　：アルギニン
ＨｉｓまたはＨ　　：ヒスチジン
ＰｈｅまたはＦ　　：フェニルアラニン
ＴｙｒまたはＹ　　：チロシン
ＴｒｐまたはＷ　　：トリプトファン
ＰｒｏまたはＰ　　：プロリン
ＡｓｎまたはＮ　　：アスパラギン
ＧｌｎまたはＱ　　：グルタミン
ｐＧｌｕ　　　　：ピログルタミン酸
【００８７】
本願明細書の配列表の配列番号は、以下の配列を示す。
〔配列番号：１〕
ＲＦＲＰのアミノ酸配列（ヒト型）を示す。
〔配列番号：２〕
配列番号：１で表わされるアミノ酸配列を有するＲＦＲＰをコードするＤＮＡの塩基配列を示す。
〔配列番号：３〕
ＲＦＲＰのアミノ酸配列（ヒト型）を示す。
〔配列番号：４〕
配列番号：３で表わされるアミノ酸配列を有するＲＦＲＰをコードするＤＮＡの塩基配列を示す。
〔配列番号：５〕
ＲＦＲＰのアミノ酸配列（ウシ型）を示す。
〔配列番号：６〕
配列番号：５で表わされるアミノ酸配列を有するＲＦＲＰをコードするＤＮＡの塩基配列を示す。
〔配列番号：７〕
ＲＦＲＰのアミノ酸配列（ラット型）を示す（リクローニング前）。
〔配列番号：８〕
配列番号：７で表わされるアミノ酸配列を有するＲＦＲＰをコードするＤＮＡの塩基配列を示す。
〔配列番号：９〕
ＲＦＲＰのアミノ酸配列（マウス型）を示す。
〔配列番号：１０〕
配列番号：９で表わされるアミノ酸配列を有するＲＦＲＰをコードするＤＮＡの塩基配列を示す。
〔配列番号：１１〕
ラット由来Ｇ蛋白質共役型レセプター蛋白質ｒＯＴ７Ｔ０２２のアミノ酸配列を示す。
〔配列番号：１２〕
ラット由来Ｇ蛋白質共役型レセプター蛋白質ｒＯＴ７Ｔ０２２をコードするｃＤＮＡの塩基配列を示す。
〔配列番号：１３〕
ＲＦＲＰ部分ペプチドのアミノ酸配列を示す。
〔配列番号：１４〕
ＲＦＲＰ部分ペプチドのアミノ酸配列を示す。
〔配列番号：１５〕
ＲＦＲＰ部分ペプチドのアミノ酸配列を示す。
〔配列番号：１６〕
配列番号：１で表わされるアミノ酸配列の第８１番目（Ｍｅｔ）〜第９２番目（Ｐｈｅ）のアミノ酸配列を含有するペプチドをコードする塩基配列を示す。
〔配列番号：１７〕
配列番号：１で表わされるアミノ酸配列の第１０１番目（Ｓｅｒ）〜第１１２番目（Ｓｅｒ）のアミノ酸配列を含有するペプチドをコードする塩基配列を示す。
〔配列番号：１８〕
配列番号：１で表わされるアミノ酸配列の第１２４番目（Ｖａｌ）〜第１３１番目（Ｐｈｅ）のアミノ酸配列を含有するペプチドをコードする塩基配列を示す。
〔配列番号：１９〕
配列番号：１で表わされるアミノ酸配列の第１番目（Ｍｅｔ）〜第９２番目（Ｐｈｅ）のアミノ酸配列を含有するペプチドをコードする塩基配列を示す。
〔配列番号：２０〕
配列番号：１で表わされるアミノ酸配列の、第１番目（Ｍｅｔ）〜第１１２番目（Ｓｅｒ）のアミノ酸配列を含有するペプチドをコードする塩基配列を示す。
〔配列番号：２１〕
配列番号：１で表わされるアミノ酸配列の、第１番目（Ｍｅｔ）〜第１３１番目（Ｐｈｅ）のアミノ酸配列を含有するペプチドをコードする塩基配列を示す。
〔配列番号：２２〕
ＲＦＲＰのアミノ酸配列（ラット型）を示す（リクローニング後）。
〔配列番号：２３〕
配列番号：２２で表わされるアミノ酸配列を有するＲＦＲＰをコードするＤＮＡの塩基配列を示す。
〔配列番号：２４〕
ヒト由来Ｇ蛋白質共役型レセプター蛋白質ｈＯＴ７Ｔ０２２をコードするアミノ酸配列を示す。
〔配列番号：２５〕
配列番号：２４で表されるアミノ酸配列を有するｈＯＴ７Ｔ０２２をコードするＤＮＡの塩基配列を示す。
〔配列番号：２６〕
配列番号：２４で表されるアミノ酸配列を有するｈＯＴ７Ｔ０２２をコードするＤＮＡの塩基配列を示す。
〔配列番号：２７〕
マウス由来Ｇ蛋白質共役型レセプター蛋白質ＯＴ７Ｔ０２２の部分アミノ酸配列を示す。
〔配列番号：２８〕
配列番号：２７で表されるアミノ酸配列を有するマウス由来ＯＴ７Ｔ０２２をコードするゲノムＤＮＡの塩基配列を示す。
〔配列番号：２９〕
実施例３で使用したプライマーの塩基配列を示す。
〔配列番号：３０〕
実施例３で使用したプライマーの塩基配列を示す。
〔配列番号：３１〕
実施例３で使用したプライマーの塩基配列を示す。
〔配列番号：３２〕
配列番号：２７で表されるアミノ酸配列を有するマウス由来ＯＴ７Ｔ０２２をコードするゲノムＤＮＡの塩基配列を示す。配列番号：２８で表される塩基配列中のｎを特定した配列である。
【００８８】
後述の実施例１で得られた形質転換体Ｅｓｃｈｅｒｉｃｈｉａ　ｃｏｌｉ　ＪＭ１０９／ｐＫＳ−ＯＴ７Ｔ０２２１は２００２年１０月１７日から茨城県つくば市東１丁目１番地１　中央第６（郵便番号３０５−８５６６）の独立行政法人産業技術総合研究所　特許生物寄託センターに寄託番号ＦＥＲＭ　ＢＰ−８２１０として寄託されている。
後述の実施例１で得られた形質転換体Ｅｓｃｈｅｒｉｃｈｉａ　ｃｏｌｉ　ＪＭ１０９／ｐＫＳ−ＯＴ７Ｔ０２２２は２００２年１０月１７日から茨城県つくば市東１丁目１番地１　中央第６（郵便番号３０５−８５６６）の独立行政法人産業技術総合研究所　特許生物寄託センターに寄託番号ＦＥＲＭ　ＢＰ−８２１１として寄託されている。
後述の実施例１で得られた形質転換体Ｅｓｃｈｅｒｉｃｈｉａ　ｃｏｌｉ　ＪＭ１０９／ｐＫＳ−ＯＴ７Ｔ０２２３は２００２年１０月１７日から茨城県つくば市東１丁目１番地１　中央第６（郵便番号３０５−８５６６）の独立行政法人産業技術総合研究所　特許生物寄託センターに寄託番号ＦＥＲＭ　ＢＰ−８２１２として寄託されている。
後述の実施例１で得られた形質転換体Ｅｓｃｈｅｒｉｃｈｉａ　ｃｏｌｉ　ＪＭ１０９／ｐＫＳ−ＯＴ７Ｔ０２２４は２００２年１０月１７日から茨城県つくば市東１丁目１番地１　中央第６（郵便番号３０５−８５６６）の独立行政法人産業技術総合研究所　特許生物寄託センターに寄託番号ＦＥＲＭ　ＢＰ−８２１３として寄託されている。
後述の実施例２で得られた形質転換体Ｅｓｃｈｅｒｉｃｈｉａ　ｃｏｌｉ　ＪＭ１０９／ｐ０２２Ｔｇｖ−２は２００２年１０月１７日から茨城県つくば市東１丁目１番地１　中央第６（郵便番号３０５−８５６６）の独立行政法人産業技術総合研究所　特許生物寄託センターに寄託番号ＦＥＲＭ　ＢＰ−８２１４として寄託されている。
【００８９】
【実施例】
以下に、実施例を挙げて本発明をさらに具体的に説明するが、本発明はそれに限定されるものではない。なお、大腸菌を用いての遺伝子操作法は、モレキュラー・クローニング（Ｍｏｌｅｃｕｌａｒ　ｃｌｏｎｉｎｇ）に記載されている方法に従った。
【００９０】
実施例１　マウスＯＴ７Ｔ０２２のクローニング
ラットＯＴ７Ｔ０２２　ｃＤＮＡ（配列番号：１２、ＷＯ００／２９４４１号）をプローブにした。ラットｃＤＮＡ　の５８０−１１７０　ｂｐのＤＮＡ断片をプローブとして作製した（ＰＣＲ−ＤＩＧ　プローブ合成キット、ロシュダイアゴニスティックス社）。そのプローブを用いて、マウス１２９ＳｖＪラムダゲノムライブラリー（ストラタジ−ン社）に１ｓｔ　プラークハイブリダイゼーションを行った結果、陽性プラークが６個得られた。１ｓｔ　プラークハイブリダイゼーションで得られた６個の陽性プラークに対して２ｎｄ　プラークハイブリダイゼーションを行い、２個の陽性クローンを単離した。
サザンハイブリダイゼーションを行った結果、約　４．５　ｋｂｐの　Ｂａｍ　ＨＩ断片にＯＴ７Ｔ０２２　のコード領域が存在することが判明した。常法によりクローニングしたＤＮＡ断片をシークエンサー（パーキンエルマー社）により塩基配列を調べた結果、ラットＯＴ７Ｔ０２２の３’　側　エクソン（０．９　ｋｂｐ）と９４％の相同性を有する断片であり、マウスＯＴ７Ｔ０２２ゲノム　ＤＮＡであることを確認した。さらにＯＴ７Ｔ０２２をコードするＢａｍ　ＨＩ　断片の５’側３．８　ｋｂｐおよび３’側５．５　ｋｂｐのＢａｍ　ＨＩ　断片をクローニングした。サザン解析により３’　側　エクソンから１．８　ｋｂｐ以上はなれた上流に一つのエクソンが存在することがわかった（配列番号：２８または配列番号：３２）。
マウスＯＴ７Ｔ０２２ゲノム　ＤＮＡの断片を大腸菌ＪＭ１０９株に形質転換し、形質転換体Ｅｓｃｈｅｒｉｃｈｉａ　ｃｏｌｉ　ＪＭ１０９／ｐＫＳ−ＯＴ７Ｔ０２２１、形質転換体Ｅｓｃｈｅｒｉｃｈｉａ　ｃｏｌｉ　ＪＭ１０９／ｐＫＳ−ＯＴ７Ｔ０２２２、形質転換体Ｅｓｃｈｅｒｉｃｈｉａ　ｃｏｌｉ　ＪＭ１０９／ｐＫＳ−ＯＴ７Ｔ０２２３、形質転換体Ｅｓｃｈｅｒｉｃｈｉａ　ｃｏｌｉ　ＪＭ１０９／ｐＫＳ−ＯＴ７Ｔ０２２４を取得した。
【００９１】
実施例２　ターゲッティングベクターの構築およびＥＳ相同組み換えの作製
ＯＴ７Ｔ０２２ターゲッティングベクターの構築は、　３’　側　エクソンの５’　側　Ｓａｃ　Ｉ−Ｂａｍ　ＨＩ断片（３．２　ｋｂｐ）、３’　側ＢｓｔＥＩＩ−Ｘｈｏ　Ｉ断片（５．２　ｋｂｐ）、ネオマイシン耐性遺伝子およびジフテリアトキシン遺伝子を用いて行い、３’　側　エクソン１．２　ｋｂｐを欠失させた　ＯＴ７Ｔ０２２　ターゲッティングベクターｐ０２２Ｔｇｖ−２の構築を終了した（図１）。ＯＴ７Ｔ０２２　ターゲッティングベクターｐ０２２Ｔｇｖ−２を大腸菌ＪＭ１０９株に形質転換し、形質転換体Ｅｓｃｈｅｒｉｃｈｉａ　ｃｏｌｉ　ＪＭ１０９／ｐ０２２Ｔｇｖ−２を取得した。ＯＴ７Ｔ０２２ターゲッティングベクターをマウス１２９ＳｖＥｖ系統由来ＥＳ　細胞（ＡＢ２．２系統）にエレクトロポレーションにより導入した。エレクトロポレーションはジーンパルサーエレクトロポレーションシステム（バイオラッド社製）を用いて電圧　２３０　Ｖ，　抵抗値５００　μＦ，　ＤＮＡ溶液濃度３０　μｇ／ｍｌの条件を設定して行った。
遺伝子導入実験は３回行い、それぞれ１０００株以上のネオマイシン耐性株を得ることができた。ターゲティングベクターｐ０２２Ｔｇｖ−２によって得られた７３９株のネオマイシン耐性株を２４ウェルプレートで培養し、−７０℃凍結融解、Ｐｒｏｔｅｉｎａｓｅ　Ｋ処理後、エタノール沈殿によりＤＮＡを抽出した。
そのうち５９５株のゲノムに対して５’側のＢａｍＨＩ−Ｘｈｏ　Ｉ　６００　ｂｐ断片（ターゲティングベクターに用いたゲノムの外側の領域）をプローブとし、サザンハイブリダイゼーションを行った。その結果、６株に相同組換え体と推定される５．４　ｋｂのバンドがみられた（野生型３．８ｋｂ）。
相同組換え体と考えられるＤＮＡ　断片が検出された６種のＥＳ細胞株（Ｎｏ．　１２６，　１３０，　２８３，　４９１，　５３２，　５４５）　について、再確認のためサザン解析を行った。凍結保存しておいた各細胞を培養後、ＤＮＡ　を抽出し、Ｂａｍ　ＨＩ−Ｘｈｏ　Ｉ切断後、上記６００　ｂｐ断片をプローブとし、サザンハイブリダイゼーションを行った。その結果、全ての細胞において５．４　ｋｂ断片（野生型は３．８　ｋｂ断片のみが観察される）が再確認できた。また、プローブをネオマイシン耐性遺伝子としてサザンハイブリダイゼーションを行った結果、２　ｋｂ付近に野生型、組換え体共通に見られるバンドがあったが、組換え体のみに５．４　ｋｂのバンドが確認でき、６種のＥＳ細胞すべてが相同組換え体であることが確認できた。
これら６系統の相同組換え体のうち増殖が良好であった３系統の相同組換え体細胞株（Ｎｏ．１３０，　２８３，　５３２）について核型分析のためフィーダー細胞存在下、ＥＳ細胞を２５ｃｍ２フラスコにコンフルエントになるまで培養し、コルセミドを添加（最終細胞密度０．１μｇ／ｍｌ）し、３７℃、２時間培養した。ＰＢＳで洗浄後、トリプシン処理し、遠心１０００ｒｐｍ、５分した。ペレットに０．０７５Ｍ　ＫＣｌ　４ｍｌを添加し室温で２０分放置後、細胞浮遊液にカルノア液（酢酸：メタノール比＝１：３）を１滴添加後穏やかに懸濁した。室温放置６０分させ、遠心し、ペレットをカルノア液４ｍｌで穏やかに懸濁し、さらに室温放置した。３０分５回程度繰り返した。遠心後ペレットにカルノア液２〜３ｍｌを加え適度な濃度に調製し、スライドグラス上に細胞浮遊液を２〜３滴　滴下した。風乾後、３％ギムザ溶液で染色し、顕微鏡下で分裂期中期の染色体観察を行った。結果、正常核型を有する細胞の割合は６１〜６９％であった。３系統の相同組換え体細胞株の核型異常がみられなかったので、増殖性の良好な細胞株Ｎｏ．　２８３を選抜した。
【００９２】
実施例３　ノックアウトマウスの作製
相同組み換え細胞株Ｎｏ．　２８３をＣ５７ＢＬ／６系統マウス胚盤胞へのインジェクションを常法により行った。インジェクションされた胚盤胞は別途精管結紮マウスと交配することによって得られた偽妊娠マウス卵管に移植することによって妊娠させた。２８３株については移植胚の約半分が産仔として生まれ、７５％がキメラマウスであった。雄キメラマウスはＣ５７ＢＬ／６系統雌マウスと交配し、産仔での生殖系列移行およびヘテロマウスの取得をおこなった。
キメラとＣ５７ＢＬ　系統マウスとの交配によって５１　匹のＥＳ細胞　由来マウスが得られた。マウス尾よりゲノム　ＤＮＡを精製し、まずＰＣＲ　による遺伝子型判定の条件を検討した。検討の結果プライマーはターゲティングした領域の３’側　（ＡＧＧＴＧＣＴＣＡＧＴＧＴＧＴＡＧＡＡＧＴＧＧ（配列癌号：２９））を共通とし、また５’側は野生型検出用として、欠損させた領域内の終止コドン付近配列（ＡＴＣＣＣＡＧＣＣＴＧＧＡＡＣＡＴＴＴＴＧＡＧＧ（配列番号：３０））、変異型検出用としてネオマイシン耐性遺伝子内配列　（ＴＣＡＴＡＧＣＣＧＡＡＴＡＣＧＧＴＣＴＣＣＡＣ（配列番号：３１））とし、ポリメラーゼはＫＯＤ−ｐｌｕｓ−（東洋紡株式会社製）を用いた。野生型は３００　ｂｐ断片のみを検出し、ヘテロ欠損個体であれば、３００　ｂｐ　および　６００　ｂｐ断片を検出できるように設計されたＰＣＲ　による遺伝子判定の結果、ヘテロ欠損マウスを得ることができた。次に、サザンハイブリダイゼーションを行って、遺伝子欠損の確認を行った。
【００９３】
実施例４　臓器重量の変化
雄ホモ欠損マウスの生後８週齢個体を頸椎脱臼により屠殺し、解剖を行った。各主要臓器を取り出して重量測定を行った。その結果、臓器重量においては野生型マウスとホモ欠損マウスに差異は認められなかった。生後１３週齢の臓器重量測定の結果では、胸腺において野生型マウスに比べ、ホモ欠損マウスで有意な増加がみられた。
【００９４】
実施例５　体重、飲水量、摂食量
ホモ欠損マウスの体重、摂餌量および飲水量について経時的変化を調べた。離乳後雄ホモ欠損マウスの体重変化は、野生型マウスに比べ差異はみられなかった。摂餌量および飲水量の経時的変化において雄雌性ホモ欠損マウスとも野生型マウスと差異はみられなかった。
【００９５】
実施例６　行動異常
日常行動および外見観察はＩｒｗｉｎ　（１９６８）の方法に準拠して行った。その結果、生後６ヶ月齢のホモ欠損マウス（雄性２例中、２例）において異常歩行が観察された。別ロットのホモ欠損マウス（７週齢）の中に後退歩行がみられ、後肢を引きずるような歩行異常も観察された。さらに振戦あるいは痙攣などを示す個体がみられたが、その程度は個体間差異がみられた。これら行動異常はＣ５７ＢＬ／６Ｊおよび１２９ＳｖＥｖ系統の雑種において観察された。
【００９６】
実施例７　侵害刺激に対する反応
侵害刺激に対する反応について評価するためマウスで用いられている方法（Ｗｉｌｓｏｎ　ＳＧ，　Ｍｏｇｉｌ　ＪＳ．　Ｂｅｈａｖ　Ｂｒａｉｎ　Ｒｅｓ　１２５：６５−７３，　２００１）のなかで熱侵害刺激に対する反応性を評価するためホットプレート試験（熱板法とも呼ぶ）を行った。
ホットプレート試験は市販のホットプレート式鎮痛効果測定装置を用いて行った。最初、５５℃に熱したホットプレート上に直径１５ｃｍ高さ２０ｃｍのガラス製円筒を置き、マウスをその円筒内にいれ、マウスが後肢を舐めるあるいは跳躍などの行動が現れるまでの時間を測定した。その結果、雄ホモ欠損マウスにおいて後肢を舐めるあるいは跳躍時間が有意に遅延した。
【００９７】
実施例８　攻撃行動
雄ホモ欠損マウスの行動観察を行ったところ、野生型マウスよりも他の雌雄マウスに対する攻撃性が観察された。さらに一部のマウスにおいてはハンドリング時にｔａｉｌ　ｒａｔｔｌｉｎｇ　が観察され、飼育時においても軽微な挙尾反応が観察された。観察用ケージに雄マウスを２個体入れて相互の攻撃行動を観察する方法（Ｎａｔｕｒｅ３７８：３８３−３８６，　１９９５）および（Ｎａｔｕｒｅ　２６５：１８７５−１８７８，　１９９４）によりホモ欠損マウスの攻撃反応潜時を測定した。その結果、攻撃行動までの潜時がホモ欠損マウスで有意に短かった。これらの行動はＣ５７ＢＬ／６Ｊおよび１２９ＳｖＥｖ系統の雑種において観察された。
【００９８】
実施例９　モルヒネ投与試験
Ｃ５７ＢＬ／６Ｊコンジェニック系統１１週齢の雄ホモ欠損マウスを用いて５２℃湯の入った水槽に尾先端から３ｃｍのところまで浸漬して尾が水槽から出るまでの時間を熱侵害刺激に対する応答性として評価した（ｔａｉｌ　ｉｍｍｅｒｓｉｏｎ　ｔｅｓｔ、温湯法とも呼ぶ）。
実験の最大時間（ｃｕｔ　ｏｆｆ　ｔｉｍｅ）は２０秒とした。ホモ欠損マウスおよびＣ５７ＢＬ／６Ｊコンジェニック系統１１週齢の野生型マウスはそれぞれｖｅｈｉｃｌｅ投与群およびモルヒネ投与群に分けて実験を行った。投与前に上記のｔａｉｌ　ｉｍｍｅｒｓｉｏｎ　ｔｅｓｔを行った結果、すべての群における反応平均時間に有意差はみられなかった。次にモルヒネ（ｋｇ　体重当たり５ｍｇ）あるいはｖｅｈｉｃｌｅを腹腔内投与後、１５分後、３０分後に同じ方法でｔａｉｌ　ｉｍｍｅｒｓｉｏｎ　ｔｅｓｔを実施した。モルヒネ投与雄ホモ欠損マウス群の反応時間は、その他の群より長くなった。モルヒネ投与前のｔａｉｌ　ｉｍｍｅｒｓｉｏｎｔｅｓｔには野生型マウスとホモ欠損マウスの反応ｌａｔｅｎｃｙに差異はあったが、モルヒネ投与した野生型マウスは１５分および３０分後、ｌａｔｅｎｃｙは投与前に比べて有意に延長したのに対してモルヒネ投与したホモ欠損マウスにおいてはモルヒネ投与後も熱刺激に対する反応のｌａｔｅｎｃｙはモルヒネ投与前と変わらなかった。
【００９９】
【発明の効果】
ＲＦＲＰおよびＯＴ７Ｔ０２２またはそれらをコードするＤＮＡは、筋疾患、副腎機能障害、痙攣、攻撃性行動、歩行異常、体温上昇、白血球数減少、血小板数減少、自発行動量の増加または筋力低下などの予防・治療・改善薬として有用である。
また、Ｏ７Ｔ０２２遺伝子発現不全非ヒト動物は、上記疾患の予防・治療・改善薬のスクリーニングに有用である。
【０１００】
【配列表】
2004131471.tif 000002
2004131471.tif 000003
2004131471.tif 000004
2004131471.tif 000005
2004131471.tif 000006
2004131471.tif 000007
2004131471.tif 000008
2004131471.tif 000009
2004131471.tif 000010
2004131471.tif 000011
2004131471.tif 000012
2004131471.tif 000013
2004131471.tif 000014
2004131471.tif 000015
2004131471.tif 000016
2004131471.tif 000017
2004131471.tif 000018
2004131471.tif 000019
2004131471.tif 000020
2004131471.tif 000021
2004131471.tif 000022
2004131471.tif 000023
2004131471.tif 000024
2004131471.tif 000025
2004131471.tif 000026
2004131471.tif 000027
2004131471.tif 000028
2004131471.tif 000029
2004131471.tif 000030
2004131471.tif 000031
2004131471.tif 000032
2004131471.tif 000033
2004131471.tif 000034
2004131471.tif 000035
2004131471.tif 000036
2004131471.tif 000037
2004131471.tif 000038
2004131471.tif 000039
2004131471.tif 000040
2004131471.tif 000041
2004131471.tif 000042
2004131471.tif 000043
2004131471.tif 000044
2004131471.tif 000045
2004131471.tif 000046
2004131471.tif 000047
2004131471.tif 000048
2004131471.tif 000049
2004131471.tif 000050
2004131471.tif 000051
2004131471.tif 000052
2004131471.tif 000053
2004131471.tif 000054
2004131471.tif 000055
2004131471.tif 000056
【図面の簡単な説明】
【図１】ＯＴ７Ｔ０２２ターゲティングベクターの概略図を示す。
【図１】
2004131471.tif 000057